(57)【要約】  ショート物理ダウンリンク制御チャネル（ＳＰＤＣＣＨ）のためのショート制御チャネルエレメント（ＳＣＣＥ）とショートリソースエレメントグループ（ＳＲＥＧ）とのマッピングが提供される。ユーザ機器（ＵＥ）が、基地局から通信を受信し、１つまたは複数のＳＣＣＥと対応するＳＲＥＧとの間のマッピングを決定し、マッピングに基づいて通信を処理する。基地局が、ＵＥへの通信について、１つまたは複数のＳＣＣＥと対応するＳＲＥＧとの間のマッピングを決定し、マッピングに基づいて、ＵＥへの通信を送信する。このようにして、ＣＲＳベースのＳＰＤＣＣＨのための局在化および分散型のＳＣＣＥ対ＳＲＥＧマッピングが規定される。また、２および３ＯＦＤＭシンボルＤＭＲＳベースのＳＰＤＣＣＨのためのＳＣＣＥ対ＳＲＥＧマッピングが規定される。ＤＭＲＳベースのＳＰＤＣＣＨのために、ＳＣＣＥレベルにおける分散型設定が規定される。これにより、レイテンシを改善することができ、通信システムの平均スループットを改善することができる。無線リソース効率は、レイテンシ削減によってプラスの影響を受けることができる。【選択図】図７
2020535721.tif 000002
【特許請求の範囲】
【請求項１】
ユーザ機器（ＵＥ）において実施される方法であって、
基地局から通信を受信すること（１１００）と、
前記基地局からの前記通信について、１つまたは複数のショート制御チャネルエレメント（ＳＣＣＥ）と対応するショートリソースエレメントグループ（ＳＲＥＧ）との間のマッピングを決定すること（１１０２）と、
前記基地局からの前記通信についての、前記１つまたは複数のＳＣＣＥと前記対応するＳＲＥＧとの間の前記マッピングに基づいて、前記基地局からの前記通信を処理すること（１１０４）と、
を含む、方法。
【請求項２】
前記１つまたは複数のＳＣＣＥと前記対応するＳＲＥＧとの間の前記マッピングを決定することは、
前記１つまたは複数のＳＣＣＥと前記対応するＳＲＥＧとの間の前記マッピングを、前記基地局からの前記通信のために用いられる復調方式に基づいて決定することを含む、請求項１に記載の方法。
【請求項３】
前記１つまたは複数のＳＣＣＥと前記対応するＳＲＥＧとの間の前記マッピングを決定することは、
前記基地局からの前記通信のために用いられる前記復調方式が、セル固有参照信号（ＣＲＳ）であると決定することと、
これに応じて、高い周波数ダイバーシティを達成するための、前記１つまたは複数のＳＣＣＥと前記対応するＳＲＥＧとの間の前記マッピングを決定することと、
を含む、請求項２に記載の方法。
【請求項４】
前記高い周波数ダイバーシティを達成するための、前記１つまたは複数のＳＣＣＥと前記対応するＳＲＥＧとの間の前記マッピングを決定することは、ショート物理ダウンリンク制御チャネル（ＳＰＤＣＣＨ）リソースブロック（ＲＢ）セットに沿って、かつ、１つの直交周波数分割多重（ＯＦＤＭ）シンボルのみから、分散される方式で選択されるように、前記ＳＣＣＥに対応する前記ＳＲＥＧを決定することを含む、請求項３に記載の方法。
【請求項５】
前記高い周波数ダイバーシティを達成するための、前記１つまたは複数のＳＣＣＥと前記対応するＳＲＥＧとの間の前記マッピングを決定することは、
１ｏｓ  ＣＲＳベースのショート物理ダウンリンク制御チャネル（ＳＰＤＣＣＨ）における前記分散型のＳＣＣＥ対ＳＲＥＧマッピングについて、ＳＣＣＥインデックスｋに対応するＳＲＥＧが以下の規定によって与えられることを含み、
2020535721.tif 000042
ここで、ｋ＝０，．．．，ＮｓＣＣＥ−１であり、ＮｓＣＣＥはＳＰＤＣＣＨリソースブロック（ＲＢ）セット内のＳＣＣＥの数であり、ｉ＝０，．．．，ＮｓＲＥＧ／ｓＣＣＥ−１であり、
2020535721.tif 000043
は、前記ＳＰＤＣＣＨ  ＲＢセット内のＳＲＥＧの総数であり、ＮｓＲＥＧ／ｓＣＣＥはＳＣＣＥあたりのＳＲＥＧの数である、請求項４に記載の方法。
【請求項６】
前記高い周波数ダイバーシティを達成するための、前記１つまたは複数のＳＣＣＥと前記対応するＳＲＥＧとの間の前記マッピングを決定することは、
２ｏｓ  ＣＲＳベースのショート物理ダウンリンク制御チャネル（ＳＰＤＣＣＨ）におけるＳＲＥＧベースの分散型マッピングについて、ＳＣＣＥインデックスｋに対応するＳＲＥＧが以下の規定によって与えられることを含み、
2020535721.tif 000044
ここで、ｋ＝０，．．．，ＮｓＣＣＥ−１であり、ＮｓＣＣＥは前記ＳＰＤＣＣＨ  ＲＢセット内のＳＣＣＥの数であり、ｉ＝０，．．．，ＮｓＲＥＧ／ｓＣＣＥ−１であり、ＮｓＣＣＥ／ＯＳは前記ＳＰＤＣＣＨ  ＲＢセット内の直交周波数分割多重（ＯＦＤＭ）シンボルあたりのＳＣＣＥの数であり、すなわち、
2020535721.tif 000045
であり、ＮｓＲＥＧ／ＯＳはＯＦＤＭシンボルあたりのＳＲＥＧの数であり、ＮｓＲＥＧ／ｓＣＣＥはＳＣＣＥあたりのＳＲＥＧの数である、請求項４に記載の方法。
【請求項７】
ＮｓＲＥＧ／ｓＣＣＥは、ＣＲＳベースのＳＰＤＣＣＨの場合、４であり、ここでＮｓＲＥＧ／ｓＣＣＥはＳＣＣＥあたりのＳＲＥＧの数である、請求項３に記載の方法。
【請求項８】
前記高い周波数ダイバーシティを達成するための、前記１つまたは複数のＳＣＣＥと前記対応するＳＲＥＧとの間の前記マッピングを決定することは、
１ｏｓおよび２ｏｓ  ＣＲＳベースのショート物理ダウンリンク制御チャネル（ＳＰＤＣＣＨ）内のＳＲＥＧベースの局在化マッピングについて、ＳＣＣＥインデックスｋに対応するＳＲＥＧが以下の規定によって与えられることを含み、
ｋ＊ＮｓＲＥＧ／ｓＣＣＥ＋ｉ
ここで、ｋ＝０，．．．，ＮｓＣＣＥ−１であり、ＮｓＣＣＥは前記ＳＰＤＣＣＨ  ＲＢセット内のＳＣＣＥの数であり、ｉ＝０，．．．，ＮｓＲＥＧ／ｓＣＣＥ−１であり、ＮｓＲＥＧ／ｓＣＣＥはＳＣＣＥあたりのＳＲＥＧの数である、請求項３に記載の方法。
【請求項９】
ＣＲＳベースのＳＰＤＣＣＨの場合、ＮｓＲＥＧ／ｓＣＣＥは４である、請求項８に記載の方法。
【請求項１０】
前記１つまたは複数のＳＣＣＥと前記対応するＳＲＥＧとの間の前記マッピングを決定することは、
前記基地局からの前記通信のために用いられる復調方式が、復調参照信号（ＤＭＲＳ）であると決定することと、
これに応じて、その事実に基づき、前記１つまたは複数のＳＣＣＥと前記対応するＳＲＥＧとの間の前記マッピングを決定することと、
を含む、請求項２に記載の方法。
【請求項１１】
前記１つまたは複数のＳＣＣＥと前記対応するＳＲＥＧとの間の前記マッピングを決定することは、
２ｏｓおよび３ｏｓ  ＤＭＲＳベースのショート物理ダウンリンク制御チャネル（ＳＰＤＣＣＨ）における前記ＳＣＣＥ対ＳＲＥＧマッピングについて、ＳＣＣＥインデックスｋに対応するＳＲＥＧが以下の規定によって与えられることを含み、
ｋ＊ＮｓＲＥＧ／ｓＣＣＥ＋ｉ
ここで、ｋ＝０，．．．，ＮｓＣＣＥ−１であり、ＮｓＣＣＥはＳＰＤＣＣＨリソースブロック（ＲＢ）セット内のＳＣＣＥの数であり、ｉ＝０，．．．，ＮｓＲＥＧ／ｓＣＣＥ−１であり、ＮｓＲＥＧ／ｓＣＣＥはＳＣＣＥあたりのＳＲＥＧの数である、請求項１０に記載の方法。
【請求項１２】
前記２ｏｓ  ＤＭＲＳベースのＳＰＤＣＣＨの場合、ＮｓＲＥＧ／ｓＣＣＥは４である、請求項１１に記載の方法。
【請求項１３】
前記３ｏｓ  ＤＭＲＳベースのＳＰＤＣＣＨの場合、ＮｓＲＥＧ／ｓＣＣＥは６である、請求項１１に記載の方法。
【請求項１４】
１よりも高いアグリゲーションレベルについて、前記ＵＥの前記ＳＰＤＣＣＨ  ＲＢセット内の分散型ＤＭＲＳベースのＳＰＤＣＣＨ候補ｍに対応する前記ＳＣＣＥが以下のように規定されることを更に含み、
2020535721.tif 000046
ここで、
2020535721.tif 000047
は、より高位層のシグナリングによって設定される前記ＵＥのＳＣＣＥ開始オフセットであり、ｉ＝０，．．．，Ｌ−１であり、Ｌはアグリゲーションレベルであり、１よりも高く、ＮｓＣＣＥは前記ＳＰＤＣＣＨ  ＲＢセット内のＳＣＣＥの総数であり、ｍ＝０，．．．，ＭＬ−１であり、ＭＬはアグリゲーションレベルＬあたりのＳＰＤＣＣＨ候補の数である、請求項１から１３のいずれか一項に記載の方法。
【請求項１５】
前記基地局から前記通信を受信することは、ＳＰＤＣＣＨ上で前記基地局から前記通信を受信することを含む、請求項１から１４のいずれか一項に記載の方法。
【請求項１６】
基地局（１７２０）と通信するように設定されたユーザ機器（ＵＥ）（１７３０）であって、前記ＵＥは、無線インターフェース（１７３７）と、処理回路部（１７３８）であって、
前記基地局から通信を受信し、
前記基地局からの前記通信について、１つまたは複数のショート制御チャネルエレメント（ＳＣＣＥ）と対応するショートリソースエレメントグループ（ＳＲＥＧ）との間のマッピングを決定し、
前記基地局からの前記通信についての、前記１つまたは複数のＳＣＣＥと前記対応するＳＲＥＧとの間の前記マッピングに基づいて、前記基地局からの前記通信を処理する、
ように設定された処理回路部（１７３８）とを備える、ＵＥ（１７３０）。
【請求項１７】
前記１つまたは複数のＳＣＣＥと前記対応するＳＲＥＧとの間の前記マッピングを決定することは、前記１つまたは複数のＳＣＣＥと前記対応するＳＲＥＧとの間の前記マッピングを、前記基地局からの前記通信のために用いられる復調方式に基づいて決定することを含む、請求項１６に記載のＵＥ。
【請求項１８】
前記１つまたは複数のＳＣＣＥと前記対応するＳＲＥＧとの間の前記マッピングを決定することは、前記ＵＥが、
前記基地局からの前記通信のために用いられる前記復調方式が、セル固有参照信号（ＣＲＳ）であると決定し、
これに応じて、高い周波数ダイバーシティを達成するための、前記１つまたは複数のＳＣＣＥと前記対応するＳＲＥＧとの間の前記マッピングを決定する、
ように更に設定されることを含む、請求項１７に記載のＵＥ。
【請求項１９】
前記高い周波数ダイバーシティを達成するための、前記１つまたは複数のＳＣＣＥと前記対応するＳＲＥＧとの間の前記マッピングを決定することは、ショート物理ダウンリンク制御チャネル（ＳＰＤＣＣＨ）リソースブロック（ＲＢ）セットに沿って、かつ、１つの直交周波数分割多重（ＯＦＤＭ）シンボルのみから、分散される方式で選択されるように、前記ＳＣＣＥに対応する前記ＳＲＥＧを決定することを含む、請求項１８に記載のＵＥ。
【請求項２０】
前記高い周波数ダイバーシティを達成するための、前記１つまたは複数のＳＣＣＥと前記対応するＳＲＥＧとの間の前記マッピングを決定することは、前記ＵＥが、
１ｏｓ  ＣＲＳベースのショート物理ダウンリンク制御チャネル（ＳＰＤＣＣＨ）における前記分散型のＳＣＣＥ対ＳＲＥＧマッピングについて、ＳＣＣＥインデックスｋに対応するＳＲＥＧが以下の規定によって与えられるように更に設定されることを含み、
2020535721.tif 000048
ここで、ｋ＝０，．．．，ＮｓＣＣＥ−１であり、ＮｓＣＣＥはＳＰＤＣＣＨリソースブロック（ＲＢ）セット内のＳＣＣＥの数であり、ｉ＝０，．．．，ＮｓＲＥＧ／ｓＣＣＥ−１であり、
2020535721.tif 000049
は、前記ＳＰＤＣＣＨ  ＲＢセット内のＳＲＥＧの総数であり、ＮｓＲＥＧ／ｓＣＣＥはＳＣＣＥあたりのＳＲＥＧの数である、請求項１９に記載のＵＥ。
【請求項２１】
前記高い周波数ダイバーシティを達成するための、前記１つまたは複数のＳＣＣＥと前記対応するＳＲＥＧとの間の前記マッピングを決定することは、前記ＵＥが、
２ｏｓ  ＣＲＳベースのショート物理ダウンリンク制御チャネル（ＳＰＤＣＣＨ）におけるＳＲＥＧベースの分散型マッピングについて、ＳＣＣＥインデックスｋに対応するＳＲＥＧが以下の規定によって与えられるように更に設定されることを含み、
2020535721.tif 000050
ここで、ｋ＝０，．．．，ＮｓＣＣＥ−１であり、ＮｓＣＣＥは前記ＳＰＤＣＣＨリソースブロック（ＲＢ）セット内のＳＣＣＥの数であり、ｉ＝０，．．．，ＮｓＲＥＧ／ｓＣＣＥ−１であり、ＮｓＣＣＥ／ＯＳは前記ＳＰＤＣＣＨ  ＲＢセット内のＯＦＤＭシンボルあたりのＳＣＣＥの数であり、すなわち、
2020535721.tif 000051
であり、ＮｓＲＥＧ／ＯＳは直交周波数分割多重（ＯＦＤＭ）シンボルあたりのＳＲＥＧの数であり、ＮｓＲＥＧ／ｓＣＣＥはＳＣＣＥあたりのＳＲＥＧの数である、請求項１８に記載のＵＥ。
【請求項２２】
ＮｓＲＥＧ／ｓＣＣＥは、ＣＲＳベースのＳＰＤＣＣＨの場合、４であり、ここでＮｓＲＥＧ／ｓＣＣＥはＳＣＣＥあたりのＳＲＥＧの数である、請求項１７に記載のＵＥ。
【請求項２３】
前記高い周波数ダイバーシティを達成するための、前記１つまたは複数のＳＣＣＥと前記対応するＳＲＥＧとの間の前記マッピングを決定することは、前記ＵＥが、
１ｏｓおよび２ｏｓ  ＣＲＳベースのＳＰＤＣＣＨ内のＳＲＥＧベースの局在化マッピングについて、ＳＣＣＥインデックスｋに対応するＳＲＥＧが以下の規定によって与えられるように更に設定されることを含み、
ｋ＊ＮｓＲＥＧ／ｓＣＣＥ＋ｉ
ここで、ｋ＝０，．．．，ＮｓＣＣＥ−１であり、ＮｓＣＣＥは前記ショート物理ダウンリンク制御チャネル（ＳＰＤＣＣＨ）リソースブロック（ＲＢ）セット内のＳＣＣＥの数であり、ｉ＝０，．．．，ＮｓＲＥＧ／ｓＣＣＥ−１であり、ＮｓＲＥＧ／ｓＣＣＥはＳＣＣＥあたりのＳＲＥＧの数である、請求項１８に記載のＵＥ。
【請求項２４】
ＣＲＳベースのショート物理ダウンリンク制御チャネル（ＳＰＤＣＣＨ）の場合、ＮｓＲＥＧ／ｓＣＣＥは４である、請求項２３に記載のＵＥ。
【請求項２５】
前記１つまたは複数のＳＣＣＥと前記対応するＳＲＥＧとの間の前記マッピングを決定することは、前記ＵＥが、
前記基地局からの前記通信のために用いられる復調方式が、復調参照信号（ＤＭＲＳ）であると決定し、
これに応じて、その事実に基づき、前記１つまたは複数のＳＣＣＥと前記対応するＳＲＥＧとの間の前記マッピングを決定する、
ように更に設定されることを含む、請求項１７に記載のＵＥ。
【請求項２６】
前記１つまたは複数のＳＣＣＥと前記対応するＳＲＥＧとの間の前記マッピングを決定することは、前記ＵＥが、
２ｏｓおよび３ｏｓ  ＤＭＲＳベースのショート物理ダウンリンク制御チャネル（ＳＰＤＣＣＨ）における前記ＳＣＣＥ対ＳＲＥＧマッピングについて、ＳＣＣＥインデックスｋに対応するＳＲＥＧが以下の規定によって与えられるように更に設定されることを含み、
ｋ＊ＮｓＲＥＧ／ｓＣＣＥ＋ｉ
ここで、ｋ＝０，．．．，ＮｓＣＣＥ−１であり、ＮｓＣＣＥはＳＰＤＣＣＨリソースブロック（ＲＢ）セット内のＳＣＣＥの数であり、ｉ＝０，．．．，ＮｓＲＥＧ／ｓＣＣＥ−１であり、ＮｓＲＥＧ／ｓＣＣＥはＳＣＣＥあたりのＳＲＥＧの数であり、すなわち、前記２ｏｓ  ＤＭＲＳベースのＳＰＤＣＣＨの場合、４ＳＲＥＧ／ＳＣＣＥであり、前記３ｏｓ  ＤＭＲＳベースのＳＰＤＣＣＨの場合、６ＳＲＥＧ／ＳＣＣＥである、請求項２５に記載のＵＥ。
【請求項２７】
前記２ｏｓ  ＤＭＲＳベースのＳＰＤＣＣＨの場合、ＮｓＲＥＧ／ｓＣＣＥは４である、請求項２６に記載のＵＥ。
【請求項２８】
前記３ｏｓ  ＤＭＲＳベースのＳＰＤＣＣＨの場合、ＮｓＲＥＧ／ｓＣＣＥは６である、請求項２６に記載のＵＥ。
【請求項２９】
前記ＵＥが、
１よりも高いアグリゲーションレベルについて、前記ＵＥの前記ＳＰＤＣＣＨ  ＲＢセット内の分散型ＤＭＲＳベースのＳＰＤＣＣＨ候補ｍに対応する前記ＳＣＣＥが以下のように規定されるように更に設定されることを更に含み、
2020535721.tif 000052
ここで、
2020535721.tif 000053
は、より高位層のシグナリングによって設定される前記ＵＥのＳＣＣＥ開始オフセットであり、ｉ＝０，．．．，Ｌ−１であり、Ｌはアグリゲーションレベルであり、１よりも高く、ＮｓＣＣＥは前記ＳＰＤＣＣＨ  ＲＢセット内のＳＣＣＥの総数であり、ｍ＝０，．．．，ＭＬ−１であり、ＭＬはアグリゲーションレベルＬあたりのＳＰＤＣＣＨ候補の数である、請求項１６から２８のいずれか一項に記載のＵＥ。
【請求項３０】
前記基地局から前記通信を受信することは、ＳＰＤＣＣＨ上で前記基地局から前記通信を受信することを含む、請求項１６から２９のいずれか一項に記載のＵＥ。
【請求項３１】
基地局において実施される方法であって、
ユーザ機器（ＵＥ）への通信について、１つまたは複数のショート制御チャネルエレメント（ＳＣＣＥ）と対応するショートリソースエレメントグループ（ＳＲＥＧ）との間のマッピングを決定すること（１２００）と、
前記１つまたは複数のＳＣＣＥと前記対応するＳＲＥＧとの間のマッピングに基づいて、前記ＵＥへの前記通信を送信すること（１２０２）と、
を含む、方法。
【請求項３２】
前記１つまたは複数のＳＣＣＥと前記対応するＳＲＥＧとの間の前記マッピングを決定することは、前記１つまたは複数のＳＣＣＥと前記対応するＳＲＥＧとの間の前記マッピングを、前記基地局からの前記通信のために用いられる復調方式に基づいて決定することを含む、請求項３１に記載の方法。
【請求項３３】
前記１つまたは複数のＳＣＣＥと前記対応するＳＲＥＧとの間の前記マッピングを決定することは、
前記基地局からの前記通信のために用いられる前記復調方式が、セル固有参照信号（ＣＲＳ）であると決定することと、
これに応じて、高い周波数ダイバーシティを達成するための、前記１つまたは複数のＳＣＣＥと前記対応するＳＲＥＧとの間の前記マッピングを決定することと、
を含む、請求項３２に記載の方法。
【請求項３４】
前記高い周波数ダイバーシティを達成するための、前記１つまたは複数のＳＣＣＥと前記対応するＳＲＥＧとの間の前記マッピングを決定することは、ショート物理ダウンリンク制御チャネル（ＳＰＤＣＣＨ）リソースブロック（ＲＢ）セットに沿って、かつ、１つの直交周波数分割多重（ＯＦＤＭ）シンボルのみから、分散される方式で選択されるように、前記ＳＣＣＥに対応するＳＲＥＧを決定することを含む、請求項３３に記載の方法。
【請求項３５】
前記高い周波数ダイバーシティを達成するための、前記１つまたは複数のＳＣＣＥと前記対応するＳＲＥＧとの間の前記マッピングを決定することは、
１ｏｓ  ＣＲＳベースのショート物理ダウンリンク制御チャネル（ＳＰＤＣＣＨ）における前記分散型のＳＣＣＥ対ＳＲＥＧマッピングについて、ＳＣＣＥインデックスｋに対応するＳＲＥＧが以下の規定によって与えられることを含み、
2020535721.tif 000054
ここで、ｋ＝０，．．．，ＮｓＣＣＥ−１であり、ＮｓＣＣＥはＳＰＤＣＣＨリソースブロック（ＲＢ）セット内のＳＣＣＥの数であり、ｉ＝０，．．．，ＮｓＲＥＧ／ｓＣＣＥ−１であり、
2020535721.tif 000055
は、前記ＳＰＤＣＣＨ  ＲＢセット内のＳＲＥＧの総数であり、ＮｓＲＥＧ／ｓＣＣＥはＳＣＣＥあたりのＳＲＥＧの数である、請求項３３に記載の方法。
【請求項３６】
前記高い周波数ダイバーシティを達成するための、前記１つまたは複数のＳＣＣＥと前記対応するＳＲＥＧとの間の前記マッピングを決定することは、
２ｏｓ  ＣＲＳベースのショート物理ダウンリンク制御チャネル（ＳＰＤＣＣＨ）におけるＳＲＥＧベースの分散型マッピングについて、ＳＣＣＥインデックスｋに対応するＳＲＥＧが以下の規定によって与えられることを含み、
2020535721.tif 000056
ここで、ｋ＝０，．．．，ＮｓＣＣＥ−１であり、ＮｓＣＣＥはＳＰＤＣＣＨリソースブロック（ＲＢ）セット内のＳＣＣＥの数であり、ｉ＝０，．．．，ＮｓＲＥＧ／ｓＣＣＥ−１であり、ＮｓＣＣＥ／ＯＳは前記ＳＰＤＣＣＨ  ＲＢセット内の直交周波数分割多重（ＯＦＤＭ）シンボルあたりのＳＣＣＥの数であり、すなわち、
2020535721.tif 000057
であり、ＮｓＲＥＧ／ＯＳはＯＦＤＭシンボルあたりのＳＲＥＧの数であり、ＮｓＲＥＧ／ｓＣＣＥはＳＣＣＥあたりのＳＲＥＧの数であり、すなわち、ＣＲＳベースのＳＰＤＣＣＨの場合、４ＳＲＥＧ／ＳＣＣＥである、請求項３３に記載の方法。
【請求項３７】
ＮｓＲＥＧ／ｓＣＣＥは、ＣＲＳベースのＳＰＤＣＣＨの場合、４であり、ここでＮｓＲＥＧ／ｓＣＣＥはＳＣＣＥあたりのＳＲＥＧの数である、請求項３３に記載の方法。
【請求項３８】
前記高い周波数ダイバーシティを達成するための、前記１つまたは複数のＳＣＣＥと前記対応するＳＲＥＧとの間の前記マッピングを決定することは、
１ｏｓおよび２ｏｓ  ＣＲＳベースのショート物理ダウンリンク制御チャネル（ＳＰＤＣＣＨ）内のＳＲＥＧベースの局在化マッピングについて、ＳＣＣＥインデックスｋに対応するＳＲＥＧが以下の規定によって与えられることを含み、
ｋ＊ＮｓＲＥＧ／ｓＣＣＥ＋ｉ
ここで、ｋ＝０，．．．，ＮｓＣＣＥ−１であり、ＮｓＣＣＥは前記ＳＰＤＣＣＨ  ＲＢセット内のＳＣＣＥの数であり、ｉ＝０，．．．，ＮｓＲＥＧ／ｓＣＣＥ−１であり、ＮｓＲＥＧ／ｓＣＣＥはＳＣＣＥあたりのＳＲＥＧの数である、請求項３３に記載の方法。
【請求項３９】
ＣＲＳベースのＳＰＤＣＣＨの場合、ＮｓＲＥＧ／ｓＣＣＥは４である、請求項３８に記載の方法。
【請求項４０】
前記１つまたは複数のＳＣＣＥと前記対応するＳＲＥＧとの間の前記マッピングを決定することは、
前記基地局からの前記通信のために用いられる復調方式が、復調参照信号（ＤＭＲＳ）であると決定することと、
これに応じて、その事実に基づき、前記１つまたは複数のＳＣＣＥと前記対応するＳＲＥＧとの間の前記マッピングを決定することと、
を含む、請求項３２に記載の方法。
【請求項４１】
前記１つまたは複数のＳＣＣＥと前記対応するＳＲＥＧとの間の前記マッピングを決定することは、
２ｏｓおよび３ｏｓ  ＤＭＲＳベースのショート物理ダウンリンク制御チャネル（ＳＰＤＣＣＨ）における前記ＳＣＣＥ対ＳＲＥＧマッピングについて、ＳＣＣＥインデックスｋに対応するＳＲＥＧが以下の規定によって与えられることを含み、
ｋ＊ＮｓＲＥＧ／ｓＣＣＥ＋ｉ
ここで、ｋ＝０，．．．，ＮｓＣＣＥ−１であり、ＮｓＣＣＥはＳＰＤＣＣＨリソースブロック（ＲＢ）セット内のＳＣＣＥの数であり、ｉ＝０，．．．，ＮｓＲＥＧ／ｓＣＣＥ−１であり、ＮｓＲＥＧ／ｓＣＣＥはＳＣＣＥあたりのＳＲＥＧの数である、請求項４０に記載の方法。
【請求項４２】
前記２ｏｓ  ＤＭＲＳベースのＳＰＤＣＣＨの場合、ＮｓＲＥＧ／ｓＣＣＥは４である、請求項４１に記載の方法。
【請求項４３】
前記３ｏｓ  ＤＭＲＳベースのＳＰＤＣＣＨの場合、ＮｓＲＥＧ／ｓＣＣＥは６である、請求項４１に記載の方法。
【請求項４４】
１よりも高いアグリゲーションレベルについて、前記ＵＥの前記ＳＰＤＣＣＨ  ＲＢセット内の分散型ＤＭＲＳベースのＳＰＤＣＣＨ候補ｍに対応する前記ＳＣＣＥが以下のように規定されることを更に含み、
2020535721.tif 000058
ここで、
2020535721.tif 000059
は、より高位層のシグナリングによって設定される前記ＵＥのＳＣＣＥ開始オフセットであり、ｉ＝０，．．．，Ｌ−１であり、Ｌはアグリゲーションレベルであり、１よりも高く、ＮｓＣＣＥは前記ＳＰＤＣＣＨ  ＲＢセット内のＳＣＣＥの総数であり、ｍ＝０，．．．，ＭＬ−１であり、ＭＬはアグリゲーションレベルＬあたりのＳＰＤＣＣＨ候補の数である、請求項３１から４１のいずれか一項に記載の方法。
【請求項４５】
前記基地局から前記通信を受信することは、ＳＰＤＣＣＨ上で前記基地局から前記通信を受信することを含む、請求項３１から４４のいずれか一項に記載の方法。
【請求項４６】
ユーザ機器（ＵＥ）（１７３０）と通信するように設定された基地局（１７２０）であって、前記基地局は、無線インターフェース（１７２７）と、処理回路部（１７２８）であって、
前記ＵＥへの通信について、１つまたは複数のショート制御チャネルエレメント（ＳＣＣＥ）と対応するショートリソースエレメントグループ（ＳＲＥＧ）との間のマッピングを決定し、
前記１つまたは複数のＳＣＣＥと前記対応するＳＲＥＧとの間のマッピングに基づいて、前記ＵＥへの前記通信を送信する、
ように設定された処理回路部（１７２８）とを備える、基地局（１７２０）。
【請求項４７】
前記１つまたは複数のＳＣＣＥと前記対応するＳＲＥＧとの間の前記マッピングを決定することは、前記１つまたは複数のＳＣＣＥと前記対応するＳＲＥＧとの間の前記マッピングを、前記基地局からの前記通信のために用いられる復調方式に基づいて決定することを含む、請求項４６に記載の基地局。
【請求項４８】
前記１つまたは複数のＳＣＣＥと前記対応するＳＲＥＧとの間の前記マッピングを決定することは、前記基地局が、
前記基地局からの前記通信のために用いられる前記復調方式が、セル固有参照信号（ＣＲＳ）であると決定し、
これに応じて、高い周波数ダイバーシティを達成するための、前記１つまたは複数のＳＣＣＥと前記対応するＳＲＥＧとの間の前記マッピングを決定する、
ように更に設定されることを含む、請求項４７に記載の基地局。
【請求項４９】
前記高い周波数ダイバーシティを達成するための、前記１つまたは複数のＳＣＣＥと前記対応するＳＲＥＧとの間の前記マッピングを決定することは、ショート物理ダウンリンク制御チャネル（ＳＰＤＣＣＨ）リソースブロック（ＲＢ）セットに沿って、かつ、１つの直交周波数分割多重（ＯＦＤＭ）シンボルのみから分散される方式で選択されるように、前記ＳＣＣＥに対応するＳＲＥＧを決定することを含む、請求項４８に記載の基地局。
【請求項５０】
前記高い周波数ダイバーシティを達成するための、前記１つまたは複数のＳＣＣＥと前記対応するＳＲＥＧとの間の前記マッピングを決定することは、前記基地局が、
１ｏｓ  ＣＲＳベースのショート物理ダウンリンク制御チャネル（ＳＰＤＣＣＨ）における前記分散型のＳＣＣＥ対ＳＲＥＧマッピングについて、ＳＣＣＥインデックスｋに対応するＳＲＥＧが以下の規定によって与えられるように更に設定されることを含み、
2020535721.tif 000060
ここで、ｋ＝０，．．．，ＮｓＣＣＥ−１であり、ＮｓＣＣＥはＳＰＤＣＣＨリソースブロック（ＲＢ）セット内のＳＣＣＥの数であり、ｉ＝０，．．．，ＮｓＲＥＧ／ｓＣＣＥ−１であり、
2020535721.tif 000061
は、前記ＳＰＤＣＣＨ  ＲＢセット内のＳＲＥＧの総数であり、ＮｓＲＥＧ／ｓＣＣＥはＳＣＣＥあたりのＳＲＥＧの数である、請求項４８に記載の基地局。
【請求項５１】
前記高い周波数ダイバーシティを達成するための、前記１つまたは複数のＳＣＣＥと前記対応するＳＲＥＧとの間の前記マッピングを決定することは、前記基地局が、
２ｏｓ  ＣＲＳベースのショート物理ダウンリンク制御チャネル（ＳＰＤＣＣＨ）におけるＳＲＥＧベースの分散型マッピングについて、ＳＣＣＥインデックスｋに対応するＳＲＥＧが以下の規定によって与えられるように更に設定されることを含み、
2020535721.tif 000062
ここで、ｋ＝０，．．．，ＮｓＣＣＥ−１であり、ＮｓＣＣＥはＳＰＤＣＣＨリソースブロック（ＲＢ）セット内のＳＣＣＥの数であり、ｉ＝０，．．．，ＮｓＲＥＧ／ｓＣＣＥ−１であり、ＮｓＣＣＥ／ＯＳは前記ＳＰＤＣＣＨ  ＲＢセット内のＯＦＤＭシンボルあたりのＳＣＣＥの数であり、すなわち、
2020535721.tif 000063
であり、ＮｓＲＥＧ／ＯＳは直交周波数分割多重（ＯＦＤＭ）シンボルあたりのＳＲＥＧの数であり、ＮｓＲＥＧ／ｓＣＣＥはＳＣＣＥあたりのＳＲＥＧの数である、請求項４８に記載の基地局。
【請求項５２】
ＮｓＲＥＧ／ｓＣＣＥは、ＣＲＳベースのＳＰＤＣＣＨの場合、４であり、ここでＮｓＲＥＧ／ｓＣＣＥはＳＣＣＥあたりのＳＲＥＧの数である、請求項４８に記載の基地局。
【請求項５３】
前記高い周波数ダイバーシティを達成するための、前記１つまたは複数のＳＣＣＥと前記対応するＳＲＥＧとの間の前記マッピングを決定することは、前記基地局が、
１ｏｓおよび２ｏｓ  ＣＲＳベースのショート物理ダウンリンク制御チャネル（ＳＰＤＣＣＨ）内のＳＲＥＧベースの局在化マッピングについて、ＳＣＣＥインデックスｋに対応するＳＲＥＧが以下の規定によって与えられるように更に設定されることを含み、
ｋ＊ＮｓＲＥＧ／ｓＣＣＥ＋ｉ
ここで、ｋ＝０，．．．，ＮｓＣＣＥ−１であり、ＮｓＣＣＥは前記ＳＰＤＣＣＨリソースブロック（ＲＢ）セット内のＳＣＣＥの数であり、ｉ＝０，．．．，ＮｓＲＥＧ／ｓＣＣＥ−１であり、ＮｓＲＥＧ／ｓＣＣＥはＳＣＣＥあたりのＳＲＥＧの数である、請求項４８に記載の基地局。
【請求項５４】
ＣＲＳベースのＳＰＤＣＣＨの場合、ＮｓＲＥＧ／ｓＣＣＥは４である、請求項５３に記載の基地局。
【請求項５５】
前記１つまたは複数のＳＣＣＥと前記対応するＳＲＥＧとの間の前記マッピングを決定することは、前記基地局が、
前記基地局からの前記通信のために用いられる復調方式が、復調参照信号（ＤＭＲＳ）であると決定し、
これに応じて、その事実に基づき、前記１つまたは複数のＳＣＣＥと前記対応するＳＲＥＧとの間の前記マッピングを決定する、
ように更に設定されることを含む、請求項４７に記載の基地局。
【請求項５６】
前記１つまたは複数のＳＣＣＥと前記対応するＳＲＥＧとの間の前記マッピングを決定することは、前記基地局が、
２ｏｓおよび３ｏｓ  ＤＭＲＳベースのショート物理ダウンリンク制御チャネル（ＳＰＤＣＣＨ）における前記ＳＣＣＥ対ＳＲＥＧマッピングについて、ＳＣＣＥインデックスｋに対応するＳＲＥＧが以下の規定によって与えられるように更に設定されることを含み、
ｋ＊ＮｓＲＥＧ／ｓＣＣＥ＋ｉ
ここで、ｋ＝０，．．．，ＮｓＣＣＥ−１であり、ＮｓＣＣＥはＳＰＤＣＣＨリソースブロック（ＲＢ）セット内のＳＣＣＥの数であり、ｉ＝０，．．．，ＮｓＲＥＧ／ｓＣＣＥ−１であり、ＮｓＲＥＧ／ｓＣＣＥはＳＣＣＥあたりのＳＲＥＧの数である、請求項５５に記載の基地局。
【請求項５７】
２ｏｓ  ＤＭＲＳベースのＳＰＤＣＣＨの場合、ＮｓＲＥＧ／ｓＣＣＥは４である、請求項５６に記載の基地局。
【請求項５８】
３ｏｓ  ＤＭＲＳベースのＳＰＤＣＣＨの場合、ＮｓＲＥＧ／ｓＣＣＥは６である、請求項５６に記載の基地局。
【請求項５９】
前記基地局が、
１よりも高いアグリゲーションレベルについて、前記ＵＥの前記ＳＰＤＣＣＨ  ＲＢセット内の分散型ＤＭＲＳベースのＳＰＤＣＣＨ候補ｍに対応する前記ＳＣＣＥが以下のように規定されるように更に設定されることを更に含み、
2020535721.tif 000064
ここで、
2020535721.tif 000065
は、より高位層のシグナリングによって設定される前記ＵＥのＳＣＣＥ開始オフセットであり、ｉ＝０，．．．，Ｌ−１であり、Ｌはアグリゲーションレベルであり、１よりも高く、ＮｓＣＣＥは前記ＳＰＤＣＣＨ  ＲＢセット内のＳＣＣＥの総数であり、ｍ＝０，．．．，ＭＬ−１であり、ＭＬはアグリゲーションレベルＬあたりのＳＰＤＣＣＨ候補の数である、請求項４６から５６のいずれか一項に記載の基地局。
【請求項６０】
前記基地局から前記通信を受信することは、ＳＰＤＣＣＨ上で前記基地局から前記通信を受信することを含む、請求項４６から５９のいずれか一項に記載の基地局。
【請求項６１】
ホストコンピュータ（１７１０）を含む通信システム（１７００）であって、
ユーザデータを提供するように設定された処理回路部（１７１８）と、
ユーザ機器（ＵＥ）（１７３０）への送信のために前記ユーザデータをセルラネットワークに転送するように設定された通信インターフェース（１７１６）と、
を備え、
前記セルラネットワークは、無線インターフェース（１７２７）と、処理回路部（１７２８）とを有する基地局（１７２０）を備え、前記基地局の処理回路部は、
前記ＵＥへの通信について、１つまたは複数のショート制御チャネルエレメント（ＳＣＣＥ）と対応するショートリソースエレメントグループ（ＳＲＥＧ）との間のマッピングを決定し、
前記１つまたは複数のＳＣＣＥと前記対応するＳＲＥＧとの間の前記マッピングに基づいて、前記ＵＥへの前記通信を送信する、
ように設定される、通信システム（１７００）。
【請求項６２】
前記基地局を更に備える、請求項６１に記載の通信システム。
【請求項６３】
前記ＵＥを更に備え、前記ＵＥは前記基地局と通信するように設定される、請求項６２に記載の通信システム。
【請求項６４】
前記ホストコンピュータの前記処理回路部は、ホストアプリケーションを実行し、それによって前記ユーザデータを提供するように設定され、
前記ＵＥは、前記ホストアプリケーションに関連付けられたクライアントアプリケーションを実行するように設定された処理回路部を備える、請求項６３に記載の通信システム。
【請求項６５】
ホストコンピュータ、基地局およびユーザ機器（ＵＥ）を含む通信システムにおいて実施される方法であって、前記方法は、
前記ホストコンピュータにおいてユーザデータを提供することと、
前記ホストコンピュータにおいて、前記基地局を含むセルラネットワークを介して前記ＵＥへの前記ユーザデータを搬送する送信を開始することと、
を含み、前記基地局は、
基地局から通信を受信し、
前記基地局からの前記通信について、１つまたは複数のショート制御チャネルエレメント（ＳＣＣＥ）と対応するショートリソースエレメントグループ（ＳＲＥＧ）との間のマッピングを決定し、
前記基地局からの前記通信についての、前記１つまたは複数のＳＣＣＥと前記対応するＳＲＥＧとの間の前記マッピングに基づいて、前記基地局からの前記通信を処理する、方法。
【請求項６６】
前記基地局において、前記ユーザデータを送信することを更に含む、請求項６５に記載の方法。
【請求項６７】
前記ユーザデータは、ホストアプリケーションを実行することによって前記ホストコンピュータにおいて提供され、前記方法は、
前記ＵＥにおいて、前記ホストアプリケーションに関連付けられたクライアントアプリケーションを実行することを更に含む、請求項６６に記載の方法。
【発明の詳細な説明】
【技術分野】
【０００１】
関連出願
本出願は、参照によりその全体が本明細書に援用される、２０１７年９月２９日に出願された仮特許出願第６２／５６５，９４２号の利益を主張する。
【０００２】
本開示は、無線通信、特に、ショート送信時間間隔（ＳＴＴＩ）送信のためのシグナリングに関する。
【背景技術】
【０００３】
本開示は、ロングタームエボリューション（ＬＴＥ）、すなわち拡張ユニバーサル地上無線アクセスネットワーク（Ｅ−ＵＴＲＡＮ）との関連で記載される。本明細書に記載の課題および解決策は、他のアクセス技術および規格（例えば、５Ｇ  ＮＲ）を実施する無線アクセスネットワークおよびユーザ機器（ＵＥ）に等しく適用可能であることが理解されるべきである。ＬＴＥは、適切な場合の例示的な技術として用いられ、したがって、ＬＴＥを用いた説明は、課題および課題を解決する解決策を理解するのに特に有用である。
【０００４】
パケットデータレイテンシは、ベンダ、オペレータ、および更にはエンドユーザが（速度テストアプリケーションを介して）定期的に測定する、性能メトリクスの１つである。新しいソフトウェアリリースまたはシステムコンポーネントを検証するとき、システムを展開するとき、およびシステムが商用運用中のときに、無線アクセスネットワークシステムの存続期間の全ての段階においてレイテンシ測定が行われる。
【０００５】
前世代の３ＧＰＰ  ＲＡＴよりも短いレイテンシは、ＬＴＥの設計を誘導した１つの性能メトリクスであった。ＬＴＥは現在、エンドユーザによって、前世代の移動無線技術よりも高速なインターネットへのアクセスおよびより低いデータレイテンシを提供するシステムであるものとも認識されている。
【０００６】
パケットデータレイテンシは、システムの知覚応答にとって重要なだけではなく、システムのスループットに間接的に影響を及ぼすパラメータでもある。ＨＴＴＰ／ＴＣＰは、現在のインターネットで用いられる、主要なアプリケーションおよびトランスポート層プロトコルスイートである。ＨＴＴＰ  Ａｒｃｈｉｖｅ（ｈｔｔｐ：／／ｈｔｔｐａｒｃｈｉｖｅ．ｏｒｇ／ｔｒｅｎｄｓ．ｐｈｐ）によれば、インターネットを介するＨＴＴＰベーストランザクションの典型的なサイズは、数十キロバイトから１メガバイトまでの範囲である。このサイズ範囲内では、ＴＣＰスロースタート期間は、パケットストリームの全トランスポート期間のうちのかなりの部分である。ＴＣＰスロースタートの間、性能はレイテンシで制限されている。したがってレイテンシが向上すると、このタイプのＴＣＰベースのデータトランザクションの場合、平均スループットがある程度容易に向上することがわかる。
【０００７】
無線リソース効率は、レイテンシの低減によってプラスの影響を受けることができる。パケットデータレイテンシが下がることで、或る遅延限界内で可能な送信の数を増加させることが可能であり、したがって、無線リソースを解放し、潜在的にシステムの容量を向上させるデータ送信のために、より高いブロック誤り率（ＢＬＥＲ）ターゲットを用いることができる。
【０００８】
パケットレイテンシを低減させるときに対処する１つの分野は、送信時間間隔（ＴＴＩ）の長さに対処することによる、データおよび制御シグナリングのトランスポート時間の削減である。ＬＴＥリリース８において、ＴＴＩは１ミリ秒（ｍｓ）の長さの１サブフレーム（ＳＦ）に対応する。こうした１つの１ｍｓのＴＴＩは、通常のサイクリックプレフィックスの場合、１４の直交周波数分割多重（ＯＦＤＭ）または単一キャリア周波数分割多元接続（ＳＣ−ＦＤＭＡ）シンボルを使用すること、および、拡張サイクリックプレフィックスの場合、１２個のＯＦＤＭまたはＳＣ−ＦＤＭＡシンボルを使用することによって、構築される。
【０００９】
現在のところ、３ＧＰＰにおける研究は、「ショートＴＴＩ」または「ＳＴＴＩ」動作の標準化に関して進行しており、スケジューリングおよび送信は、より高速の時間スケールで実行可能である。したがって、レガシーＬＴＥサブフレームはいくつかのＳＴＴＩに細分化される。ＳＴＴＩについて、２つおよび７つのＯＦＤＭシンボルの長さがサポートされることが現在のところ検討されている。ＤＬにおけるデータ送信は、ショート物理ダウンリンク共有チャネル（ＳＰＤＳＣＨ）を介してＳＴＴＩごとに発生し得、制御領域ショート物理ダウンリンク制御チャネル（ＳＰＤＣＣＨ）を含み得る。アップリンク（ＵＬ）において、データは、ＳＰＵＳＣＨを介してＳＴＴＩごとに送信され、制御はＳＰＵＣＣＨを介して送信可能である。
【００１０】
ＵＥに対し、ＵＬまたはダウンリンク（ＤＬ）におけるＳＴＴＩをスケジューリングするために、様々な代替形態が可能である。１つの代替形態において、個々のＵＥは、無線リソース制御（ＲＲＣ）設定を介してショートＴＴＩのためのＳＰＤＣＣＨ候補に関する情報を受信し、ショートＴＴＩのための制御チャネル、すなわちＳＰＤＣＣＨをどこで探せばよいかをＵＥに伝える。ＳＴＴＩのためのダウンリンク制御情報（ＤＣＩ）は、実際には、ＳＰＤＣＣＨに直接含まれる。別の代替形態において、ＳＴＴＩのためのＤＣＩは、ＰＤＣＣＨにおいて送信される低速ＤＣＩおよびＳＰＤＣＣＨにおいて送信される高速ＤＣＩという、２つの部分に分割される。低速グラントは、ショートＴＴＩ動作に使用されることになるＤＬおよびＵＬのショートＴＴＩ帯域についての周波数割当てを含むことができ、ＳＰＤＣＣＨ候補ロケーションに関する改良点も含むことが可能である。
【発明の概要】
【００１１】
ＵＥに対する、ＵＬまたはＤＬにおけるＳＴＴＩのスケジューリングの改善が必要とされている。
【００１２】
ショート物理ダウンリンク制御チャネル（ＳＰＤＣＣＨ）のためのショート制御チャネルエレメント（ＳＣＣＥ）とショートリソースエレメントグループ（ＳＲＥＧ）とのマッピングのためのシステムおよび方法が提供される。いくつかの実施形態では、ユーザ機器（ＵＥ）において実施される方法は、基地局から通信を受信することと、基地局からの通信について、１つまたは複数のＳＣＣＥと対応するＳＲＥＧとの間のマッピングを決定することと、基地局からの通信についての、１つまたは複数のＳＣＣＥと対応するＳＲＥＧとの間のマッピングに基づいて、基地局からの通信を処理することとを含む。いくつかの実施形態では、基地局において実施される方法は、ＵＥへの通信について、１つまたは複数のＳＣＣＥと対応するＳＲＥＧとの間のマッピングを決定することと、１つまたは複数のＳＣＣＥと対応するＳＲＥＧとの間のマッピングに基づいて、ＵＥへの通信を送信することとを含む。このようにして、１および２ＯＦＤＭシンボルのセル固有参照信号（ＣＲＳ）ベースのＳＰＤＣＣＨのための局在化および分散型のＳＣＣＥ対ＳＲＥＧマッピングが規定される。また、２および３ＯＦＤＭシンボルのＤＭＲＳベースのＳＰＤＣＣＨのためのＳＣＣＥ対ＳＲＥＧマッピングが規定される。ＤＭＲＳベースのＳＰＤＣＣＨについて、ＳＣＣＥレベルにおける分散型設定が規定される。これにより、レイテンシを改善することができ、通信システムの平均スループットを改善することができる。無線リソース効率は、レイテンシ削減によってプラスの影響を受けることができる。パケットデータレイテンシが下がることで、或る遅延限界内で可能な送信の数を増加させることが可能であり、したがって、無線リソースを解放し、潜在的にシステムの容量を向上させるデータ送信のために、より高いブロック誤り率（ＢＬＥＲ）ターゲットを用いることができる。
【００１３】
本明細書に開示される実施形態は、ＳＴＴＩ動作におけるＳＣＣＥ対ＳＲＥＧマッピングの規定のための方法に関する。本方法は、ＳＰＤＣＣＨ、すなわちＣＲＳベースおよびＤＭＲＳベースのＳＰＤＣＣＨのための復調方式、ならびにＳＰＤＣＣＨのために設定されたＯＦＤＭシンボルの数に基づく。
【００１４】
いくつかの実施形態によれば、
・１および２ＯＦＤＭシンボルのＣＲＳベースのＳＰＤＣＣＨのための局在化および分散型のＳＣＣＥ対ＳＲＥＧマッピングを規定し、
・２および３ＯＦＤＭシンボルのＤＭＲＳベースのＳＰＤＣＣＨのためのＳＣＣＥ対ＳＲＥＧマッピングを規定し、
・ＤＭＲＳベースのＳＰＤＣＣＨについて、ＳＣＣＥレベルにおける分散型設定を規定する、
ことが可能である。
【００１５】
本明細書に組み込まれ、本明細書の一部を成す添付の図面は、本開示のいくつかの態様を例示し、本明細書と合わせて、本開示の原理を説明する役割を果たす。
【図面の簡単な説明】
【００１６】
【図１】ＬＴＥ時間領域構造を示す。
【図２】ＬＴＥダウンリンク物理リソースを示す。
【図３】ダウンリンクサブフレームを示す。
【図４】ＣＣＥアグリゲーションレベル８、４、２および１を示す。
【図５】いくつかの実施形態による図４の検索空間を示す。
【図６】いくつかの実施形態による、１２個のＲＥに基づくＳＲＥＧ設定を示す。
【図７】いくつかの実施形態による、１ｏｓ  ＣＲＳベースのＳＰＤＣＣＨのための分散型および局在化の設定を示す。
【図８】いくつかの実施形態による、２ｏｓ  ＣＲＳベースのＳＰＤＣＣＨのための分散型および局在化の設定を示す。
【図９】いくつかの実施形態による、２ｏｓおよび３ｏｓ  ＤＭＲＳベースのＳＰＤＣＣＨにおけるＳＣＣＥ対ＳＲＥＧマッピングを示す。
【図１０】いくつかの実施形態による、１つのＵＥのための分散型ＤＭＲＳベースのＳＰＤＣＣＨ候補の例を示す。
【図１１】いくつかの実施形態による、ＵＥを動作させる方法を示す。
【図１２】いくつかの実施形態による、基地局を動作させる方法を示す。
【図１３】いくつかの実施形態による無線ネットワークを示す。
【図１４】いくつかの実施形態によるＵＥを示す。
【図１５】いくつかの実施形態による仮想化環境を示す。
【図１６】いくつかの実施形態による、中間ネットワークを介してホストコンピュータに接続された電気通信ネットワークを示す。
【図１７】いくつかの実施形態による、部分的無線接続を通じてユーザ機器と基地局を介して通信するホストコンピュータを示す。
【図１８】いくつかの実施形態による、ホストコンピュータと、基地局と、ユーザ機器とを含む通信システムにおいて実施される方法を示す。
【図１９】いくつかの実施形態による、ホストコンピュータと、基地局と、ユーザ機器とを含む通信システムにおいて実施される方法を示す。
【図２０】いくつかの実施形態による、ホストコンピュータと、基地局と、ユーザ機器とを含む通信システムにおいて実施される方法を示す。
【図２１】いくつかの実施形態による、ホストコンピュータと、基地局と、ユーザ機器とを含む通信システムにおいて実施される方法を示す。
【図２２】いくつかの実施形態による仮想化装置を示す。
【発明を実施するための形態】
【００１７】
以下に説示する実施形態は、これらの実施形態を当業者が実践することを可能にし、これらの実施形態の実践の最良の形態を例示する情報を表す。添付図面の図を踏まえて以下の説明を読めば、当業者は、本開示の概念を理解し、本明細書で具体的には扱われていないこれら概念の応用を認識するであろう。これらの概念および応用は、本開示の範囲内に入るものと理解されるべきである。
【００１８】
ショートＴＴＩ動作を用いたレイテンシ削減
パケットデータレイテンシは、ベンダ、オペレータ、および更にはエンドユーザが（速度テストアプリケーションを介して）定期的に測定する、性能メトリクスの１つである。新しいソフトウェアリリースまたはシステムコンポーネントを検証するとき、システムを展開するとき、およびシステムが商用運用中のときに、無線アクセスネットワークシステムの存続期間の全ての段階においてレイテンシ測定が行われる。
【００１９】
前世代の３ＧＰＰ  ＲＡＴよりも短いレイテンシは、ロングタームエボリューション（ＬＴＥ）の設計を誘導した１つの性能メトリクスであった。ＬＴＥは現在、エンドユーザによって、前世代の移動無線技術よりも高速なインターネットへのアクセスおよびより低いデータレイテンシを提供するシステムであるものとも認識されている。
【００２０】
パケットデータレイテンシは、システムの知覚応答にとって重要なだけではなく、システムのスループットに間接的に影響を及ぼすパラメータでもある。ＨＴＴＰ／ＴＣＰは、現在のインターネットで用いられる、主要なアプリケーションおよびトランスポート層プロトコルスイートである。ＨＴＴＰ  Ａｒｃｈｉｖｅ（ｈｔｔｐ：／／ｈｔｔｐａｒｃｈｉｖｅ．ｏｒｇ／ｔｒｅｎｄｓ．ｐｈｐ）によれば、インターネットを介するＨＴＴＰベーストランザクションの典型的なサイズは、数十キロバイトから１メガバイトまでの範囲である。このサイズ範囲内では、ＴＣＰスロースタート期間は、パケットストリームの全トランスポート期間のうちのかなりの部分である。ＴＣＰスロースタートの間、性能はレイテンシで制限されている。したがってレイテンシが向上すると、このタイプのＴＣＰベースのデータトランザクションの場合、平均スループットが容易に向上することがわかる。
【００２１】
無線リソース効率は、レイテンシの低減によってプラスの影響を受けることができる。パケットデータレイテンシが下がることで、或る遅延限界内で可能な送信の数を増加させることが可能であり、したがって、無線リソースを解放し、潜在的にシステムの容量を向上させるデータ送信のために、より高いブロック誤り率（ＢＬＥＲ）ターゲットを用いることができる。
【００２２】
パケットレイテンシを低減させるときに対処する１つの分野は、送信時間間隔（ＴＴＩ）の長さに対処することによる、データのトランスポート時間の削減およびシグナリングの制御である。ＬＴＥリリース８において、ＴＴＩは１ミリ秒の長さの１サブフレーム（ＳＦ）に対応する。こうした１つの１ｍｓのＴＴＩは、通常のサイクリックプレフィックスの場合、１４の直交周波数分割多重（ＯＦＤＭ）または単一キャリア周波数分割多元接続（ＳＣ−ＦＤＭＡ）シンボルを使用すること、および、拡張サイクリックプレフィックスの場合、１２個のＯＦＤＭまたはＳＣ−ＦＤＭＡシンボルを使用することによって、構築される。
【００２３】
現在のところ、３ＧＰＰにおける研究は、「ショートＴＴＩ」または「ＳＴＴＩ」動作の標準化に関して進行しており、スケジューリングおよび送信は、より高速の時間スケールで実行可能である。したがって、レガシーＬＴＥサブフレームはいくつかのＳＴＴＩに細分化される。ＳＴＴＩについて、２つおよび７つのＯＦＤＭシンボルの長さがサポートされることが現在のところ検討されている。ＤＬにおけるデータ送信は、ＳＰＤＳＣＨを介してＳＴＴＩごとに発生し得、制御領域ＳＰＤＣＣＨを含み得る。ＵＬにおいて、データは、ＳＰＵＳＣＨを介してＳＴＴＩごとに送信され、制御はＳＰＵＣＣＨを介して送信可能である。
【００２４】
ＳＴＴＩのスケジューリング
ＵＥに対し、ＵＬまたはＤＬにおけるＳＴＴＩをスケジューリングするために、様々な代替形態が可能である。１つの代替形態において、個々のＵＥは、ＲＲＣ設定を介してショートＴＴＩのためのＳＰＤＣＣＨ候補に関する情報を受信し、ショートＴＴＩのための制御チャネル、すなわちＳＰＤＣＣＨをどこで探せばよいかをＵＥに伝える。ＳＴＴＩのためのＤＣＩは、実際には、ＳＰＤＣＣＨに直接含まれる。別の代替形態において、ＳＴＴＩのためのＤＣＩは、ＰＤＣＣＨにおいて送信される低速ＤＣＩおよびＳＰＤＣＣＨにおいて送信される高速ＤＣＩという、２つの部分に分割される。低速グラントは、ショートＴＴＩ動作に使用されることになるＤＬおよびＵＬのショートＴＴＩ帯域についての周波数割当てを含むことができ、ＳＰＤＣＣＨ候補ロケーションに関する改良点も含むことが可能である。
【００２５】
ＬＴＥダウンリンク構造
時間領域において、３ＧＰＰ  ロングタームエボリューション（ＬＴＥ）ダウンリンク送信は、１０ｍｓの無線フレームに編成され、各無線フレームは、Ｔｓｕｂｆｒａｍｅ＝１ｍｓ長さの、１０個の等しいサイズのサブフレームからなる。これについては図１に示される。
【００２６】
ＬＴＥ技術は、モバイルブロードバンド無線通信技術であり、基地局（ｅＮＢと呼ばれる）から移動局（ユーザ機器（ＵＥ）と呼ばれる）への送信は、直交周波数分割多重（ＯＦＤＭ）を用いて送信される。ＯＦＤＭは信号を、周波数において複数の平行サブキャリアに分割する。ＬＴＥにおける送信の基本単位はリソースブロック（ＲＢ）であり、ＲＢは、最も一般的な設定では、通常のサイクリックプレフィックスの場合、１２個のサブキャリアおよび７つのＯＦＤＭシンボル（１つのスロット）からなる。拡張サイクリックプレフィックスの場合、ＲＢは、時間領域内の６つのＯＦＤＭシンボルからなる。物理リソースブロック（ＰＲＢ）も、物理リソースにおけるＲＢを示すための一般的な用語である。同じ１２個のサブキャリアを使用する同じサブフレーム内の２つのＰＲＢは、ＰＲＢペアと示される。これは、ＬＴＥにおいてスケジューリング可能な最小リソース単位である。
【００２７】
１つのサブキャリアおよび１つのＯＦＤＭシンボルの単位は、リソースエレメント（ＲＥ）と呼ばれる。これについては図２を参照されたい。したがって、ＰＲＢは８４個のＲＥからなる。ＬＴＥ無線サブフレームは、ＰＲＢの数がシステムの帯域幅を決定する、周波数において複数のリソースブロック、および時間において２つのスロットから構成される。これについては図３を参照されたい。
【００２８】
ユーザへの無線リンクを介して送信されるメッセージは、広義には制御メッセージまたはデータメッセージに分類することができる。制御メッセージは、システムの適切な動作、ならびにシステム内の各ＵＥの適切な動作を、容易にするために用いられる。制御メッセージは、ＵＥから送信されるパワー、データがＵＥによって受信されるかまたはＵＥから送信されることになるＲＢのシグナリング等の、機能を制御するためのコマンドを含むことができる。
【００２９】
Ｒｅｌ−８において、サブフレーム内の、設定に応じて最初の１つ〜４つのＯＦＤＭシンボルは、こうした制御情報を含むように予約される。これについては図３を参照されたい。更に、Ｒｅｌ−１１において、拡張制御チャネルが導入され（ＥＰＤＣＣＨ）、ＰＲＢペアは、排他的にＥＰＤＣＣＨ送信を含むように予約されるが、Ｒｅｌ−１１より前のリリースのＵＥへの制御情報を含む可能性のある最初の１つ〜４つの第１のシンボルを、ＰＲＢペアから除外している。
【００３０】
したがって、ＰＤＳＣＨ送信と時間多重化されるＰＤＣＣＨと対照的に、ＥＰＤＣＣＨはＰＤＳＣＨ送信と周波数多重化される。ＰＤＳＣＨ送信のためのリソース割当て（ＲＡ）は、ダウンリンク制御情報（ＤＣＩ）フォーマットに応じていくつかのＲＡタイプで存在する。いくつかのＲＡタイプは、最小スケジューリング粒度のリソースブロックグループ（ＲＢＧ）を有する。これについてはＴＳ３６．２１１を参照されたい。ＲＢＧは（周波数において）近接するリソースブロックのセットであり、ＵＥをスケジューリングするとき、ＵＥには、個別のＲＢではなくＲＢＧによってリソースが割り当てられる。
【００３１】
ＵＥがＥＰＤＣＣＨからのダウンリンクにおいてスケジューリングされるとき、ＵＥは、ＤＬ割り振りを搬送するＰＲＢペアがリソース割当てから除外されること、すなわちレートマッチングが適用されることを想定するものとする。例えば、ＵＥが、サイズ３の近接するＰＲＢペアの或るＲＢＧ内でＰＤＳＣＨをスケジューリングされ、これらのＰＲＢペアのうちの１つがＤＬ割り振りを含む場合、ＵＥは、ＰＤＳＣＨがこのＲＢＧ内の残りの２つのＰＲＢペアにおいてのみ送信されることを想定するものとする。ＰＲＢペア内のＰＤＳＣＨおよび任意のＥＰＤＣＣＨ送信の多重化は、Ｒｅｌ−１１においてサポートされていないことにも留意されたい。
【００３２】
ＰＤＣＣＨおよびＥＰＤＣＣＨは、いくつかのユーザ機器（ＵＥ）間で共有される無線リソースを介して送信される。各ＰＤＣＣＨは、（ＰＤＣＣＨが利用しているＣＣＥの数を制御することによって）リンク適合を可能にするために、制御チャネルエレメント（ＣＣＥ）として知られるより小さな部分からなる。ＰＤＣＣＨについて、ＵＥは、ＵＥ固有の検索空間について、４つのアグリゲーションレベルのＣＣＥ、すなわち１、２、４、および８、ならびに、共通検索空間について、２つのアグリゲーションレベルのＣＣＥ、すなわち４および８を、監視しなければならないことが指定される。
【００３３】
ＴＳ３６．２１３の第９．１．１項において、アグリゲーションレベルＬ∈｛１，２，４，８｝Ｌ∈｛１，２，４，８｝での検索空間
2020535721.tif 000003
が、ＰＤＣＣＨ候補のセットによって規定される。ＰＤＣＣＨが監視されるサービングセルごとに、検索空間
2020535721.tif 000004
のＰＤＣＣＨ候補ｍに対応するＣＣＥが、
2020535721.tif 000005
によって与えられる。
【００３４】
ここで、ｉ＝０，．．．，Ｌ−１である。共通検索空間について、ｍ’＝ｍである。ＰＤＣＣＨ  ＵＥ固有検索空間について、ＵＥがキャリアインジケータフィールドを有して設定される場合、ｍ’＝ｍ＋Ｍ（Ｌ）＊ｎＣＩであり、ここで、ｎＣＩは、キャリアインジケータフィールド値であり、そうでない場合、ｍ＝０，．．．，Ｍ（Ｌ）−１であるとき、ｍ’＝ｍである。Ｍ（Ｌ）は所与の検索空間内で監視するためのＰＤＣＣＨ候補の数である。各ＣＣＥは３６のＱＰＳＫ変調シンボルを含む。Ｍ（Ｌ）の値は、下記で表１に示すように、３６．２１３における表９．１．１−１によって指定される。
2020535721.tif 000006
【００３５】
ＰＤＣＣＨ処理
制御情報のチャネル符号化、スクランブル、変調、およびインターリーブの後、変調されたシンボルは制御領域内のリソースエレメントにマッピングされる。複数のＰＤＣＣＨを制御領域へと多重化するために、制御チャネルエレメント（ＣＣＥ）が規定され、各ＣＣＥは３６のリソースエレメントにマッピングされる。１つのＰＤＣＣＨは、情報ペイロードサイズおよびチャネル符号化保護の必要レベルに応じて、１、２、４、または８個のＣＣＥからなることが可能であり、この数は、ＣＣＥアグリゲーションレベル（ＡＬ）として示される。アグリゲーションレベルを選択することによって、ＰＤＣＣＨのリンク適合が得られる。全体で、サブフレーム内で送信されることになる全てのＰＤＣＣＨに使用可能なＮＣＣＥ個のＣＣＥが存在し、数ＮＣＣＥは、制御シンボルの数ｎおよび設定されるアンテナポートの数に応じて、サブフレームごとに異なる。
【００３６】
ＮＣＣＥがサブフレームごとに異なるため、端末は、そのＰＤＣＣＨに用いられるＣＣＥの位置および数をブラインド決定する必要があり、これは計算集約的な復号タスクであり得る。したがって、可能なブラインド復号の数には、端末が受ける必要のある何らかの制約が導入されている。例えば、ＣＣＥは番号付けされており、サイズＫのＣＣＥアグリゲーションレベルは、Ｋで均等に割り切れるＣＣＥ数でのみ開始可能である。これについては図４を参照されたい。
【００３７】
端末が有効なＰＤＣＣＨについてブラインド復号および検索を必要とする、ＣＣＥによって形成される候補制御チャネルのセットは、検索空間と呼ばれる。これは、端末が、スケジューリング割り振りまたは他の制御情報を監視すべきである、ＡＬ上のＣＣＥのセットである。これについては図５の例を参照されたい。各サブフレーム内、および各ＡＬ上で、端末は、その検索空間においてＣＣＥから形成可能な全てのＰＤＣＣＨを復号するよう試行することになる。ＣＲＣがチェックする場合、ＰＤＣＣＨのコンテンツは端末にとって有効であるものと想定され、受信した情報を更に処理する。２つ以上の端末がしばしば重複する検索空間を有し、ネットワークは、それらのうちの１つを制御チャネルのスケジューリングのために選択しなければならない。このことが起こると、スケジューリングされていない端末はブロッキングされたと言える。検索空間は、このブロッキングの可能性を最小限にするために、サブフレームごとに擬似ランダムに変動する。
【００３８】
検索空間は、共通部分と端末固有の部分とに更に分割される。共通検索空間では、端末の全てまたはグループに対する情報を含むＰＤＣＣＨが送信される（ページング、システム情報等）。キャリアアグリゲーションが用いられる場合、端末は１次コンポーネントキャリア（ＰＣＣ）上のみに存在する共通検索空間を見つけることになる。共通検索空間は、セル内の全ての端末に対して十分なチャネル符号保護を与えるために（ブロードキャストチャネルであるため、リンク適合は使用できない）、アグリゲーションレベル４および８に制限されている。それぞれ、８または４のＡＬにおける最初のｍ８およびｍ４のＰＤＣＣＨ（最低ＣＣＥ数を有する）は、共通検索空間に属する。システム内でのＣＣＥの効率的な使用のために、残りの検索空間は各アグリゲーションレベルにおいて端末固有である。
【００３９】
ＥＰＤＣＣＨの詳細
ＰＤＣＣＨの場合と同様に、ＥＰＤＣＣＨは、複数のＵＥによって共有される無線リソースを介して送信され、拡張ＣＣＥ（ｅＣＣＥ）はＰＤＣＣＨのためのＣＣＥに対する等価物として導入される。ｅＣＣＥは固定数のＲＥも有するが、多くのＲＥがＣＲＳおよびＣＳＩ−ＲＳ等の他の信号によって占有されているため、ＥＰＤＣＣＨマッピングに使用可能なＲＥの数は、一般に、この固定数よりも少ない。ｅＣＣＥに属するＲＥが、ＣＲＳ、ＣＳＩ−ＲＳ等の他の衝突信号、レガシー制御領域、またはＴＤＤの場合はＧＰおよびＵｐＰＴＳ３６．２１１を含む場合は必ず、符号チェーンレートマッチングが適用される。
【００４０】
Ｒｅｌ−１１において、ＥＰＤＣＣＨはＵＥ固有の検索空間のみをサポートするが、同じサブフレーム内のＰＤＣＣＨにおいて、共通検索空間は引き続き監視される。将来のリリースにおいて、共通検索空間はＥＰＤＣＣＨ送信のためにも導入され得る。
【００４１】
ＵＥは、示される制約と共に、ｅＣＣＥアグリゲーションレベル１、２、４、８、１６、および３２を監視することが指定される。
【００４２】
分散型送信において、ＥＰＤＣＣＨは最大Ｄ個までのＰＲＢペアのリソースエレメントにマッピングされ、Ｄ＝２、４、または８である（３ＧＰＰではＤ＝１６の値も検討されている）。このようにして、ＥＰＤＣＣＨメッセージについて周波数ダイバーシティが達成可能である。局在化送信において、ＥＰＤＣＣＨは、スペースが許せば１つのＰＲＢペアのみにマッピングされる（アグリゲーションレベル１および２について、ならびに、通常のサブフレームおよび通常のＣＰ長さの場合、レベル４についても、常に可能である）。ＥＰＤＣＣＨのアグリゲーションレベルが大き過ぎる場合、第２のＰＲＢペアも使用され、ＥＰＤＣＣＨに属する全てのｅＣＣＥがマッピングされるまで、更に多くのＰＲＢペアが使用され、以下同様である。
【００４３】
物理リソースへのｅＣＣＥのマッピングを容易にするために、各ＰＲＢペアは１６個の拡張リソースエレメントグループ（ｅＲＥＧ）に分割され、各ｅＣＣＥは、それぞれ、通常および拡張のサイクリックプレフィックスについて、４つまたは８つのｅＲＥＧに分割される。その結果、ＥＰＤＣＣＨは、アグリゲーションレベルに応じて、４または８の倍数のｅＲＥＧにマッピングされる。
【００４４】
ｅＰＤＣＣＨに属するこれらのｅＲＥＧは、単一のＰＲＢペア（局在化送信にとって典型的であるように）、または複数のＰＲＢペア（分散型送信にとって典型的であるように）の、いずれかにある。
【００４５】
ＥＰＤＣＣＨ候補の割り振り
３６．２１３に記載のように、ＵＥは、ＥＰＤＣＣＨ監視のための１つまたは２つのＥＰＤＣＣＨ−ＰＲＢセットを用いてより高位層によって設定される。各ＥＰＤＣＣＨ−ＰＲＢセットは、０〜ＮＥＣＣＥ，ｐ，ｋ−１を番号付けされたＥＣＣＥのセットからなり、ＮＥＣＣＥ，ｐ，ｋは、サブフレームｋのＥＰＤＣＣＨ−ＰＲＢセットｐにおけるＥＣＣＥの数である。
【００４６】
ＵＥは、ＥＰＤＣＣＨ候補のセットを監視し、すなわち、セット内の異なるアグリゲーションレベルにおける可能なＥＰＤＣＣＨの各々を復号しようと試みる。監視するＥＰＤＣＣＨ候補のセットはＥＰＤＣＣＨ  ＵＥ固有検索空間の観点で規定される。
【００４７】
ＵＥ固有検索空間のＥＰＤＣＣＨ候補ｍに対応するＥＣＣＥが以下の式において与えられる。
2020535721.tif 000007
【００４８】
ここで、Ｙｐ，ｋは、ＵＥ  ＲＮＴＩベースのオフセットを指し、Ｌはアグリゲーションレベルであり、ｉ＝０，．．．，Ｌ−１であり、ｂはキャリアインジケータフィールド値に等しく（ＵＥがこれを用いて設定される場合であり、そうでない場合、ｂ＝０である）、
2020535721.tif 000008
であり、
2020535721.tif 000009
は、ＥＰＤＣＣＨ−ＰＲＢセットｐにおけるアグリゲーションレベルＬを監視するためのＥＰＤＣＣＨ候補数である。
【００４９】
ＳＴＴＩについてのＳＰＤＣＣＨ
ショートＴＴＩ上で低レイテンシデータを即時にスケジューリングするために、新しいショートＰＤＣＣＨ（ＳＰＤＣＣＨ）を規定する必要がある。ショートＴＴＩ動作はレガシーＴＴＩ動作と共存することが望ましいため、ＳＰＤＣＣＨは、レガシーデータのためのリソースを残しながら、ＰＤＳＣＨ内の帯域内に配置されるべきである。
【００５０】
レガシー制御チャネルＰＤＣＣＨおよびＥＰＤＣＣＨは、それぞれ、ＣＲＳおよびＤＭＲＳ復調を使用する。これら両方の環境における動作のために、ＳＰＤＣＣＨはＣＲＳおよびＤＭＲＳの両方をサポートするべきであり、効率的に維持するために、ＳＰＤＣＣＨによって使用されないリソースはＳＰＤＳＣＨ（ショートＰＤＳＣＨ）によって使用されるべきである。
【００５１】
リソースエレメントへのＳＰＤＣＣＨのマッピングの規定を容易にするために、特別なエンティティ、すなわち、ショートリソースエレメントグループ（ＳＲＥＧ）およびショート制御チャネルエレメント（ＳＣＣＥ）が規定される。これは、以前のセクションで説明したように、ＰＤＣＣＨおよびｅＰＤＣＣＨを規定するためにＬＴＥ仕様においてこれまで使用された方法論に従う。同じマッピングの規定が、これらの用語を使用せずに、または同等の用語を使用して、実行可能であることも留意されたい。
【００５２】
ＳＲＥＧ設定
時間領域におけるＳＰＤＣＣＨの長さは、ＣＲＳベースのＳＰＤＣＣＨの場合、２ＯＦＤＭシンボル（ｏｓ）ＳＴＴＩおよび１スロットＳＴＴＩの双方について、１つまたは２つのＯＦＤＭシンボルであると規定される。ＤＭＲＳベースのＳＰＤＣＣＨの場合、２ｏｓ  ＳＴＴＩについて２つまたは３つのＯＦＤＭシンボルが規定され、１スロットＳＴＴＩについて２つのＯＦＤＭシンボルが規定される。ＳＲＥＧは、ＤＭＲＳベースのＳＰＤＣＣＨに適用されたＣＲＳおよび／またはＤＭＲＳのためのＲＥを含む１つのＯＦＤＭシンボル内の１つのＲＢとして規定される。
【００５３】
そして、ＳＰＤＣＣＨについてのＳＲＥＧ設定が、１つのＯＦＤＭシンボル内のＰＲＢにおけるＲＥの完全数（すなわち、１つのＯＦＤＭシンボルにおけるＳＲＥＧあたり１２個のＲＥ）として規定される。したがって、図６に示されるように、ＳＰＤＣＣＨの長さに依拠して、１つまたは複数のＳＲＥＧがＲＢに含まれる。図６は、１ＯＦＤＭシンボルＳＰＤＣＣＨ、２ＯＦＤＭシンボルＳＰＤＣＣＨおよび３ＯＦＤＭシンボルＳＰＤＣＣＨについて検討してＳＲＥＧ数を示す。各インデックス、すなわち｛０，１，２｝は、ＳＲＥＧグループを表す。
【００５４】
ＳＣＣＥ設定
所与のＳＰＤＣＣＨについてＳＣＣＥを構築するために必要なＳＲＥＧの数、ならびに、ＳＴＴＩ動作に使用される周波数リソースに沿ったそれらの配置方式は、変動可能である。ＣＲＳベースのＳＰＤＣＣＨの場合、ＳＣＣＥは、４つのＳＲＥＧによって構成されるように規定され、すなわち、１ＳＣＣＥ＝４ＳＲＥＧである。ＤＭＲＳベースのＳＰＤＣＣＨの場合、ＳＴＴＩ長に基づくＳＣＣＥ規定についていくつかのオプションが検討される。２ｏｓ  ＳＴＴＩおよび１スロットＳＴＴＩの場合、ＳＣＣＥは、４つのＳＲＥＧによって構成されるように規定される、すなわち、１ＳＣＣＥ＝４ＳＲＥＧである場合がある。３ｏｓ  ＳＴＴＩ長の事例では、ＳＣＣＥは、６つのＳＲＥＧによって構成されるように規定される、すなわち、１ＳＣＣＥ＝６ＳＲＥＧである場合がある。これは、２つのＰＲＢにわたるＤＭＲＳバンドリングがＤＭＲＳベースのＳＰＤＣＣＨに常に適用されることを想定している。
【００５５】
良好な周波数ダイバーシティまたはより局在化した配置をサポートするために、同じＳＣＣＥを構築するＳＲＥＧの局在化および分散型の配置方式が、以下のように規定される。
局在化方式：制限された周波数帯域内に限定されるＳＰＤＣＣＨリソース割当てを可能にするために、同じＳＣＣＥを構築するＳＲＥＧを周波数領域内に局在させることが可能である。これにより、ＤＭＲＳベースＳＰＤＣＣＨのためにビームフォーミングを使用することが容易になる。
分散型方式：周波数ダイバーシティ利得を可能にするために、分散型ＳＲＥＧロケーションを使用することが可能である。この場合、複数のＵＥは、異なるＲＥ上の同じＰＲＢにマッピングされたそれらのＳＰＤＣＣＨのＳＲＥＧを有し得る。広い周波数範囲にわたって分散させることにより、ＳＰＤＣＣＨを１つの単一のＯＦＤＭシンボル内により容易にフィットさせることにもなる。ＤＭＲＳベース復調を伴うＵＥの場合、分散型ＳＣＣＥロケーションを用いるユーザ固有のビームフォーミングは推奨されない。
【００５６】
更に、復調方式に基づいて、これらの方式は以下のように規定される。
−  ２つ以上のシンボルを用いて、ＣＲＳベースのＳＰＤＣＣＨについて設定されたＲＢセットの場合、局在化および分散型のＳＣＣＥ対ＳＲＥＧマッピングは、第１に周波数、第２に時間（ｆｒｅｑｕｅｎｃｙ−ｆｉｒｓｔ  ｔｉｍｅ−ｓｅｃｏｎｄ）のＳＣＣＥ対ＳＲＥＧマッピングを採用して規定される。これは、ＳＣＣＥがまず周波数領域において構築され、次に時間領域において構築されることを意味する。
−  ２つ以上のシンボルを用いて、ＤＭＲＳベースのＳＰＤＣＣＨについて設定されたＲＢセットの場合、局在化および分散型のＳＣＣＥ対ＳＲＥＧマッピングは、第１に時間、第２に周波数のＳＣＣＥ対ＳＲＥＧマッピングを採用して規定される。これは、ＳＣＣＥがまず時間領域において構築され、次に周波数領域において構築されることを意味する。
【００５７】
ＳＰＤＣＣＨのために用いることができるＰＲＢの設定
ＳＰＤＣＣＨに使用可能なＰＲＢの最大で２つのセットが、ユーザごとに設定される。局在化されたＳＰＤＣＣＨマッピングに従ってＰＲＢの１つのセットを設定し、分散型マッピングを用いて別のセットを設定するように、ＳＰＤＣＣＨに使用されるＰＲＢのいくつかのセットの設定をサポートすることが推奨される。ＵＥは両方のセットを監視し、ｅＮＢは与えられたＳＴＴＩおよびＵＥから最も好ましい設定／ＰＲＢセットを選択することができる。
【００５８】
使用可能なＳＴＴＩ帯域からの（必ずしも連続していない）ＰＲＢを含むＳＰＤＣＣＨに割り振られたＰＲＢのセットを、ＲＲＣシグナリングを介して設定可能である。ＰＲＢのセットは、必要とされるセット内のＤＬシステム帯域幅において任意のＰＲＢを割り当てる完全な柔軟性を可能にする組合せインデックス（ｃｏｍｂｉｎａｔｏｒｉａｌ  ｉｎｄｅｘ）を用いてｅＮＢによって設定される。
【００５９】
この際、設定されたＰＲＢセットは、ＰＲＢセットを形成するＳＣＣＥの総数に基づいて連続して番号付けされたＳＣＣＥのセットからなる。更に、複数のＳＰＤＣＣＨ候補を同じＳＰＤＣＣＨ  ＰＲＢセット内で設定することができるため、異なるＵＥが同じＰＲＢセットを共有することができるはずである。このため、ｅＮＢは、いくつかのＵＥのＳＤＣＩを多重化するための十分な柔軟性を得る。
【００６０】
既存の解決策に伴う問題
ＳＴＴＩ動作におけるＳＣＣＥ対ＳＲＥＧのマッピングのために、効率的な設計が依然として規定される必要がある。そのために、ＳＰＤＣＣＨのための復調方式、すなわちＣＲＳベースまたはＤＭＲＳベースのいずれかの復調方式、および局在化設定が必要とされるのか、または分散型設定が必要とされるのかを検討する必要がある。
【００６１】
本明細書に開示される実施形態の多くにおいて、ＳＰＤＣＣＨパラメータは、ＬＴＥのためのＲＲＣ等のより高位層のシグナリングを介して事前に設定されるか、または、例えばＬＴＥ仕様において事前に規定されることが想定される。典型的なＳＰＤＣＣＨパラメータは、ＵＥによって監視されるＳＰＤＣＣＨ送信に使用される、時間リソース、例えばＯＦＤＭシンボルの数、アグリゲーションレベル、およびアグリゲーションレベルごとの公称候補数である。ショートＴＴＩ（ＳＴＴＩ）動作に関する例として、下記の説明において、ＳＰＤＣＣＨのために事前に設定されるかまたは事前に規定されるＯＦＤＭシンボル（ＯＳ）の数は１、２または３とすることができる。ＳＴＴＩ動作に関する例として、アグリゲーションレベルは、最大８まで（すなわち、ＡＬ１、２、４および８）検討することができる。更に、ＵＥが、少なくとも、複数のＳＣＣＥを含む１つのＳＰＤＣＣＨ  ＲＢセットにおいて設定される。例として、本開示のいくつかの実施形態では、ＳＰＤＣＣＨ  ＲＢセットは、８つのＳＣＣＥおよび４つのＳＣＣＥのサイズで検討される。
【００６２】
ＣＲＳベースのＳＰＤＣＣＨの場合のＳＣＣＥ対ＳＲＥＧマッピング
ＳＰＤＣＣＨ  ＲＢセットは、ＣＲＳまたはＤＭＲＳ復調に基づいて設定される。これに基づいて、ＣＲＳベースのＳＰＤＣＣＨ  ＲＢセットは２つ以上のシンボルを用いて設定され、局在化および分散型のマッピングは、第１に周波数、第２に時間のＳＣＣＥ対ＳＲＥＧマッピングに基づく。更に、上述したように、ＳＣＣＥは、４つのＳＲＥＧによって構成されるように規定され、すなわち、１ＳＣＣＥ＝４ＳＲＥＧである。
【００６３】
したがって、ＳＣＣＥ対ＳＲＥＧマッピングを規定するために、１つの実施形態として、ＣＲＳベースのＳＰＤＣＣＨのためのＳＲＥＧインデックス付け、すなわち、ＵＥのＳＰＤＣＣＨ  ＲＢセットにおいて形成することができるＳＲＥＧをどのように番号付けすることができるかも、１ＯＦＤＭシンボル（ｏｓ）および２ｏｓ  ＣＲＳベースのＳＰＤＣＣＨの双方について、第１に周波数、第２に時間として規定される。
【００６４】
そのために、ＳＲＥＧは、ＣＲＳベースのＳＰＤＣＣＨ  ＲＢセット内で昇順の第１に周波数、第２に時間の方式で、０から
2020535721.tif 000010
まで番号付けされる。
2020535721.tif 000011
は、ＳＰＤＣＣＨ  ＲＢセットにおいて形成することができるＳＲＥＧの総数である。更に、ＣＲＳベースのＳＰＤＣＣＨについて高い周波数ダイバーシティを達成するために、分散型のＣＲＳベースの設定がＳＲＥＧレベルにおいて行われる。そのために、ＳＣＣＥに対応するＳＲＥＧは、ＳＰＤＣＣＨ  ＲＢセットに沿って、かつ、１つのＯＦＤＭシンボルのみから、分散される方式で選択される。
【００６５】
図７および図８は、それぞれ１ｏｓおよび２ｏｓ  ＣＲＳベースのＳＰＤＣＣＨ  ＲＢセットについての、上述したＳＲＥＧインデックス付け規定、ならびに分散型および局在化のＳＣＣＥ対ＳＲＥＧマッピング規定を示す。ここで、４つのＳＣＣＥのＳＰＤＣＣＨ  ＲＢセットサイズの例が示される。
【００６６】
いくつかの実施形態によれば、ＣＲＳベースのＳＰＤＣＣＨについて以下が規定される。
Ｉ．  １ｏｓ  ＣＲＳベースのＳＰＤＣＣＨにおける分散型のＳＣＣＥ対ＳＲＥＧマッピングについて、ＳＣＣＥインデックスｋに対応するＳＲＥＧが以下の規定によって与えられる。
2020535721.tif 000012
ここで、ｋ＝０，．．．，ＮｓＣＣＥ−１であり、ＮｓＣＣＥはＳＰＤＣＣＨ  ＲＢセット内のＳＣＣＥの数であり、ｉ＝０，．．．，ＮｓＲＥＧ／ｓＣＣＥ−１であり、
2020535721.tif 000013
は、ＳＰＤＣＣＨ  ＲＢセット内のＳＲＥＧの総数であり、ＮｓＲＥＧ／ｓＣＣＥはＳＣＣＥあたりのＳＲＥＧの数であり、すなわち、ＣＲＳベースのＳＰＤＣＣＨの場合、４ＳＲＥＧ／ＳＣＣＥである。
ＩＩ．  ２ｏｓ  ＣＲＳベースのＳＰＤＣＣＨにおけるＳＲＥＧベースの分散型マッピングについて、ＳＣＣＥインデックスｋに対応するＳＲＥＧが以下の規定によって与えられる。
2020535721.tif 000014
ここで、ｋ＝０，．．．，ＮｓＣＣＥ−１であり、ＮｓＣＣＥはＳＰＤＣＣＨ  ＲＢセット内のＳＣＣＥの数であり、ｉ＝０，．．．，ＮｓＲＥＧ／ｓＣＣＥ−１であり、ＮｓＣＣＥ／ＯＳはＳＰＤＣＣＨ  ＲＢセット内のＯＦＤＭシンボルあたりのＳＣＣＥの数であり、すなわち、
2020535721.tif 000015
である。ＮｓＲＥＧ／ＯＳはＯＦＤＭシンボルあたりのＳＲＥＧの数であり、ＮｓＲＥＧ／ｓＣＣＥはＳＣＣＥあたりのＳＲＥＧの数であり、すなわち、ＣＲＳベースのＳＰＤＣＣＨの場合、４ＳＲＥＧ／ＳＣＣＥである。
ＩＩＩ．  １ｏｓおよび２ｏｓ  ＣＲＳベースのＳＰＤＣＣＨ内のＳＲＥＧベースの局在化マッピングについて、ＳＣＣＥインデックスｋに対応するＳＲＥＧが以下の規定によって与えられる。
ｋ＊ＮｓＲＥＧ／ｓＣＣＥ＋ｉ
ここで、ｋ＝０，．．．，ＮｓＣＣＥ−１であり、ＮｓＣＣＥはＳＰＤＣＣＨ  ＲＢセット内のＳＣＣＥの数であり、ｉ＝０，．．．，ＮｓＲＥＧ／ｓＣＣＥ−１であり、ＮｓＲＥＧ／ｓＣＣＥはＳＣＣＥあたりのＳＲＥＧの数であり、すなわち、ＣＲＳベースのＳＰＤＣＣＨの場合、４ＳＲＥＧ／ＳＣＣＥである。
【００６７】
ＤＭＲＳベースのＳＰＤＣＣＨの場合のＳＣＣＥ対ＳＲＥＧマッピング
上記で説明したように、ＵＥは、ＳＴＴＩあたり最大で２つのＳＰＤＣＣＨ  ＲＢセットを監視するように設定することができる。各ＳＰＤＣＣＨ  ＲＢセットは、ＣＲＳまたはＤＭＲＳ復調に基づいて設定される。これに基づいて、ＤＭＲＳベースのＳＰＤＣＣＨ  ＲＢセットは２つ以上のシンボルを用いて設定され、局在化および分散型のマッピングは、第１に時間、第２に周波数のマッピングに基づく。更に、上述したように、ＤＭＲＳベースのＳＰＤＣＣＨの場合、ＳＴＴＩ長に基づくＳＣＣＥ規定についていくつかのオプションが検討される。２ｏｓ  ＳＴＴＩおよび１スロットＳＴＴＩの場合、ＳＣＣＥは、４つのＳＲＥＧによって構成されるように規定される、すなわち、１ＳＣＣＥ＝４ＳＲＥＧである場合がある。３ｏｓ  ＳＴＴＩ長の事例では、ＳＣＣＥは、６つのＳＲＥＧによって構成されるように規定される、すなわち、１ＳＣＣＥ＝６ＳＲＥＧである場合がある。これは、２つのＰＲＢにわたるＤＭＲＳバンドリングがＤＭＲＳベースのＳＰＤＣＣＨに常に適用されることを推定している。
【００６８】
したがって、ＳＣＣＥ対ＳＲＥＧマッピングを規定するために、１つの実施形態として、ＤＭＲＳベースのＳＰＤＣＣＨのためのＳＲＥＧインデックス付け、すなわち、ＵＥのＳＰＤＣＣＨ  ＲＢセットにおいて形成することができるＳＲＥＧがどのように番号付けされるかも、１ＯＦＤＭシンボル（ｏｓ）および２ｏｓ  ＣＲＳベースのＳＰＤＣＣＨの双方について、第１に時間、第２に周波数として規定される。
【００６９】
そのために、ＳＲＥＧは、ＤＭＲＳベースのＳＰＤＣＣＨ  ＲＢセット内で昇順の第１に時間、第２に周波数の方式で、０からＮ＿（ＳＲＥＧ＿ｔｏｔ）−１まで番号付けされる。Ｎ＿（ＳＲＥＧ＿ｔｏｔ）は、ＳＰＤＣＣＨ  ＲＢセットにおいて形成することができるＳＲＥＧの総数である。
【００７０】
更に、２つのＰＲＢにわたるＤＭＲＳバンドリングがＤＭＲＳベースの場合に常に適用されることを想定して、それぞれ２ｏｓおよび３ｏｓ  ＤＭＲＳベースのＳＰＤＣＣＨについて４ＳＲＥＧ／ＳＣＣＥおよび６ＳＲＥＧ／ＳＣＣＥが検討される。これに基づいて、これらの２つのバンドリングされたＰＲＢによって、すなわち、バンドリングされたＰＲＢ内に形成されたＳＲＥＧによって、ＳＣＣＥが構築される。それによって、ＳＣＣＥは常に局在化ＳＲＥＧ設定で構築される。
【００７１】
図９は、２ｏｓおよび３ｏｓ  ＤＭＲＳベースのＳＰＤＣＣＨ  ＲＢセットについて、上述したＳＰＥＧインデックス付け規定、ならびにＳＣＣＥ対ＳＲＥＧマッピング規定を示す。ここで、４ＳＣＣＥのＳＰＤＣＣＨ  ＲＢセットサイズの例が示される。２ＰＲＢにわたるＤＭＲＳバンドリングか想定されるため、したがって、ＳＣＣＥを構築する物理的なＲＢは、周波数領域における２つの連続したＰＲＢである。
【００７２】
このため、実施形態として、ＤＭＲＳベースのＳＰＤＣＣＨについて以下が規定される。
Ｉ．  ２ｏｓおよび３ｏｓ  ＤＭＲＳベースのＳＰＤＣＣＨにおけるＳＣＣＥ対ＳＲＥＧマッピングについて、ＳＣＣＥインデックスｋに対応するＳＲＥＧが以下の規定によって与えられる。
ｋ＊ＮｓＲＥＧ／ｓＣＣＥ＋ｉ
ここで、ｋ＝０，．．．，ＮｓＣＣＥ−１であり、ＮｓＣＣＥはＳＰＤＣＣＨ  ＲＢセット内のＳＣＣＥの数であり、ｉ＝０，．．．，ＮｓＲＥＧ／ｓＣＣＥ−１であり、ＮｓＲＥＧ／ｓＣＣＥはＳＣＣＥあたりのＳＲＥＧの数であり、すなわち、２ｏｓ  ＤＭＲＳベースのＳＰＤＣＣＨの場合、４ＳＲＥＧ／ＳＣＣＥであり、３ｏｓ  ＤＭＲＳベースのＳＰＤＣＣＨの場合、６ＳＲＥＧ／ＳＣＣＥである。
【００７３】
分散型ＤＭＲＳベースのＳＰＤＣＣＨ設定
上述したように、ＳＣＣＥは常に局在化ＳＲＥＧ設定で構築される。したがって、分散型ＤＭＲＳベースのＳＰＤＣＣＨ設定が、ＳＣＣＥレベルにおいて行われる必要がある。これは、ＳＰＤＣＣＨ候補に対応するＳＣＣＥがＳＰＤＣＣＨ  ＲＢセットにおいて分散型方式で選択されることを意味する。これに基づいて、分散型ＤＭＲＳベースの設定が１よりも高いアグリゲーションレベルにおいてのみ規定される、すなわち、アグリゲーションレベルにおけるＳＰＤＣＣＨ候補が２つ以上のＳＣＣＥを含むことが明らかとなる。
【００７４】
このため、実施形態として、１よりも高いアグリゲーションレベルについて、ＵＥのＳＰＤＣＣＨ  ＲＢセット内の分散型ＤＭＲＳベースのＳＰＤＣＣＨ候補ｍに対応するＳＣＣＥが以下のように規定される。
2020535721.tif 000016
ここで、
2020535721.tif 000017
は、より高位層のシグナリングによって設定されるＵＥのＳＣＣＥ開始オフセットであり、ｉ＝０，．．．，Ｌ−１である。Ｌはアグリゲーションレベルであり、１よりも高く、ＮｓＣＣＥはＳＰＤＣＣＨ  ＲＢセット内のＳＣＣＥの総数であり、ｍ＝０，．．．，ＭＬ−１である。ＭＬはアグリゲーションレベルＬあたりのＳＰＤＣＣＨ候補の数である。
【００７５】
図１０は、８ＳＣＣＥサイズのＳＰＤＣＣＨ  ＲＢセット、アグリゲーションレベル（ＡＬ）｛２，４｝、およびＡＬあたりの候補数ＭＬ＝｛２，２｝を用いて設定されたＵＥの例を示す。結果として得られるＳＰＤＣＣＨ候補｛Ａ，Ｂ｝は、ＡＬ２候補を表し、Ａは候補ｍ＝０に対応し、Ｂはｍ＝１に対応する。同様に、｛Ｃ，Ｄ｝はＡＬ４候補を表す。例えば、以下に示すように、ＡＬ２候補Ａは、分散される方式でＳＣＣＥ０およびＳＣＣＥ４を選択することによって形成される。同じようにして、ＡＬ４候補Ｃは、分散される方式でＳＣＣＥ０、ＳＣＣＥ２、ＳＣＣＥ４およびＳＣＣＥ６を選択することによって形成される。
【００７６】
図１１は、いくつかの実施形態による、ＵＥを動作させる方法を示す。ＵＥは、基地局から通信を受信する（ステップ１１００）。ＵＥは、基地局からの通信について、１つまたは複数のＳＣＣＥと対応するＳＲＥＧとの間のマッピングも決定する（ステップ１１０２）。ＵＥは、基地局からの通信についての、１つまたは複数のＳＣＣＥと対応するＳＲＥＧとの間のマッピングに基づいて、基地局からの通信を処理する（ステップ１１０４）。
【００７７】
図１２は、いくつかの実施形態による、基地局を動作させる方法を示す。基地局は、ＵＥへの通信について、１つまたは複数のＳＣＣＥと対応するＳＲＥＧとの間のマッピングを決定する（ステップ１２００）。基地局は、１つまたは複数のＳＣＣＥと対応するＳＲＥＧとの間のマッピングに基づいて、ＵＥへの通信を送信する（ステップ１２０２）。
【００７８】
本明細書に記載の主題は、任意の適切なコンポーネントを用いて任意の適切なタイプのシステムにおいて実施することができるが、本明細書において開示される実施形態は、図１３に示す例示的な無線ネットワーク等の無線ネットワークとの関連で説明される。簡単にするために、図１３の無線ネットワークは、ネットワーク１３０６、ネットワークノード１３６０および１３６０ｂ、ならびにＷＤ  １３１０、１３１０ｂ、および１３１０ｃのみを示す。実際には、無線ネットワークは、固定電話、サービスプロバイダ、または任意の他のネットワークノードもしくはエンドデバイス等の、無線デバイス間または無線デバイスと別の通信デバイスとの間の通信をサポートするのに適した任意の追加の要素を更に含むことができる。示されるコンポーネントのうち、ネットワークノード１３６０および無線デバイス（ＷＤ）１３１０は、更なる詳細を有して示される。無線ネットワークは、１つまたは複数の無線デバイスに通信および他のタイプのサービスを提供し、無線デバイスによる、無線ネットワークによってまたは無線ネットワークを介して提供されるサービスへのアクセスおよび／またはその使用を容易にすることができる。
【００７９】
無線ネットワークは、任意のタイプの通信、電気通信、データ、セルラおよび／もしくは無線ネットワーク、もしくは他の類似のタイプのシステムを含み、かつ／またはこれらとインターフェースすることができる。いくつかの実施形態では、無線ネットワークは、特定の規格または他のタイプの所定の規則もしくは手順に従って動作するように設定することができる。このため、無線ネットワークの特定の実施形態は、モバイル通信のためのグローバルシステム（ＧＳＭ）、ユニバーサルモバイルテレコミュニケーションシステム（ＵＭＴＳ）、ロングタームエボリューション（ＬＴＥ）および／もしくは他の適切な２Ｇ、３Ｇ、４Ｇもしくは５Ｇ規格、ＩＥＥＥ８０２．１１規格等の無線ローカルエリアネットワーク（ＷＬＡＮ）規格、ならびに／または、マイクロ波アクセスのための世界的相互運用性（ＷｉＭＡＸ）、Ｂｌｕｅｔｏｏｔｈ、Ｚ−Ｗａｖｅおよび／またはＺｉｇＢｅｅ規格等の任意の他の適切な無線通信規格等の通信規格を実施することができる。
【００８０】
ネットワーク１３０６は、１つまたは複数のバックホールネットワーク、コアネットワーク、ＩＰネットワーク、公衆交換電話ネットワーク（ＰＳＴＮ）、パケットデータネットワーク、光ネットワーク、広域ネットワーク（ＷＡＮ）、ローカルエリアネットワーク（ＬＡＮ）、無線ローカルエリアネットワーク（ＷＬＡＮ）、有線ネットワーク、無線ネットワーク、メトロポリタンエリアネットワーク、およびデバイス間の通信を可能にする他のネットワークを含むことができる。
【００８１】
ネットワークノード１３６０およびＷＤ１３１０は、以下でより詳細に説明される様々なコンポーネントを含む。これらのコンポーネントは、無線ネットワークにおける無線接続の提供等、ネットワークノードおよび／または無線デバイスの機能を提供するために協働する。異なる実施形態において、無線ネットワークは、任意の数の有線または無線ネットワーク、ネットワークノード、基地局、コントローラ、無線デバイス、中継局、ならびに／または、有線接続を介したものであっても、もしくは無線接続を介したものであっても、データおよび／もしくは信号の通信を容易にし、もしくはその通信に参加することができる任意の他のコンポーネントもしくはシステムを含むことができる。
【００８２】
本明細書において用いられるとき、ネットワークノードとは、無線デバイスおよび／または無線ネットワークにおける他のネットワークノードもしくは機器と直接または間接的に通信して、無線デバイスへの無線アクセスを可能にしかつ／もしくは提供し、かつ／または無線ネットワークにおける他の機能（例えば管理）を行うことが可能であり、そのように設定され、調整され、かつ／または動作可能な機器ケーブルを指す。ネットワークノードの例は、限定ではないが、アクセスポイント（ＡＰ）（例えば、無線アクセスポイント）、基地局（ＢＳ）（例えば、無線基地局、ノードＢ、エボルブドノードＢ（ｅＮＢ）、およびＮＲノードＢ（ｇＮＢ）を含む。）基地局は、提供するカバレッジの量（または言い換えれば送信電力レベル）に基づいてカテゴライズすることができ、その場合、フェムト基地局、ピコ基地局、マイクロ基地局またはマクロ基地局と呼ばれる場合もある。基地局は、中継ノード、または中継を制御する中継ドナーノードとすることができる。ネットワークノードは、場合によってはリモート無線ヘッド（ＲＲＨ）と呼ばれる集中型デジタルユニットおよび／またはリモート無線ユニット（ＲＲＵ）等の分散無線基地局の１つまたは複数の（または全ての）部分も含むことができる。そのようなリモート無線ユニットは、アンテナ一体型無線としてアンテナと一体化されている場合も、一体化されていない場合もある。分散無線基地局の一部分は、分散アンテナシステム（ＤＡＳＨ）においてノードと呼ばれる場合もある。ネットワークノードのまた更なる例は、マルチスタンダード無線（ＭＳＲ）ＢＳ等のＭＳＲ機器、無線ネットワークコントローラ（ＲＮＣ）または基地局コントローラ（ＢＳＣ）等のネットワークコントローラ、送受信機基地局（ＢＴＳ）、送信ポイント、送信ノード、マルチセル／マルチキャスト協調エンティティ（ＭＣＥ）、コアネットワークノード（例えば、ＭＳＣ、ＭＭＥ）、Ｏ＆Ｍノード、ＯＳＳノード、ＳＯＮノード、測位ノード（例えば、Ｅ−ＳＭＬＣ）、および／またはＭＤＴを含む。別の例として、ネットワークノードは、以下でより詳細に説明するような仮想ネットワークノードとすることができる。しかしながら、より一般的には、ネットワークノードは、無線デバイスに無線ネットワークへのアクセスを可能にし、かつ／もしくは提供するか、または無線ネットワークにアクセスした無線デバイスに何らかのサービスを提供することが可能であり、そのように設定され、調整され、かつ／または動作可能な任意の適切なデバイス（またはデバイスのグループ）を表すことができる。
【００８３】
図１３において、ネットワークノード１３６０は、処理回路１３７０と、デバイス可読媒体１３８０と、インターフェース１３９０と、補助機器１３８４と、電源１３８６と、電力回路１３８７と、アンテナ１３６２とを含む。図１３の例示的な無線ネットワークにおいて示されるネットワークノード１３６０は、ハードウェアコンポーネントの示される組合せを含むデバイスを表す場合があるが、他の実施形態は、コンポーネントの異なる組合せを有するネットワークノードを含んでもよい。ネットワークノードが、本明細書に開示されるタスク、特徴、機能および方法を実行するのに必要なハードウェアおよび／またはソフトウェアの任意の適切な組合せを含むことが理解されよう。更に、ネットワークノード１３６０のコンポーネントは、大きなボックス内に位置するか、または複数のボックス内に入れ子になった単一のボックスとして示されているが、実際には、ネットワークノードは、単一の示されるコンポーネントを構成する複数の異なる物理的コンポーネントを含んでもよい（例えば、デバイス可読媒体１３８０は、複数の別個のハードドライブおよび複数のＲＡＭモジュールを含んでもよい）。
【００８４】
同様に、ネットワークノード１３６０は、複数の物理的に別個のコンポーネント（例えば、ＮｏｄｅＢコンポーネントおよびＲＮＣコンポーネント、またはＢＴＳコンポーネントおよびＢＳＣコンポーネント等）から構成することができ、これらのコンポーネントは各々、独自のそれぞれのコンポーネントを有することができる。ネットワークノード１３６０が複数の別個のコンポーネント（例えば、ＢＴＳおよびＢＳＣコンポーネント）を含む特定のシナリオにおいて、別個のコンポーネントのうちの１つまたは複数をいくつかのネットワークノード間で共有することができる。例えば、単一のＲＮＣが、複数のＮｏｄｅＢを制御することができる。そのようなシナリオでは、各固有のＮｏｄｅＢおよびＲＮＣのペアが、いくつかの例では、単一の別個のネットワークノードとみなされる場合がある。いくつかの実施形態では、ネットワークノード１３６０は、複数の無線アクセス技術（ＲＡＴ）をサポートするように設定することができる。そのような実施形態において、いくつかのコンポーネントを複製することができ（例えば、異なるＲＡＴに別個のデバイス可読媒体１３８０）、いくつかのコンポーネントを再利用することができる（例えば、同じアンテナ１３６２を複数のＲＡＴによって共有することができる）。ネットワークノード１３６０は、例えば、ＧＳＭ、ＷＣＤＭＡ、ＬＴＥ、ＮＲ、ＷｉＦｉ、またはＢｌｕｅｔｏｏｔｈ無線技術等の、ネットワークノード１３６０に一体化される異なる無線技術のための様々な示されるコンポーネントの複数のセットも含むことができる。これらの無線技術は、同じまたは異なるチップまたはチップセット、およびネットワークノード１３６０内の他のコンポーネントに一体化され得る。
【００８５】
処理回路１３７０は、ネットワークノードによって提供されるものとして本明細書に説明された任意の決定、計算または類似の動作（例えば、特定の取得動作）を行うように設定される。処理回路１３７０によって実行されるこれらの動作は、例えば、取得された情報を他の情報に変換し、取得された情報もしくは変換された情報をネットワークノードに記憶された情報と比較し、かつ／または取得された情報もしくは変換された情報に基づいて１つまたは複数の動作を実行し、前記処理の結果として決定を行うことによって、処理回路１３７０によって取得される処理情報を含むことができる。
【００８６】
処理回路１３７０は、マイクロプロセッサ、コントローラ、マイクロコントローラ、中央処理ユニット、デジタル信号プロセッサ、特定用途向け集積回路、フィールドプログラマブルゲートアレイ、または任意の他の適切なコンピューティングデバイス、リソース、または、単独でもしくはデバイス可読媒体１３８０等の他のネットワークノード１３６０コンポーネントと併せてネットワークノード１３６０機能を提供するように動作可能なハードウェア、ソフトウェア、および／もしくは符号化されたロジックの組合せのうちの１つまたは複数の組合せを含むことができる。例えば、処理回路１３７０は、デバイス可読媒体１３８０にまたは処理回路１３７０内のメモリに記憶された命令を実行することができる。そのような機能は、本明細書に論考される様々な無線特徴、機能または利点のうちの任意のものを提供することを含むことができる。いくつかの実施形態では、処理回路１３７０は、システムオンチップ（ＳＯＣ）を含むことができる。
【００８７】
いくつかの実施形態では、処理回路１３７０は、無線周波数（ＲＦ）送受信機回路１３７２およびベースバンド処理回路１３７４のうちの１つまたは複数を含むことができる。いくつかの実施形態では、無線周波数（ＲＦ）送受信機回路１３７２およびベースバンド処理回路１３７４は、別個のチップ（またはチップセット）、基板、または無線ユニットおよびデジタルユニット等のユニット上に存在することができる。代替的な実施形態では、ＲＦ送受信機回路１３７２およびベースバンド処理回路１３７４の一部または全てが同じチップもしくはチップセット、ボード、またはユニット上に存在することができる。
【００８８】
特定の実施形態では、ネットワークノード、基地局、ｅＮＢまたは他のそのようなネットワークデバイスによって提供されるものとして本明細書に記載される機能のうちのいくつかまたは全ては、デバイス可読媒体１３８０、または処理回路１３７０内のメモリに記憶された命令を実行する処理回路１３７０によって実行することができる。代替的な実施形態では、有線接続方式等で別個のまたは離散したデバイス可読媒体に記憶された命令を実行することなく、機能のうちのいくつかまたは全てが処理回路１３７０によって提供されてもよい。これらの実施形態のうちの任意のものにおいて、デバイス可読ストレージ媒体上に記憶された命令を実行するか否かにかかわらず、処理回路１３７０は、説明された機能を実行するように設定することができる。そのような機能によって提供される利点は、処理回路１３７０単独に、またはネットワークノード１３６０の他のコンポーネントに限定されるものではなく、ネットワークノード１３６０によって全体として享受され、ならびに／またはエンドユーザおよび無線ネットワークによって全般に享受される。
【００８９】
デバイス可読媒体１３８０は、限定ではないが、永続ストレージ、ソリッドステートメモリ、遠隔設置メモリ、磁気媒体、光媒体、ランダムアクセスメモリ（ＲＡＭ）、リードオンリーメモリ（ＲＯＭ）、マスストレージ媒体（例えば、ハードディスク）、リムーバブルストレージ媒体（例えば、フラッシュドライブ、コンパクトディスク（ＣＤ）またはデジタルビデオディスク（ＤＶＤ））、ならびに／または、処理回路１３７０によって用いることができる情報、データおよび／もしくは命令を記憶する任意の他の揮発性もしくは不揮発性の非一時的デバイス可読および／もしくはコンピュータ実行可能メモリデバイスを含む、任意の形態の揮発性または不揮発性のコンピュータ可読メモリを含むことができる。デバイス可読媒体１３８０は、ロジック、ルール、コード、テーブル等のうちの１つまたは複数を含むコンピュータプログラム、ソフトウェア、アプリケーションを含む任意の適切な命令、データもしくは情報、および／または処理回路１３７０によって実行し、ネットワークノード１３６０によって利用することが可能な他の命令を記憶することができる。デバイス可読媒体１３８０を用いて、処理回路１３７０によって行われる任意の計算および／またはインターフェース１３９０を介して受信される任意のデータを記憶することができる。いくつかの実施形態では、処理回路１３７０およびデバイス可読媒体１３８０は、一体化されているとみなすことができる。
【００９０】
インターフェース１３９０は、ネットワークノード１３６０、ネットワーク１３０６、および／またはＷＤ１３１０間のシグナリングおよび／またはデータの有線または無線通信において用いられる。示されるように、インターフェース１３９０は、例えば有線接続を通じてネットワーク１３０６へおよびネットワーク１３０６からデータを送受信するポート／端子１３９４を含む。インターフェース１３９０は、アンテナ１３６２に、または特定の実施形態ではアンテナ１３６２の一部に結合することができる無線フロントエンド回路１３９２も含む。無線フロントエンド回路１３９２は、フィルタ１３９８および増幅器１３９６を含む。無線フロントエンド回路１３９２は、フィルタ１３９８および増幅器１３９６を含む。無線フロントエンド回路１３９２は、アンテナ１３６２および処理回路１３７０に接続することができる。無線フロントエンド回路は、アンテナ１３６２と処理回路１３７０との間で通信される信号を調整するように設定することができる。無線フロントエンド回路１３９２はデジタルデータを受信することができ、このデジタルデータは、他のネットワークノードまたはＷＤに無線接続を介して送出されることになる。無線フロントエンド回路１３９２は、フィルタ１３９８および／または増幅器１３９６の組合せを用いて、デジタルデータを、適切なチャネルおよび帯域幅パラメータを有する無線信号に変換することができる。次に、無線信号は、アンテナ１３６２を介して送信することができる。同様に、データを受信するとき、アンテナ１３６２は無線信号を収集することができ、次に、これらの無線信号は、無線フロントエンド回路１３９２によってデジタルデータに変換される。デジタルデータは処理回路１３７０に渡すことができる。他の実施形態では、インターフェースは、異なる複数のコンポーネントおよび／またはコンポーネントの異なる組合せを含むことができる。
【００９１】
特定の代替的な実施形態では、ネットワークノード１３６０は、別個の無線フロントエンド回路１３９２を含まない場合があり、代わりに、処理回路１３７０は無線フロントエンド回路を含んでもよく、別個の無線フロントエンド回路１３９２を有することなくアンテナ１３６２に接続されてもよい。同様に、いくつかの実施形態では、ＲＦ送受信機回路１３７２のうちの全てまたはいくつかは、インターフェース１３９０の一部とみなすことができる。更に他の実施形態では、インターフェース１３９０は、無線ユニット（図示せず）の一部として、１つまたは複数のポートまたは端子１３９４、無線フロントエンド回路１３９２、およびＲＦ送受信機回路１３７２を含むことができ、インターフェース１３９０は、デジタルユニット（図示せず）の一部であるベースバンド処理回路１３７４と通信することができる。
【００９２】
アンテナ１３６２は、無線信号を送信および／または受信するように設定された、１つまたは複数のアンテナまたはアンテナアレイを含むことができる。アンテナ１３６２は無線フロントエンド回路１３９２に結合することができ、データおよび／または信号を無線で送信および受信することが可能な任意のタイプのアンテナとすることができる。いくつかの実施形態では、アンテナ１３６２は、例えば、２ＧＨｚ〜６６ＧＨｚの無線信号を送信／受信するように動作可能な１つまたは複数の無指向性アンテナ、セクタアンテナまたはパネルアンテナを含むことができる。無指向性アンテナは、任意の方向において無線信号を送信／受信するのに用いることができ、セクタアンテナは、特定のエリア内のデバイスから無線信号を送信／受信するのに用いることができ、パネルアンテナは、比較的直線状の線において無線信号を送信／受信するのに用いられる見通し線アンテナとすることができる。いくつかの事例では、２つ以上のアンテナの使用は、ＭＩＭＯと呼ぶことができる。特定の実施形態では、アンテナ１３６２は、ネットワークノード１３６０と別個とすることができ、インターフェースまたはポートを通じてネットワークノード１３６０に接続可能とすることができる。
【００９３】
アンテナ１３６２、インターフェース１３９０および／または処理回路１３７０は、ネットワークノードによって実行されるものとして本明細書に記載される任意の受信動作および／または特定の取得動作を行うように設定することができる。任意の情報、データおよび／または信号は、無線デバイス、別のネットワークノードおよび／または任意の他のネットワーク機器から受信することができる。同様に、アンテナ１３６２、インターフェース１３９０および／または処理回路１３７０は、ネットワークノードによって実行されるものとして本明細書に記載される任意の送信動作を行うように設定することができる。任意の情報、データおよび／または信号は、無線デバイス、別のネットワークノードおよび／または任意の他のネットワーク機器に送信することができる。
【００９４】
電力回路１３８７は、電力管理回路を含むかまたはこれに結合することができ、ネットワークノード１３６０のコンポーネントに、本明細書に記載の機能を実行するための電力を供給するように設定される。電力回路１３８７は、電源１３８６から電力を受信することができる。電源１３８６および／または電力回路１３８７は、それぞれのコンポーネントに適した形態で（例えば、各それぞれのコンポーネントに必要な電圧および電流レベルで）ネットワークノード１３６０の様々なコンポーネントに電力を提供するように設定することができる。電源１３８６は、電力回路１３８７および／またはネットワークノード１３６０に含まれてもよく、またはこれらの外部にあってもよい。例えば、ネットワークノード１３６０は、入力回路、または電気ケーブル等のインターフェースを介して外部電源（例えば、電気アウトレット）に接続可能とすることができ、これによって外部電源は電力回路１３８７に電源を供給する。更なる例として、電源１３８６は、電力回路１３８７に接続されるかまたは一体化されたバッテリまたはバッテリパックの形態の電源を含むことができる。バッテリは、外部電源が故障した場合のバックアップ電力を提供することができる。光起電デバイス等の他のタイプの電源も使用することができる。
【００９５】
ネットワークノード１３６０の代替的な実施形態は、本明細書に記載の機能のうちの任意のものおよび／または本明細書に記載の主題をサポートするのに必要な任意の機能を含む、ネットワークノードの機能の特定の態様を提供する役割を果たすことができる、図１３に示すもの以外の追加のコンポーネントを含んでもよい。例えば、ネットワークノード１３６０は、ネットワークノード１３６０への情報の入力を可能にし、ネットワークノード１３６０からの情報の出力を可能にするユーザインターフェース機器を含むことができる。これは、ユーザが、ネットワークノード１３６０のための診断、維持、修理および他の管理機能を実行することを可能にすることができる。
【００９６】
本明細書において用いられるとき、無線デバイス（ＷＤ）は、ネットワークノードおよび／または他の無線デバイスと無線で通信することが可能であり、そのように設定され、調整され、かつ／または動作可能なデバイスを指す。別段の記載がない限り、ＷＤという用語は、本明細書において、ユーザ機器（ＵＥ）と交換可能に用いることができる。無線で通信することは、電磁波、電波、赤外線波、および／または空中で情報を伝達するのに適した他のタイプの信号を用いて無線信号を送信および／または受信することを含むことができる。いくつかの実施形態では、ＷＤは、直接的な人間の対話を行うことなく情報を送信および／または受信するように設定することができる。例えば、ＷＤは、内部もしくは外部イベントによってトリガされたとき、またはネットワークからの要求に応じて、所定のスケジュールで情報をネットワークに送信するように設計することができる。ＷＤの例は、限定ではないが、スマートフォン、モバイルフォン、携帯電話、ボイスオーバーＩＰ（ＶｏＩＰ）電話、無線ローカルループフォン、デスクトップコンピュータ、携帯情報端末（ＰＤＡ）、無線カメラ、ゲームコンソールまたはデバイス、音楽ストレージデバイス、再生機器、ウェアラブル端末デバイス、無線エンドポイント、移動局、タブレット、ラップトップ、ラップトップ埋込み型機器（ＬＥＥ）、ラップトップ搭載型機器（ＬＭＥ）、スマートデバイス、無線顧客構内機器（ＣＰＥ）、車両搭載型無線端末デバイス等を含む。ＷＤは、例えば、サイドリンク通信、車両間（Ｖ２Ｖ）、車両対インフラストラクチャ（Ｖ２Ｉ）、車両対あらゆるもの（ｖｅｈｉｃｌｅ−ｔｏ−ｅｖｅｒｙｔｈｉｎｇ）（Ｖ２Ｘ）のための３ＧＰＰ規格を実施することによって、デバイスツーデバイス（Ｄ２Ｄ）通信をサポートすることができ、この場合、Ｄ２Ｄ通信デバイスと呼ぶことができる。更に別の特定の例として、モノのインターネット（ＩｏＴ）のシナリオにおいて、ＷＤは、監視および／または測定を行い、そのような監視および／または測定の結果を別のＷＤおよび／またはネットワークノードに送信するマシンまたは他のデバイスを表すことができる。ＷＤは、この場合、マシンツーマシン（Ｍ２Ｍ）デバイスである場合があり、３ＧＰＰとの関連において、ＭＴＣデバイスと呼ばれる場合もある。１つの特定の例として、ＷＤは、３ＧＰＰ狭帯域のモノのインターネット（ＮＭ−ＩｏＴ）規格を実施するＵＥとすることができる。そのようなマシンまたはデバイスの特定の例は、センサ、電力メータ等の計量デバイス、産業機械、または家庭用もしくは個人用電気機器（例えば、冷蔵庫、テレビ等）、個人用ウェアラブル（例えば、腕時計、フィットネストラッカ等）である。他のシナリオでは、ＷＤは、その動作ステータス、またはその動作に関連付けられた他の機能に関して監視および／または報告することが可能な車両または他の機器を表すことができる。上記で説明したＷＤは、無線接続のエンドポイントを表すことができ、この場合、デバイスは無線端末と呼ぶことができる。更に、上記で説明したようなＷＤはモバイルとすることができ、この場合、モバイルデバイスまたはモバイル端末と呼ばれる場合もある。
【００９７】
示すように、無線デバイス１３１０は、アンテナ１３１１と、インターフェース１３１４と、処理回路１３２０と、デバイス可読媒体１３３０と、ユーザインターフェース機器１３３２と、補助機器１３３４と、電源１３３６と、電力回路１３３７とを含むことができる。ＷＤ１３１０は、いくつか例を挙げると、例えば、ＧＳＭ、ＷＣＤＭＡ、ＬＴＥ、ＮＲ、ＷｉＦｉ、ＷｉＭＡＸまたはＢｌｕｅｔｏｏｔｈ無線技術等の、ＷＤ１３１０によってサポートされる様々な無線技術について、示されるコンポーネントのうちの１つまたは複数の、複数のセットを含むことができる。これらの無線技術は、ＷＤ１３１０内のコンポーネントと同じまたは異なるチップまたはチップセットに一体化することができる。
【００９８】
アンテナ１３１１は、無線信号を送信および／または受信するように設定され、インターフェース１３１４に接続された、１つまたは複数のアンテナまたはアンテナアレイを含むことができる。特定の代替的な実施形態において、アンテナ１３１１は、ＷＤ１３１０と別個にすることができ、インターフェースまたはポートを通じてＷＤ１３１０に接続可能とすることができる。アンテナ１３１１、インターフェース１３１４および／または処理回路１３２０は、本明細書においてＷＤによって実行されるものとして説明される任意の受信または送信動作を行うように設定することができる。任意の情報、データおよび／または信号を、ネットワークノードおよび／または別のＷＤから受信することができる。いくつかの実施形態では、無線フロントエンド回路および／またはアンテナ１３１１はインターフェースとみなすことができる。
【００９９】
示されるように、インターフェース１３１４は、無線フロントエンド回路１３１２およびアンテナ１３１１を含む。無線フロントエンド回路１３１２は、１つまたは複数のフィルタ１３１８および増幅器１３１６を含む。無線フロントエンド回路１３１２は、アンテナ１３１１および処理回路１３２０に接続され、アンテナ１３１１と処理回路１３２０との間で通信される信号を調整するように設定される。無線フロントエンド回路１３１２は、アンテナ１３１１に結合されてもよく、またはアンテナ１３１１の一部であってもよい。いくつかの実施形態では、ＷＤ１３１０は、別個の無線フロントエンド回路１３１２を含まない場合があり、むしろ、処理回路１３２０が無線フロントエンド回路を含む場合があり、アンテナ１３１１に接続される場合がある。同様に、いくつかの実施形態では、ＲＦ送受信機回路１３２２のうちのいくつかまたは全てをインターフェース１３１４の一部とみなすことができる。無線フロントエンド回路１３１２は、デジタルデータを受信することができ、このデジタルデータは、無線接続を介して他のネットワークノードまたはＷＤに送出されることになる。無線フロントエンド回路１３１２は、フィルタ１３１８および／または増幅器１３１６の組合せを用いて、デジタルデータを、適切なチャネルおよび帯域幅パラメータを有する無線信号に変換することができる。次に、無線信号は、アンテナ１３１１を介して送信することができる。同様に、データを受信するとき、アンテナ１３１１は無線信号を収集することができ、次に、これらの無線信号は、無線フロントエンド回路１３１２によってデジタルデータに変換される。デジタルデータは処理回路１３２０に渡すことができる。他の実施形態では、インターフェースは、異なるコンポーネントおよび／またはコンポーネントの異なる組合せを含むことができる。
【０１００】
処理回路１３２０は、マイクロプロセッサ、コントローラ、マイクロコントローラ、中央処理ユニット、デジタル信号プロセッサ、特定用途向け集積回路、フィールドプログラマブルゲートアレイ、もしくは任意の他の適切なコンピューティングデバイス、リソースのうちの１つまたは複数の組合せ、または、単独でもしくはデバイス可読媒体１３３０等の他のＷＤ１３１０コンポーネントと併せてＷＤ１３１０機能を提供するように動作可能な、ハードウェア、ソフトウェアおよび／もしくは符号化ロジックの組合せを含むことができる。そのような機能は、本明細書に論考される様々な無線特徴または利点のうちの任意のものを提供することを含むことができる。例えば、処理回路１３２０は、本明細書に開示される機能を提供するためにデバイス可読媒体１３３０にまたは処理回路１３２０内のメモリに記憶された命令を実行することができる。
【０１０１】
示されるように、処理回路１３２０は、ＲＦ送受信機回路１３２２、ベースバンド処理回路１３２４およびアプリケーション処理回路１３２６のうちの１つまたは複数を含むことができる。他の実施形態では、処理回路は、異なる複数のコンポーネントおよび／またはコンポーネントの異なる組合せを含むことができる。特定の実施形態では、ＷＤ１３１０の処理回路１３２０は、ＳＯＣを含むことができる。いくつかの実施形態では、ＲＦ送受信機回路１３２２、ベースバンド処理回路１３２４およびアプリケーション処理回路１３２６は、別個のチップまたはチップセット上にあってもよい。代替的な実施形態では、ベースバンド処理回路１３２４およびアプリケーション処理回路１３２６の一部または全てを組み合わせて１つのチップまたはチップセットにしてもよく、ＲＦ送受信機回路１３２２は、別個のチップまたはチップセット上にあってもよい。更に代替的な実施形態では、ＲＦ送受信機回路１３２２およびベースバンド処理回路１３２４の一部または全てが同じチップまたはチップセット上にあってもよく、アプリケーション処理回路１３２６は、別個のチップまたはチップセット上にあってもよい。更に他の代替的な実施形態では、ＲＦ送受信機回路１３２２、ベースバンド処理回路１３２４およびアプリケーション処理回路１３２６の一部または全てが、同じチップまたはチップセットにおいて組み合わされていてもよい。いくつかの実施形態では、ＲＦ送受信機回路１３２２は、インターフェース１３１４の一部分とすることができる。ＲＦ送受信機回路１３２２は、処理回路１３２０のためのＲＦ信号を調整することができる。
【０１０２】
特定の実施形態において、ＷＤによって実行されるものとして本明細書において記載されている機能のうちのいくつかまたは全ては、デバイス可読媒体１３３０上に記憶された命令を実行する処理回路１３２０によって提供することができ、このデバイス可読媒体１３３０は、特定の実施形態では、コンピュータ可読ストレージ媒体とすることができる。代替的な実施形態では、有線方式等で別個のまたは離散したデバイス可読ストレージ媒体上に記憶された命令を実行することなく、機能のうちのいくつかまたは全てが処理回路１３２０によって提供されてもよい。これらの特定の実施形態のうちの任意のものにおいて、デバイス可読ストレージ媒体上に記憶された命令を実行するか否かにかかわらず、処理回路１３２０は、説明された機能を実行するように設定することができる。そのような機能によって提供される利点は、処理回路１３２０単独に、またはＷＤ１３１０の他のコンポーネントに限定されるものではなく、ＷＤ１３１０によって全体として享受され、ならびに／またはエンドユーザおよび無線ネットワークによって全般に享受される。
【０１０３】
処理回路１３２０は、本明細書においてＷＤによって実行されるものとして記載された任意の決定、計算または類似の動作（例えば、特定の取得動作）を行うように設定することができる。処理回路１３２０によって実行されるときのこれらの動作は、例えば、取得された情報を他の情報に変換し、取得された情報または変換された情報をＷＤ１３１０によって記憶された情報と比較し、かつ／または取得された情報もしくは変換された情報に基づいて１つまたは複数の動作を実行し、前記処理の結果として決定を行うことによって、処理回路１３２０によって取得される処理情報を含むことができる。
【０１０４】
デバイス可読媒体１３３０は、ロジック、ルール、コード、テーブル等のうちの１つまたは複数を含むコンピュータプログラム、ソフトウェア、アプリケーション、および／または処理回路１３２０によって実行することが可能な他の命令を記憶するように動作可能とことができる。デバイス可読媒体１３３０は、コンピュータメモリ（例えば、ランダムアクセスメモリ（ＲＡＭ）またはリードオンリーメモリ（ＲＯＭ））、マスストレージ媒体（例えば、ハードディスク）、リムーバブルストレージ媒体（例えば、コンパクトディスク（ＣＤ）またはデジタルビデオディスク（ＤＶＤ））、ならびに／または、処理回路１３２０によって用いることができる情報、データおよび／もしくは命令を記憶する任意の他の揮発性もしくは不揮発性の非一時的デバイス可読および／もしくはコンピュータ実行可能メモリデバイスを含むことができる。いくつかの実施形態では、処理回路１３２０およびデバイス可読媒体１３３０は、一体化されているとみなすことができる。
【０１０５】
ユーザインターフェース機器１３３２は、人間のユーザがＷＤ１３１０とインタラクトすることを可能にするコンポーネントを提供することができる。そのようなインタラクションは、視覚、聴覚、触覚等の多くの形態をとることができる。ユーザインターフェース機器１３３２は、ユーザへの出力を生成し、ユーザがＷＤ１３１０に入力を提供することを可能にするように動作可能であり得る。インタラクションのタイプは、ＷＤ１３１０に設置されたユーザインターフェース機器１３３２のタイプに依拠して変動する場合がある。例えば、ＷＤ１３１０がスマートフォンである場合、インタラクションはタッチスクリーンを介したものであり得、ＷＤ１３１０がスマートメータである場合、インタラクションは、使用量（例えば使用ガロン数）を提供するスクリーン、または可聴アラート（例えば煙が検出される場合）を提供するスピーカを通じたものであり得る。ユーザインターフェース機器１３３２は、入力インターフェース、デバイスおよび回路と、出力インターフェース、デバイスおよび回路とを含むことができる。ユーザインターフェース機器１３３２は、ＷＤ１３１０への情報の入力を可能にするように設定され、処理回路１３２０が入力情報を処理することを可能にするために処理回路１３２０に接続される。ユーザインターフェース機器１３３２は、例えば、マイクロフォン、近接性または他のセンサ、キー／ボタン、タッチディスプレイ、１つまたは複数のカメラ、ＵＳＢポートまたは他の入力回路を含むことができる。ユーザインターフェース機器１３３２は、ＷＤ１３１０からの情報の出力を可能にし、処理回路１３２０がＷＤ１３１０からの情報を出力することを可能にするようにも設定される。ユーザインターフェース機器１３３２は、例えば、スピーカ、ディスプレイ、振動回路、ＵＳＢポート、ヘッドフォンインターフェースまたは他の出力回路を含むことができる。ユーザインターフェース機器１３３２の１つまたは複数の入力および出力インターフェース、デバイスおよび回路を用いて、ＷＤ１３１０は、エンドユーザおよび／または無線ネットワークと通信し、これらが本明細書に記載の機能から利益を受けることを可能にすることができる。
【０１０６】
補助機器１３３４は、通常、ＷＤによって実行されない場合がある、より特殊な機能を提供するように動作可能である。これは、様々な目的で測定を行うための専用センサ、有線通信等の更なるタイプの通信のためのインターフェース等を含むことができる。補助機器１３３４のコンポーネントを含めることおよびこのコンポーネントのタイプは、実施形態および／またはシナリオに依拠して変動し得る。
【０１０７】
電源１３３６は、いくつかの実施形態では、バッテリまたはバッテリパックの形態をとる場合がある。外部電源（例えば、電気アウトレット）、光起電デバイス、または電池等の他のタイプの電源も用いることができる。ＷＤ１３１０は、本明細書に記載されるかまたは示される任意の機能を実行するために電源１３３６からの電力を必要とするＷＤ１３１０の様々な部分に、電源１３３６から電力を送達するための電力回路１３３７も更に備えることができる。特定の実施形態では、電力回路１３３７は、電力管理回路を含むことができる。電力回路１３３７は、更にまたは代替的に、外部電源から電力を受け取るように動作可能とすることができ、その場合、ＷＤ１３１０は、入力回路、または電力ケーブル等のインターフェースを介して外部電源（電気アウトレット等）に接続可能とすることができる。電力回路１３３７は、特定の実施形態では、外部電源から電源１３３６に電力を送達するように動作可能でもあり得る。これは、例えば、電源１３３６の充電のためであり得る。電力回路１３３７は、電源１３３６からの電力に対し任意のフォーマット設定、変換または他の変更を行い、電力が供給されるＷＤ１３１０のそれぞれのコンポーネントに適した電力を生成することができる。
【０１０８】
図１４は、本明細書に記載の様々な態様によるＵＥの１つの実施形態を示す。本明細書において用いられるとき、ユーザ機器またはＵＥは、必ずしも、関連デバイスを所有および／または操作する人間のユーザの意味でのユーザを有しない場合がある。代わりに、ＵＥは、人間のユーザへの販売または人間のユーザによる動作が意図されているが、特定の人間のユーザに関連付けられていない場合があるか、または最初は関連付けられていないデバイス（例えば、スマートスプリンクラーコントローラ）を表す場合がある。代替的に、ＵＥは、エンドユーザへの販売またはエンドユーザによる動作が意図されていないが、ユーザの利益に関連し得るかまたはそのために動作し得るデバイス（例えば、スマートパワーメータ）を表す場合がある。ＵＥ１４２００は、ＮＢ−ＩｏＴ  ＵＥ、マシンタイプ通信（ＭＴＣ）ＵＥ、および／または拡張型ＭＴＣ（ｅＭＴＣ）ＵＥを含む、第３世代パートナーシッププロジェクト（３ＧＰＰ）によって識別される任意のＵＥとすることができる。ＵＥ１４００は、図１４に示されているように、第３世代パートナーシッププロジェクト（３ＧＰＰ）のＧＳＭ、ＵＭＴＳ、ＬＴＥおよび／または５Ｇ規格等の、３ＧＰＰによって公布された１つまたは複数の通信規格に従う通信のために設定されたＷＤの１つの例である。上述したように、ＷＤおよびＵＥという用語は、交換可能に用いることができる。したがって、図１４はＵＥであるが、本明細書において論考されるコンポーネントはＷＤに等しく適用可能であり、逆もまた同様である。
【０１０９】
図１４において、ＵＥ１４００は、入出力インターフェース１４０５、無線周波数（ＲＦ）インターフェース１４０９、ネットワーク接続インターフェース１４１１、ランダムアクセスメモリ（ＲＡＭ）１４１７、リードオンリーメモリ（ＲＯＭ）１４１９およびストレージ媒体１４２１等を含むメモリ１４１５、通信サブシステム１４３１、電源１４１３および／もしくは任意の他のコンポーネント、またはこれらの任意の組合せに作動的に連結される処理回路１４０１を含む。ストレージ媒体１４２１は、オペレーティングシステム１４２３、アプリケーションプログラム１４２５およびデータ１４２７を含む。他の実施形態において、ストレージ媒体１４２１は、他の類似のタイプの情報を含むことができる。特定のＵＥは、図１４に示すコンポーネントの全て、またはコンポーネントのサブセットのみを利用することができる。コンポーネント間の統合レベルは、ＵＥ間で変動する場合がある。更に、特定のＵＥは、複数のプロセッサ、メモリ、送受信機、送信機、受信機等のコンポーネントの複数のインスタンスを含むことができる。
【０１１０】
図１４において、処理回路１４０１は、コンピュータ命令およびデータを処理するように設定することができる。処理回路１４０１は、（例えば、ディスクリートロジック、ＦＰＧＡ、ＡＳＩＣ等における）１つまたは複数のハードウェア実施状態マシン等の、メモリ内のマシン可読コンピュータプログラムとして記憶されたマシン命令を実行するように動作可能な任意の連続状態マシン；適切なファームウェアと共にプログラマブルロジック；適切なソフトウェアと共に、マイクロプロセッサまたはデジタル信号プロセッサ（ＤＳＰ）等の１つまたは複数のプログラム内蔵方式汎用プロセッサ；または上記の任意の組合せを実施するように設定することができる。例えば、処理回路１４０１は、２つの中央処理ユニット（ＣＰＵ）を含むことができる。データは、コンピュータによる使用に適した形態の情報とすることができる。
【０１１１】
示される実施形態において、入出力インターフェース１４０５は、入力デバイス、出力デバイス、または入力および出力デバイスへの通信インターフェースを提供するように設定することができる。ＵＥ１４００は、入出力インターフェース１４０５を介して出力デバイスを用いるように設定することができる。出力デバイスは、入力デバイスと同じタイプのインターフェースポートを用いることができる。例えば、ＵＳＢポートを用いて、ＵＥ１４００への入力およびＵＥ１４００への出力を提供することができる。出力デバイスは、スピーカ、サウンドカード、ビデオカード、ディスプレイ、モニタ、プリンタ、アクチュエータ、エミッタ、スマートカード、別の出力デバイス、またはこれらの任意の組合せとすることができる。ＵＥ１４００は、入力デバイスを用いて、入出力インターフェース１４０５を介してユーザがＵＥ１４００内に情報を捕捉することを可能にするように設定することができる。入力デバイスは、タッチセンシティブまたはプレゼンスセンシティブディスプレイ、カメラ（例えば、デジタルカメラ、デジタルビデオカメラ、ウェブカメラ等）、マイクロフォン、センサ、マウス、トラックボール、方向パッド、トラックパッド、スクロールホイール、スマートカード等を含むことができる。プレゼンスセンシティブディスプレイは、ユーザからの入力を検知する容量性または抵抗性タッチセンサを含むことができる。センサは、例えば、加速度計、ジャイロスコープ、傾きセンサ、力センサ、磁力計、光センサ、近接センサ、別の類似のセンサ、またはこれらの任意の組合せを含むことができる。例えば、入力デバイスは、加速度計、磁力計、デジタルカメラ、マイクロフォンおよび光センサを含むことができる。
【０１１２】
図１４において、ＲＦインターフェース１４０９は、送信機、受信機およびアンテナ等のＲＦコンポーネントへの通信インターフェースを提供するように設定することができる。ネットワーク接続インターフェース１４１１は、ネットワーク１４４３ａへの通信インターフェースを提供するように設定することができる。ネットワーク１４４３ａは、ローカルエリアネットワーク（ＬＡＮ）、広域ネットワーク（ＷＡＮ）、コンピュータネットワーク、無線ネットワーク、電気通信ネットワーク、別の類似のネットワークまたはこれらの任意の組合せ等の有線および／または無線ネットワークを包含することができる。例えば、ネットワーク１４４３ａはＷｉ−Ｆｉネットワークを含むことができる。ネットワーク接続インターフェース１４１１は、Ｅｔｈｅｒｎｅｔ、ＴＣＰ／ＩＰ、ＳＯＮＥＴ、ＡＴＭ等の１つまたは複数の通信プロトコルに従って通信ネットワークを介して１つまたは複数の他のデバイスと通信するのに用いられる受信機および送信機インターフェースを含むように設定することができる。ネットワーク接続インターフェース１４１１は、通信ネットワークリンク（例えば、光、電気等）に適切な受信機および送信機機能を実施することができる。送信機および受信機機能は、回路コンポーネント、ソフトウェアもしくはファームウェアを共有することができるか、または代替的に別個に実施されてもよい。
【０１１３】
ＲＡＭ１４１７は、バス１４０２を介して処理回路１４０１とインターフェースし、オペレーティングシステム、アプリケーションプログラムおよびデバイスドライバ等のソフトウェアプログラムの実行中にデータまたはコンピュータ命令のストレージまたはキャッシュを提供するように設定することができる。ＲＯＭ１４１９は、コンピュータ命令またはデータを処理回路１４０１に提供するように設定することができる。例えば、ＲＯＭ１４１９は、基本入力および出力（Ｉ／Ｏ）、スタートアップ、または不揮発性メモリに記憶されたキーボードからのキーストロークの受信等の基本システム機能のための不変低レベルシステムコードまたはデータを記憶するように設定することができる。ストレージ媒体１４２１は、ＲＡＭ、ＲＯＭ、プログラマブルリードオンリーメモリ（ＰＲＯＭ）、消去可能プログラマブルリードオンリーメモリ（ＥＰＲＯＭ）、電気的消去可能プログラマブルリードオンリーメモリ（ＥＥＰＲＯＭ）、磁気ディスク、光ディスク、フロッピーディスク、ハードディスク、リムーバブルカートリッジまたはフラッシュドライブ等のメモリを含むように設定することができる。１つの例では、ストレージ媒体１４２１は、オペレーティングシステム１４２３、ウェブブラウザアプリケーション等のアプリケーションプログラム１４２５、ウィジェットもしくはガジェットエンジンまたは別のアプリケーション、およびデータファイル１４２７を含むように設定することができる。ストレージ媒体１４２１は、ＵＥ１４００による使用のために、多岐にわたる様々なオペレーティングシステム、またはオペレーティングシステムの組合せのうちの任意のものを記憶することができる。
【０１１４】
ストレージ媒体１４２１は、独立ディスクの冗長アレイ（ＲＡＩＤ）、フロッピーディスク、フラッシュメモリ、ＵＳＢフラッシュドライブ、外部ハードディスクドライブ、サムドライブ、ペンドライブ、キードライブ、高密度デジタル多用途ディスク（ＨＤ−ＤＶＤ）光ディスクドライブ、内部ハードディスクドライブ、ブルーレイ光ディスクドライブ、ホログラフィックデジタルデータストレージ（ＨＤＤＳ）光ディスクドライブ、外部ミニデュアルインラインメモリモジュール（ＤＩＭＭ）、同期ダイナミックランダムアクセスメモリ（ＳＤＲＡＭ）、外部マイクロＤＩＭＭ  ＳＤＲＡＭ、加入者アイデンティティモジュールまたはリムーバブルユーザアイデンティティ（ＳＩＭ／ＲＵ）モジュール等のスマートカードメモリ、他のメモリ、またはこれらの任意の組合せ等の複数の物理ドライブユニットを含むように設定することができる。ストレージ媒体１４２１は、データをオフロードまたはアップロードするために、ＵＥ１４００が、一時的メモリ媒体または非一時的メモリ媒体に記憶された、コンピュータ実行可能命令、アプリケーションプログラム等にアクセスすることを許可することができる。通信システムを利用するもの等の製造品を、ストレージ媒体１４２１に有形に埋め込むことができる。ストレージ媒体は、デバイス可読媒体を含むことができる。
【０１１５】
図１４において、処理回路１４０１は、通信サブシステム１４３１を用いてネットワーク１４４３ｂと通信するように設定することができる。ネットワーク１４４３ａおよびネットワーク１４４３ｂは、１つまたは複数の同じネットワークまたは異なるネットワークとすることができる。通信サブシステム１４３１は、ネットワーク１４４３ｂと通信するのに用いられる１つまたは複数の送受信機を含むように設定することができる。例えば、通信サブシステム１４３１は、ＩＥＥＥ８０２．１４、ＣＤＭＡ、ＷＣＤＭＡ、ＧＳＭ、ＬＴＥ、ＵＴＲＡＮ、ＷｉＭａｘ等のような１つまたは複数の通信プロトコルに従って、無線アクセスネットワーク（ＲＡＮ）の別のＷＤ、ＵＥまたは基地局等の、無線通信が可能な別のデバイスの１つまたは複数のリモート送受信機と通信するのに用いられる１つまたは複数の送受信機を含むように設定することができる。各送受信機は、それぞれ、ＲＡＮリンクに適した送信機機能または受信機機能（例えば周波数割当て等）を実施するための送信機１４３３および／または受信機１４３５を含むことができる。更に、各送受信機の送信機１４３３および受信機１４３５は、回路コンポーネント、ソフトウェアもしくはファームウェアを共有してもよく、または代替的に、別個に実施されてもよい。
【０１１６】
示される実施形態では、通信サブシステム１４３１の通信機能は、データ通信、ボイス通信、マルチメディア通信、Ｂｌｕｅｔｏｏｔｈ等の短距離通信、近距離通信、位置を特定するためのグローバルポジショニングシステム（ＧＰＳ）の使用等の位置ベースの通信、別の同様の通信機能、またはこれらの任意の組合せを含むことができる。例えば、通信サブシステム１４３１は、セルラ通信、Ｗｉ−Ｆｉ通信、Ｂｌｕｅｔｏｏｔｈ通信およびＧＰＳ通信を含むことができる。ネットワーク１４４３ｂは、ローカルエリアネットワーク（ＬＡＮ）、広域ネットワーク（ＷＡＮ）、コンピュータネットワーク、無線ネットワーク、電気通信ネットワーク、別の同様のネットワーク、またはこれらの任意の組合せ等の有線および／または無線ネットワークを包含することができる。例えば、ネットワーク１４４３ｂは、セルラネットワーク、Ｗｉ−Ｆｉネットワークおよび／または近距離場ネットワークとすることができる。電源１４１３は、ＵＥ１４００のコンポーネントに交流（ＡＣ）または直流（ＤＣ）電力を提供するように設定することができる。
【０１１７】
本明細書に記載の特徴、利点および／または機能は、ＵＥ１４００のコンポーネントのうちの１つにおいて実施されてもよく、またはＵＥ１４００の複数のコンポーネントにわたって分割されてもよい。更に、本明細書に記載の特徴、利点および／または機能は、ハードウェア、ソフトウェアまたはファームウェアの任意の組合せで実施することができる。１つの例では、通信サブシステム１４３１は、本明細書に記載のコンポーネントのうちの任意のものを含むように設定することができる。更に、処理回路１４０１は、バス１４０２を通じて、そのようなコンポーネントのうちの任意のものと通信するように設定することができる。別の例では、そのようなコンポーネントのうちの任意のものは、処理回路１４０１によって実行されると、本明細書に記載の対応する機能を実行するメモリに記憶されたプログラム命令によって表すことができる。別の例では、そのようなコンポーネントのうちの任意のものの機能は、処理回路１４０１と通信サブシステム１４３１との間で分割することができる。別の例では、そのようなコンポーネントのうちの任意のものの計算集約的でない機能をソフトウェアまたはファームウェアで実施し、計算集約的機能をハードウェアで実施することができる。
【０１１８】
図１５は、いくつかの実施形態によって実施される機能を仮想化することができる仮想化環境１５００を示す概略ブロック図である。この関連において、仮想化とは、ハードウェアプラットフォーム、ストレージデバイスおよびネットワーキングリソースを仮想化することを含むことができる装置またはデバイスの仮想バージョンの作成を意味する。本明細書において用いられるとき、仮想化は、ノード（例えば、仮想化された基地局または仮想化された無線アクセスノード）、またはデバイス（例えば、ＵＥ、無線デバイスまたは任意の他のタイプの通信デバイス）もしくはそのコンポーネントに適用することができ、機能のうちの少なくとも一部分が１つまたは複数の仮想コンポーネントとして（例えば、１つもしくは複数のネットワークにおいて１つもしくは複数の物理的処理ノード上で実行される、１つまたは複数のアプリケーション、コンポーネント、機能、仮想マシンまたはコンテナを介して）実施される実施態様に関する。
【０１１９】
いくつかの実施形態では、本明細書に記載の機能のうちのいくつかまたは全ては、ハードウェアノード１５３０のうちの１つまたは複数によってホストされる１つまたは複数の仮想環境１５００において実施される１つまたは複数の仮想マシンによって実行される仮想コンポーネントとして実施することができる。更に、仮想ノードが無線アクセスノードでないか、または無線接続性（例えばコアネットワークノード）を必要としない実施形態では、このとき、ネットワークノードは完全に仮想化することができる。
【０１２０】
機能は、本明細書に開示される実施形態のうちのいくつかの特徴、機能および／または利点のうちのいくつかを実施するように動作可能な１つまたは複数のアプリケーション１５２０（代替的に、ソフトウェアインスタンス、仮想機器、ネットワーク機能、仮想ノード、仮想ネットワーク機能等と呼ばれ得る）によって実施することができる。アプリケーション１５２０は、処理回路１５６０およびメモリ１５９０を含むハードウェア１５３０を提供する仮想化環境１５００において実行される。メモリ１５９０は、処理回路１５６０によって実行可能な命令１５９５を含み、これによって、アプリケーション１５２０は、本明細書に開示される特徴、利点および／または機能のうちの１つまたは複数を提供するように動作可能である。
【０１２１】
仮想化環境１５００は、民生（ＣＯＴＳ）プロセッサ、専用の特定用途向け集積回路（ＡＳＩＣ）、またはデジタルもしくはアナログハードウェアコンポーネントもしくは専用プロセッサを含む任意の他のタイプの処理回路とすることができる、１つまたは複数のプロセッサまたは処理回路１５６０のセットを含む汎用または専用ネットワークハードウェアデバイス１５３０を含む。各ハードウェアデバイスは、処理回路１５６０によって実行される命令１５９５またはソフトウェアを一時的に記憶するための非持続性メモリとすることができるメモリ１５９０−１を含むことができる。各ハードウェアデバイスは、物理的ネットワークインターフェース１５８０を含む、ネットワークインターフェースカードとしても知られる１つまたは複数のネットワークインターフェースコントローラ（ＮＩＣ）１５７０を含むことができる。各ハードウェアデバイスは、処理回路１５６０によって実行可能なソフトウェア１５９５および／または命令が記憶された非一時的持続性マシン可読ストレージ媒体１５９０−２も含むことができる。ソフトウェア１５９５は、１つまたは複数の仮想化層１５５０（ハイパーバイザとも呼ばれる）をインスタンス化するためのソフトウェア、仮想マシン１５４０を実行するためのソフトウェア、および本明細書に記載のいくつかの実施形態に関係して説明した機能、特徴および／または利点を実行することを可能にするソフトウェアを含む、任意のタイプのソフトウェアを含むことができる。
【０１２２】
仮想マシン１５４０は、仮想処理、仮想メモリ、仮想ネットワーキングまたはインターフェース、および仮想ストレージを含み、対応する仮想化層１５５０またはハイパーバイザによって実行することができる。仮想機器１５２０のインスタンスの異なる実施形態は、仮想マシン１５４０のうちの１つまたは複数において実施することができ、実施は、様々な方式で行うことができる。
【０１２３】
動作中、処理回路１５６０は、ハイパーバイザまたは仮想化層１５５０をインスタンス化するためのソフトウェア１５９５を実行し、これは場合によっては、仮想マシンモニタ（ＶＭＭ）と呼ばれる場合がある。仮想化層１５５０は、仮想マシン１５４０に対しネットワーキングハードウェアのように見える仮想オペレーティングプラットフォームを提示することができる。
【０１２４】
図１５に示すように、ハードウェア１５３０は、汎用または専用コンポーネントを有するスタンドアロンネットワークノードとすることができる。ハードウェア１５３０は、アンテナ１５２２５を含むことができ、仮想化を介していくつかの機能を実施することができる。代替的に、ハードウェア１５３０は、（例えば、データセンタまたは顧客構内機器（ＣＰＥ）におけるような）ハードウェアのより大きなクラスタの一部とすることができ、ここで、多くのハードウェアノードは協働し、管理およびオーケストレーション（ＭＡＮＯ）１５１００を介して管理される。ＭＡＮＯは、中でも、アプリケーション１５２０のライフサイクル管理を監督する。
【０１２５】
ハードウェアの仮想化は、いくつかの状況では、ネットワーク機能仮想化（ＮＦＶ）と呼ばれる。ＮＦＶを用いて、多くのネットワーク機器タイプを、業界標準の高容量サーバハードウェア、物理的スイッチおよび物理的ストレージに統合することができる。これは、データセンタおよび顧客構内機器内に配置することができる。
【０１２６】
ＮＦＶとの関連において、仮想マシン１５４０は、プログラムを、これらが物理的非仮想化マシン上で実行されているかのように実行する、物理的マシンのソフトウェア実施とすることができる。仮想マシン１５４０の各々、およびその仮想マシンを実行するハードウェア１５３０の一部は、その仮想マシンに専用のハードウェアであれ、かつ／またはこの仮想マシンによって、複数の仮想マシン１５４０のうちの他のものと共有されるハードウェアであれ、別個の仮想ネットワーク要素（ＶＮＥ）を形成する。
【０１２７】
更に、ＮＦＶとの関連において、仮想ネットワーク機能（ＶＮＦ）は、ハードウェアネットワーキングインフラストラクチャ１５３０の上位にある１つまたは複数の仮想マシン１５４０において実行される特定のネットワーク機能を扱う役割を果たし、図１５におけるアプリケーション１５２０に対応する。
【０１２８】
いくつかの実施形態では、各々が１つまたは複数の送信機１５２２０および１つまたは複数の受信機１５２１０を含む１つまたは複数の無線ユニット１５２００を、１つまたは複数のアンテナ１５２２５に結合することができる。無線ユニット１５２００は、１つまたは複数の適切なネットワークインターフェースを介してハードウェアノード１５３０と直接通信することができ、これを仮想コンポーネントと組み合わせて用いて、仮想ノードに、無線アクセスノードまたは基地局等の無線機能を提供することができる。
【０１２９】
いくつかの実施形態では、いくつかのシグナリングは、ハードウェアノード１５３０と無線ユニット１５２００との間の通信に代替的に用いられ得る制御システム１５２３０の使用により行うことができる。
【０１３０】
図１６は、いくつかの実施形態による、中間ネットワークを介してホストコンピュータに接続される例示的な電気通信ネットワークの図である。図１６を参照すると、一実施形態によれば、通信システムは、３ＧＰＰタイプのセルラネットワーク等の電気通信ネットワーク１６１０を含み、これは、無線アクセスネットワーク等のアクセスネットワーク１６１１と、コアネットワーク１６１４とを含む。アクセスネットワーク１６１１は、各々が対応するカバレッジエリア１６１３ａ、１６１３ｂ、１６１３ｃを定義する、ＮＢ、ｅＮＢ、ｇＮＢまたは他のタイプの無線アクセスポイント等の複数の基地局１６１２ａ、１６１２ｂ、１６１２ｃを含む。各基地局１６１２ａ、１６１２ｂ、１６１２ｃは、有線または無線接続１６１５を通じてコアネットワーク１６１４に接続可能である。カバレッジエリア１６１３ｃ内に位置する第１のＵＥ１６９１は、対応する基地局１６１２ｃに無線で接続されるか、またはこの基地局によってページングされるように設定される。カバレッジエリア１６１３ａ内の第２のＵＥ１６９２は、対応する基地局１６１２ａに無線で接続可能である。この例には複数のＵＥ１６９１、１６９２が示されているが、開示される実施形態は、単一のＵＥがカバレッジエリア内にある状況、または単一のＵＥが対応する基地局１６１２に接続している状況にも等しく適用可能である。
【０１３１】
電気通信ネットワーク１６１０自体がホストコンピュータ１６３０に接続される。これは、スタンドアロンサーバのハードウェアおよび／もしくはソフトウェア、クラウド実施サーバ、分散サーバにおいて、またはサーバファーム内の処理リソースとして具現化することができる。ホストコンピュータ１６３０は、サービスプロバイダの所有もしくは制御下にあってもよく、またはサービスプロバイダによってもしくはサービスプロバイダの代わりに動作してもよい。電気通信ネットワーク１６１０とホストコンピュータ１６３０との間の接続１６２１および１６２２は、コアネットワーク１６１４からホストコンピュータ１６３０に直接延びてもよく、またはオプションの中間ネットワーク１６２０を介してもよい。中間ネットワーク１６２０は、パブリックネットワーク、プライベートネットワーク、またはホストされたネットワークのうちの１つ、または２つ以上の組合せとすることができ、中間ネットワーク１６２０は、存在する場合、バックボーンネットワークまたはインターネットとすることができ、特に、中間ネットワーク１６２０は、２つ以上のサブネットワーク（図示せず）を含むことができる。
【０１３２】
図１６の通信システムは、全体として、接続されたＵＥ１６９１、１６９２とホストコンピュータ１６３０との間の接続性を可能にする。接続性は、オーバーザトップ（ＯＴＴ）接続１６５０として記載することができる。ホストコンピュータ１６３０および接続されたＵＥ１６９１、１６９２は、アクセスネットワーク１６１１、コアネットワーク１６１４、任意の中間ネットワーク１６２０、および可能な更なるインフラストラクチャ（図示せず）を仲介として用いて、ＯＴＴ接続１６５０を介してデータおよび／またはシグナリングを通信するように設定される。ＯＴＴ接続１６５０は、ＯＴＴ接続１６５０が通過する、参加している通信デバイスが、アップリンク通信およびダウンリンク通信のルーティングに気づかないという意味で、トランスペアレントであり得る。例えば、基地局１６１２は、ホストコンピュータ１６３０から発信されたデータが、接続されたＵＥ１６９１に転送される（例えば、ハンドオーバーされる）、到来するダウンリンク通信の過去のルーティングに関して通知されないか、または通知される必要がない場合がある。同様に、基地局１６１２は、ＵＥ１６９１からホストコンピュータ１６３０に向けて発信される出力アップリンク通信の未来のルーティングを知る必要がない。
【０１３３】
ここで、実施形態による、前の段落で検討された、ＵＥ、基地局およびホストコンピュータの例示的な実施態様が図１７を参照して説明される。通信システム１７００において、ホストコンピュータ１７１０は、通信システム１７００の異なる通信のインターフェースとの有線接続または無線接続をセットアップし維持するように設定された通信インターフェース１７１６を含むハードウェア１７１５を備える。ホストコンピュータ１７１０は、記憶および／または処理機能を有することができる処理回路１７１８を更に含む。特に、処理回路１７１８は、命令を実行するように適合された、１つまたは複数のプログラマブルプロセッサ、特定用途向け集積回路、フィールドプログラマブルゲートアレイまたはこれらの組合せ（図示せず）を含むことができる。ホストコンピュータ１７１０は、ホストコンピュータ１７１０に記憶されるかまたはホストコンピュータ１７１０によってアクセス可能であり、処理回路１７１８によって実行可能なソフトウェア１７１１を更に含む。ソフトウェア１７１１は、ホストアプリケーション１７１２を含む。ホストアプリケーション１７１２は、ＵＥ１７３０およびホストコンピュータ１７１０において終端するＯＴＴ接続１７５０を介して接続するＵＥ１７３０等のリモートユーザにサービスを提供するように動作可能であり得る。リモートユーザにサービスを提供する際、ホストアプリケーション１７１２は、ＯＴＴ接続１７５０を用いて送信されるユーザデータを提供することができる。
【０１３４】
通信システム１７００は、電気通信システムにおいて提供される基地局１７２０を更に含み、基地局１７２０は、この基地局がホストコンピュータ１７１０およびＵＥ１７３０と通信することを可能にするハードウェア１７２５を備える。ハードウェア１７２５は、通信システム１７００の異なる通信デバイスのインターフェースとの有線または無線接続をセットアップし、維持するための通信インターフェース１７２６と、基地局１７２０によってサービングされているカバレッジエリア（図１７に示さず）内に位置するＵＥ１７３０との少なくとも無線接続１７７０をセットアップし、維持するための無線インターフェース１７２７とを含むことができる。通信インターフェース１７２６は、ホストコンピュータ１７１０への接続１７６０を容易にするように設定することができる。接続１７６０は、直接であってもよく、または、電気通信システムのコアネットワーク（図１７に示さず）および／もしくは電気通信システム外の１つもしくは複数の中間ネットワークを通過してもよい。示される実施形態では、基地局１７２０のハードウェア１７２５は、処理回路１７２８を更に含み、処理回路１７２８は、命令を実行するように適合された、１つまたは複数のプログラマブルプロセッサ、特定用途向け集積回路、フィールドプログラマブルゲートアレイまたはこれらの組合せ（図示せず）を含むことができる。基地局１７２０は、内部に記憶されるか、または外部接続を介してアクセス可能なソフトウェア１７２１を更に有する。
【０１３５】
通信システム１７００は、既に参照したＵＥ１７３０を更に含む。そのハードウェア１７３５は、ＵＥ１７３０が現在位置しているカバレッジエリアをサービングする基地局との無線接続１７７０をセットアップし、維持するように設定された無線インターフェース１７３７を含むことができる。ＵＥ１７３０のハードウェア１７３５は、命令を実行するように適応された、１つまたは複数のプログラマブルプロセッサ、特定用途向け集積回路、フィールドプログラマブルゲートアレイまたはこれらの組合せ（図示せず）を含むことができる処理回路１７３８更に含む。ＵＥ１７３０は、ＵＥ１７３０に記憶されるかまたはＵＥ１７３０によってアクセス可能であり、処理回路１７３８によって実行可能なソフトウェア１７３１を更に含む。ソフトウェア１７３１は、クライアントアプリケーション１７３２を含む。クライアントアプリケーション１７３２は、ホストコンピュータ１７１０のサポートにより、ＵＥ１７３０を介して人間または非人間ユーザにサービスを提供するように動作可能とすることができる。ホストコンピュータ１７１０において、実行中のホストアプリケーション１７１２は、ＵＥ１７３０およびホストコンピュータ１７１０において終端するＯＴＴ接続１７５０を介して実行中のクライアントアプリケーション１７３２と通信することができる。サービスをユーザに提供する際、クライアントアプリケーション１７３２は、ホストアプリケーション１７１２からの要求データを受信し、要求データに応答してユーザデータを提供することができる。ＯＴＴ接続１７５０は、要求データおよびユーザデータの双方を転送することができる。クライアントアプリケーション１７３２は、ユーザとインタラクトして、提供するユーザデータを生成することができる。
【０１３６】
図１７に示すホストコンピュータ１７１０、基地局１７２０およびＵＥ１７３０は、それぞれ、図１６のホストコンピュータ１６３０、基地局１６１２ａ、１６１２ｂ、１６１２ｃのうちの１つ、およびＵＥ１６９１、１６９２のうちの１つと類似しているかまたは同一である場合があることに留意されたい。すなわち、これらのエンティティの内部の機能は、図１７に示すとおりとすることができ、これと独立して、周囲のネットワークトポロジは図１６に示すものとすることができる。
【０１３７】
図１７において、ＯＴＴ接続１７５０は、任意の中間デバイスおよびこれらのデバイスを介したメッセージの厳密なルーティングへの明確な言及をすることなく、基地局１７２０を介したホストコンピュータ１７１０とＵＥ１７３０との間の通信を示すように抽象的に描かれている。ネットワークインフラストラクチャはルーティングを決定することができ、このルーティングは、ＵＥ１７３０から、もしくはホストコンピュータ１７１０を運用しているサービスプロバイダから、または双方から隠れるように設定することができる。ＯＴＴ接続１７５０がアクティブである間、ネットワークインフラストラクチャは、（例えば、負荷平衡の検討またはネットワークの再設定に基づいて）ルーティングを動的に変更する判定を更に行うことができる。
【０１３８】
ＵＥ１７３０と基地局１７２０との間の無線接続１７７０は、本開示全体を通じて説明される実施形態の教示に従う。様々な実施形態のうちの１つまたは複数が、ＯＴＴ接続１７５０を用いてＵＥ１７３０に提供されるＯＴＴサービスの性能を改善する。ＯＴＴ接続１７５０において、無線接続１７７０は最後のセグメントを形成する。より詳細には、これらの実施形態の教示は、レイテンシを改善することができ、通信システムの平均スループットを改善することができる。無線リソース効率は、レイテンシ削減によってプラスの影響を受けることができる。パケットデータレイテンシが下がることで、或る遅延限界内で可能な送信の数を増加させることが可能であり、したがって、無線リソースを解放し、潜在的にシステムの容量を向上させるデータ送信のために、より高いブロック誤り率（ＢＬＥＲ）ターゲットを用いることができる。
【０１３９】
１つまたは複数の実施形態が改善するデータレート、レイテンシおよび他の要素を監視する目的で、測定手順が提供され得る。更に、測定結果の変動に応答して、ホストコンピュータ１７１０とＵＥ１７３０との間のＯＴＴ接続１７５０を再設定するためのオプションのネットワーク機能が存在してもよい。ＯＴＴ接続１７５０を再設定するための測定手順および／またはネットワーク機能は、ホストコンピュータ１７１０のソフトウェア１７１１およびハードウェア１７１５において、もしくはＵＥ１７３０のソフトウェア１７３１およびハードウェア１７３５において、または双方において実施することができる。実施形態において、センサ（図示せず）は、ＯＴＴ接続１７５０が通過する通信デバイスにおいて、またはこの通信デバイスと関連付けて展開することができ、センサは、上記で例示した監視量の値を供給することによって、またはソフトウェア１７１１、１７３１が監視量を計算もしくは推定することができる他の物理的量の値を供給することによって、測定手順に参加することができる。ＯＴＴ接続１７５０の再設定は、メッセージフォーマット、再送信設定、好ましいルーティング等を含むことができ、再設定は基地局１７２０に影響を与える必要がなく、基地局１７２０にとって未知または知覚不可能なものであってもよい。そのような手順および機能性は、当該技術分野において、既知であり得、実施することができる。特定の実施形態において、測定は、ホストコンピュータ１７１０による、スループット、伝播時間、レイテンシ等の測定を容易にする専有ＵＥシグナリングを含むことができる。測定は、ソフトウェア１７１１および１７３１が、伝播時間、エラー等を監視しながら、ＯＴＴ接続１７５０を用いて、メッセージ、特に空のまたは「ダミー」メッセージが送信されるようにすることで実施することができる。
【０１４０】
図１８は、１つの実施形態による、通信システムにおいて実施される方法を示すフローチャートである。通信システムは、図１６および図１７を参照して説明したものとすることができる、ホストコンピュータ、基地局およびＵＥを含む。本開示を単純にするために、このセクションには、図１８への図面参照のみが含まれる。ステップ１８１０において、ホストコンピュータはユーザデータを提供する。ステップ１８１０のサブステップ１８１１（オプションとすることができる）において、ホストコンピュータは、ホストアプリケーションを実行することによってユーザデータを提供する。ステップ１８２０において、ホストコンピュータは、ユーザデータをＵＥに搬送する送信を開始する。ステップ１８３０（オプションとすることができる）において、基地局は、本開示全体を通じて説明される実施形態に教示に従って、ホストコンピュータが開始した送信において搬送されたユーザデータをＵＥに送信する。ステップ１８４０（これもオプションとすることができる）において、ＵＥは、ホストコンピュータによって実行されるホストアプリケーションに従ってクライアントアプリケーションを実行する。
【０１４１】
図１９は、１つの実施形態による、通信システムにおいて実施される方法を示すフローチャートである。通信システムは、図１６および図１７を参照して説明したものであり得るホストコンピュータ、基地局およびＵＥを含む。本開示を単純にするために、図１９への図面参照のみがこのセクションに含まれる。本方法のステップ１９１０において、ホストコンピュータはユーザデータを提供する。オプションのサブステップ（図示せず）において、ホストコンピュータは、ホストアプリケーションを実行することによってユーザデータを提供する。ステップ１９２０において、ホストコンピュータは、ユーザデータをＵＥに搬送する送信を開始する。送信は、本開示全体を通じて説明される実施形態に教示に従って、基地局を通過することができる。ステップ１９３０（オプションとすることができる）において、ＵＥは、送信において搬送されたユーザデータを受信する。
【０１４２】
図２０は、１つの実施形態による、通信システムにおいて実施される方法を示すフローチャートである。通信システムは、図１６および図１７を参照して説明したものであり得るホストコンピュータ、基地局およびＵＥを含む。本開示を単純にするために、図２０への図面参照のみがこのセクションに含まれる。ステップ２０１０（オプションとすることができる）において、ＵＥは、ホストコンピュータによって提供された入力データを受信する。更にまたは代替的に、ステップ２０２０において、ＵＥはユーザデータを提供する。ステップ２０２０のサブステップ２０２１（オプションとすることができる）において、ＵＥは、クライアントアプリケーションを実行することによってユーザデータを提供する。ステップ２０１０のサブステップ２０１１（オプションとすることができる）において、ＵＥは、ホストコンピュータによって提供された受信した入力データに応答してユーザデータを提供するクライアントアプリケーションを実行する。ユーザデータを提供する際、実行されるクライアントアプリケーションは、ユーザから受信されるユーザ入力を更に検討することができる。ユーザデータが提供された特定の方式と無関係に、ＵＥは、サブステップ２０３０（オプションとすることができる）において、ホストコンピュータへのユーザデータの送信を開始する。方法のステップ２０４０において、ホストコンピュータは、本開示全体を通じて説明された実施形態の教示に従って、ＵＥから送信されたユーザデータを受信する。
【０１４３】
図２１は、１つの実施形態による、通信システムにおいて実施される方法を示すフローチャートである。通信システムは、図１６および図１７を参照して説明したものであり得るホストコンピュータ、基地局およびＵＥを含む。本開示を単純にするために、図２１への図面参照のみがこのセクションに含まれる。ステップ２１１０（オプションとすることができる）において、本開示全体を通じて説明された実施形態の教示に従って、基地局はＵＥからユーザデータを受信する。ステップ２１２０（オプションとすることができる）において、基地局は、受信したユーザデータのホストコンピュータへの送信を開始する。ステップ２１３０（オプションとすることができる）において、ホストコンピュータは、基地局によって開始された送信において搬送されるユーザデータを受信する。
【０１４４】
図２２は、無線ネットワーク（例えば、図１３に示す無線ネットワーク）における装置２２００の概略ブロック図を示す。装置は、無線デバイスまたはネットワークノード（例えば、図１３に示す無線デバイス１３１０またはネットワークノード１３６０）において実施することができる。装置２２００は、図１１および／または図１２を参照して説明した例示的な方法を実行するように動作可能である。本方法の少なくともいくつかの動作は、１つまたは複数の他のエンティティによって実行され得る。
【０１４５】
仮想装置２２００は、１つまたは複数のプロセッサまたはマイクロコントローラ、およびデジタル信号プロセッサ（ＤＳＰ）、デディケーテッドデジタルロジック等を含むことができる他のデジタルハードウェアを含むことができる処理回路部を備えることができる。処理回路部は、メモリに記憶されたプログラムコードを実行するように設定することができ、メモリは、リードオンリーメモリ（ＲＯＭ）、ランダムアクセスメモリ、キャッシュメモリ、フラッシュメモリデバイス、光ストレージデバイス等のような１つまたはいくつかのタイプのメモリを含むことができる。いくつかの実施形態では、メモリに記憶されるプログラムコードは、１つまたは複数の電気通信および／またはデータ通信プロトコル、ならびに本明細書に記載の技法のうちの１つまたは複数を実行するためのプログラム命令を含む。いくつかの実施態様では、処理回路部を用いて、マッピング決定ユニット２２０２、処理ユニット２２０４、および装置２２００の任意の他の適切なユニットに、本開示の１つまたは複数の実施形態による対応する機能を実行させることができる。
【０１４６】
図２２に示すように、装置２２００は、マッピング決定ユニット２２０２および処理ユニット２２０４を含む。マッピング決定ユニット２２０２は、基地局からＵＥへの通信について、１つまたは複数のＳＣＣＥと対応するＳＲＥＧとの間のマッピングを決定するように設定される。処理ユニット２２０４は、基地局からの通信についての、１つまたは複数のＳＣＣＥと対応するＳＲＥＧとの間のマッピングに基づいて、基地局からの通信を処理するように設定される。
【０１４７】
ユニットという用語は、エレクトロニクス、電気デバイスおよび／または電子デバイスの分野における従来の意味を有することができ、例えば、本明細書に記載されるような、電気および／または電子回路部、デバイス、モジュール、プロセッサ、メモリ、ソリッドステートロジックおよび／またはディスクリートデバイス、それぞれのタスク、プロシージャ、計算、出力および／または表示機能等を実行するためのコンピュータプログラムまたは命令、等を含むことができる。
【０１４８】
番号付けされた実施形態
限定ではないが、本開示のいくつかの例示的な実施形態が以下に与えられる。
【０１４９】
１．ユーザ機器（ＵＥ）において実施される方法であって、
基地局から通信を受信することと、
基地局からの通信について、１つまたは複数のショート制御チャネルエレメント（ＳＣＣＥ）と対応するショートリソースエレメントグループ（ＳＲＥＧ）との間のマッピングを決定することと、
基地局からの通信についての、１つまたは複数のＳＣＣＥと対応するＳＲＥＧとの間のマッピングに基づいて、基地局からの通信を処理することと、
を含む、方法。
【０１５０】
２．１つまたは複数のＳＣＣＥと対応するＳＲＥＧとの間のマッピングを決定することは、１つまたは複数のＳＣＣＥと対応するＳＲＥＧとの間のマッピングを、基地局からの通信のために用いられる復調方式に基づいて決定することを含む、実施形態１に記載の方法。
【０１５１】
３．１つまたは複数のＳＣＣＥと対応するＳＲＥＧとの間のマッピングを決定することは、
基地局からの通信のために用いられる復調方式が、ＣＲＳであると決定することと、
これに応じて、高い周波数ダイバーシティを達成するための、１つまたは複数のＳＣＣＥと対応するＳＲＥＧとの間のマッピングを決定することとを含む、実施形態２に記載の方法。
【０１５２】
４．高い周波数ダイバーシティを達成するための、１つまたは複数のＳＣＣＥと対応するＳＲＥＧとの間のマッピングを決定することは、ＳＰＤＣＣＨ  ＲＢセットに沿って、かつ、１つのＯＦＤＭシンボルのみから、分散される方式で選択されるように、ＳＣＣＥに対応するＳＲＥＧを決定することを含む、実施形態３に記載の方法。
【０１５３】
５．高い周波数ダイバーシティを達成するための、１つまたは複数のＳＣＣＥと対応するＳＲＥＧとの間のマッピングを決定することは、
１ｏｓ  ＣＲＳベースのＳＰＤＣＣＨにおける分散型のＳＣＣＥ対ＳＲＥＧマッピングについて、ＳＣＣＥインデックスｋに対応するＳＲＥＧが以下の規定によって与えられることを含み、
2020535721.tif 000018
ここで、ｋ＝０，．．．，ＮｓＣＣＥ−１であり、ＮｓＣＣＥはＳＰＤＣＣＨ  ＲＢセット内のＳＣＣＥの数であり、ｉ＝０，．．．，ＮｓＲＥＧ／ｓＣＣＥ−１であり、
2020535721.tif 000019
は、ＳＰＤＣＣＨ  ＲＢセット内のＳＲＥＧの総数であり、ＮｓＲＥＧ／ｓＣＣＥはＳＣＣＥあたりのＳＲＥＧの数である、実施形態３に記載の方法。
【０１５４】
６．高い周波数ダイバーシティを達成するための、１つまたは複数のＳＣＣＥと対応するＳＲＥＧとの間のマッピングを決定することは、
２ｏｓ  ＣＲＳベースのＳＰＤＣＣＨにおけるＳＲＥＧベースの分散型マッピングについて、ＳＣＣＥインデックスｋに対応するＳＲＥＧが以下の規定によって与えられることを含み、
2020535721.tif 000020
ここで、ｋ＝０，．．．，ＮｓＣＣＥ−１であり、ＮｓＣＣＥはＳＰＤＣＣＨ  ＲＢセット内のＳＣＣＥの数であり、ｉ＝０，．．．，ＮｓＲＥＧ／ｓＣＣＥ−１であり、ＮｓＣＣＥ／ＯＳはＳＰＤＣＣＨ  ＲＢセット内のＯＦＤＭシンボルあたりのＳＣＣＥの数であり、すなわち、
2020535721.tif 000021
であり、ＮｓＲＥＧ／ＯＳはＯＦＤＭシンボルあたりのＳＲＥＧの数であり、ＮｓＲＥＧ／ｓＣＣＥはＳＣＣＥあたりのＳＲＥＧの数であり、すなわち、ＣＲＳベースのＳＰＤＣＣＨの場合、４ＳＲＥＧ／ＳＣＣＥである、実施形態３に記載の方法。
【０１５５】
７．高い周波数ダイバーシティを達成するための、１つまたは複数のＳＣＣＥと対応するＳＲＥＧとの間のマッピングを決定することは、
１ｏｓおよび２ｏｓ  ＣＲＳベースのＳＰＤＣＣＨ内のＳＲＥＧベースの局在化マッピングについて、ＳＣＣＥインデックスｋに対応するＳＲＥＧが以下の規定によって与えられることを含み、
ｋ＊ＮｓＲＥＧ／ｓＣＣＥ＋ｉ
ここで、ｋ＝０，．．．，ＮｓＣＣＥ−１であり、ＮｓＣＣＥはＳＰＤＣＣＨ  ＲＢセット内のＳＣＣＥの数であり、ｉ＝０，．．．，ＮｓＲＥＧ／ｓＣＣＥ−１であり、ＮｓＲＥＧ／ｓＣＣＥはＳＣＣＥあたりのＳＲＥＧの数であり、すなわち、ＣＲＳベースのＳＰＤＣＣＨの場合、４ＳＲＥＧ／ＳＣＣＥである、実施形態３に記載の方法。
【０１５６】
８．１つまたは複数のＳＣＣＥと対応するＳＲＥＧとの間のマッピングを決定することは、
基地局からの通信のために用いられる復調方式が、ＤＭＲＳであると決定することと、
これに応じて、その事実に基づき、１つまたは複数のＳＣＣＥと対応するＳＲＥＧとの間のマッピングを決定することと、
を含む、実施形態２に記載の方法。
【０１５７】
９．１つまたは複数のＳＣＣＥと対応するＳＲＥＧとの間のマッピングを決定することは、
２ｏｓおよび３ｏｓ  ＤＭＲＳベースのＳＰＤＣＣＨにおけるＳＣＣＥ対ＳＲＥＧマッピングについて、ＳＣＣＥインデックスｋに対応するＳＲＥＧが以下の規定によって与えられることを含み、
ｋ＊ＮｓＲＥＧ／ｓＣＣＥ＋ｉ
ここで、ｋ＝０，．．．，ＮｓＣＣＥ−１であり、ＮｓＣＣＥはＳＰＤＣＣＨ  ＲＢセット内のＳＣＣＥの数であり、ｉ＝０，．．．，ＮｓＲＥＧ／ｓＣＣＥ−１であり、ＮｓＲＥＧ／ｓＣＣＥはＳＣＣＥあたりのＳＲＥＧの数であり、すなわち、２ｏｓ  ＤＭＲＳベースのＳＰＤＣＣＨの場合、４ＳＲＥＧ／ＳＣＣＥであり、３ｏｓ  ＤＭＲＳベースのＳＰＤＣＣＨの場合、６ＳＲＥＧ／ＳＣＣＥである、実施形態８に記載の方法。
【０１５８】
１０．  １よりも高いアグリゲーションレベルについて、ＵＥのＳＰＤＣＣＨ  ＲＢセット内の分散型ＤＭＲＳベースのＳＰＤＣＣＨ候補ｍに対応するＳＣＣＥが以下のように規定されることを更に含み、
2020535721.tif 000022
ここで、
2020535721.tif 000023
は、より高位層のシグナリングによって設定されるＵＥのＳＣＣＥ開始オフセットであり、ｉ＝０，．．．，Ｌ−１であり、Ｌはアグリゲーションレベルであり、１よりも高く、ＮｓＣＣＥはＳＰＤＣＣＨ  ＲＢセット内のＳＣＣＥの総数であり、ｍ＝０，．．．，ＭＬ−１であり、ＭＬはアグリゲーションレベルＬあたりのＳＰＤＣＣＨ候補の数である、実施形態１から９のいずれかに記載の方法。
【０１５９】
１１．基地局から通信を受信することは、ショート物理ダウンリンク制御チャネル（ＳＰＤＣＣＨ）上で基地局から通信を受信することを含む、実施形態１から１０のいずれかに記載の方法。
【０１６０】
１２．基地局と通信するように設定されたユーザ機器（ＵＥ）であって、ＵＥは、無線インターフェースと、処理回路部であって、
基地局から通信を受信し、
基地局からの通信について、１つまたは複数のショート制御チャネルエレメント（ＳＣＣＥ）と対応するショートリソースエレメントグループ（ＳＲＥＧ）との間のマッピングを決定し、
基地局からの通信についての、１つまたは複数のＳＣＣＥと対応するＳＲＥＧとの間のマッピングに基づいて、基地局からの通信を処理する、
ように設定された処理回路部とを備える、ＵＥ。
【０１６１】
１３．１つまたは複数のＳＣＣＥと対応するＳＲＥＧとの間のマッピングを決定することは、１つまたは複数のＳＣＣＥと対応するＳＲＥＧとの間のマッピングを、基地局からの通信のために用いられる復調方式に基づいて決定することを含む、実施形態１２に記載のＵＥ。
【０１６２】
１４．１つまたは複数のＳＣＣＥと対応するＳＲＥＧとの間のマッピングを決定することは、ＵＥが、
基地局からの通信のために用いられる復調方式が、ＣＲＳであると決定し、
これに応じて、高い周波数ダイバーシティを達成するための、１つまたは複数のＳＣＣＥと対応するＳＲＥＧとの間のマッピングを決定する、
ように更に設定されることを含む、実施形態１３に記載のＵＥ。
【０１６３】
１５．高い周波数ダイバーシティを達成するための、１つまたは複数のＳＣＣＥと対応するＳＲＥＧとの間のマッピングを決定することは、ＳＰＤＣＣＨ  ＲＢセットに沿って、かつ、１つのＯＦＤＭシンボルのみから、分散される方式で選択されるように、ＳＣＣＥに対応するＳＲＥＧを決定することを含む、実施形態１４に記載のＵＥ。
【０１６４】
１６．高い周波数ダイバーシティを達成するための、１つまたは複数のＳＣＣＥと対応するＳＲＥＧとの間のマッピングを決定することは、ＵＥが、
１ｏｓ  ＣＲＳベースのＳＰＤＣＣＨにおける分散型のＳＣＣＥ対ＳＲＥＧマッピングについて、ＳＣＣＥインデックスｋに対応するＳＲＥＧが以下の規定によって与えられることを含み、
2020535721.tif 000024
ここで、ｋ＝０，．．．，ＮｓＣＣＥ−１であり、ＮｓＣＣＥはＳＰＤＣＣＨ  ＲＢセット内のＳＣＣＥの数であり、ｉ＝０，．．．，ＮｓＲＥＧ／ｓＣＣＥ−１であり、
2020535721.tif 000025
は、ＳＰＤＣＣＨ  ＲＢセット内のＳＲＥＧの総数であり、ＮｓＲＥＧ／ｓＣＣＥはＳＣＣＥあたりのＳＲＥＧの数であるように更に設定される、実施形態１４に記載のＵＥ。
【０１６５】
１７．  高い周波数ダイバーシティを達成するための、１つまたは複数のＳＣＣＥと対応するＳＲＥＧとの間のマッピングを決定することは、ＵＥが、
２ｏｓ  ＣＲＳベースのＳＰＤＣＣＨにおけるＳＲＥＧベースの分散型マッピングについて、ＳＣＣＥインデックスｋに対応するＳＲＥＧが以下の規定によって与えられることを含み、
2020535721.tif 000026
ここで、ｋ＝０，．．．，ＮｓＣＣＥ−１であり、ＮｓＣＣＥはＳＰＤＣＣＨ  ＲＢセット内のＳＣＣＥの数であり、ｉ＝０，．．．，ＮｓＲＥＧ／ｓＣＣＥ−１であり、ＮｓＣＣＥ／ＯＳはＳＰＤＣＣＨ  ＲＢセット内のＯＦＤＭシンボルあたりのＳＣＣＥの数であり、すなわち、
2020535721.tif 000027
であり、ＮｓＲＥＧ／ＯＳはＯＦＤＭシンボルあたりのＳＲＥＧの数であり、ＮｓＲＥＧ／ｓＣＣＥはＳＣＣＥあたりのＳＲＥＧの数であり、すなわち、ＣＲＳベースのＳＰＤＣＣＨの場合、４ＳＲＥＧ／ＳＣＣＥであるように更に設定される、実施形態１４に記載のＵＥ。
【０１６６】
１８．高い周波数ダイバーシティを達成するための、１つまたは複数のＳＣＣＥと対応するＳＲＥＧとの間のマッピングを決定することは、ＵＥが、
１ｏｓおよび２ｏｓ  ＣＲＳベースのＳＰＤＣＣＨ内のＳＲＥＧベースの局在化マッピングについて、ＳＣＣＥインデックスｋに対応するＳＲＥＧが以下の規定によって与えられることを含み、
ｋ＊ＮｓＲＥＧ／ｓＣＣＥ＋ｉ
ここで、ｋ＝０，．．．，ＮｓＣＣＥ−１であり、ＮｓＣＣＥはＳＰＤＣＣＨ  ＲＢセット内のＳＣＣＥの数であり、ｉ＝０，．．．，ＮｓＲＥＧ／ｓＣＣＥ−１であり、ＮｓＲＥＧ／ｓＣＣＥはＳＣＣＥあたりのＳＲＥＧの数であり、すなわち、ＣＲＳベースのＳＰＤＣＣＨの場合、４ＳＲＥＧ／ＳＣＣＥであるように更に設定される、実施形態１４に記載のＵＥ。
【０１６７】
１９．１つまたは複数のＳＣＣＥと対応するＳＲＥＧとの間のマッピングを決定することは、ＵＥが、
基地局からの通信のために用いられる復調方式が、ＤＭＲＳであると決定し、
これに応じて、その事実に基づき、１つまたは複数のＳＣＣＥと対応するＳＲＥＧとの間のマッピングを決定する、
ように更に設定されることを含む、実施形態１３に記載のＵＥ。
【０１６８】
２０．１つまたは複数のＳＣＣＥと対応するＳＲＥＧとの間のマッピングを決定することは、ＵＥが、
２ｏｓおよび３ｏｓ  ＤＭＲＳベースのＳＰＤＣＣＨにおけるＳＣＣＥ対ＳＲＥＧマッピングについて、ＳＣＣＥインデックスｋに対応するＳＲＥＧが以下の規定によって与えられることを含み、
ｋ＊ＮｓＲＥＧ／ｓＣＣＥ＋ｉ
ここで、ｋ＝０，．．．，ＮｓＣＣＥ−１であり、ＮｓＣＣＥはＳＰＤＣＣＨ  ＲＢセット内のＳＣＣＥの数であり、ｉ＝０，．．．，ＮｓＲＥＧ／ｓＣＣＥ−１であり、ＮｓＲＥＧ／ｓＣＣＥはＳＣＣＥあたりのＳＲＥＧの数であり、すなわち、２ｏｓ  ＤＭＲＳベースのＳＰＤＣＣＨの場合、４ＳＲＥＧ／ＳＣＣＥであり、３ｏｓ  ＤＭＲＳベースのＳＰＤＣＣＨの場合、６ＳＲＥＧ／ＳＣＣＥであるように更に設定される、実施形態１９に記載のＵＥ。
【０１６９】
２１．ＵＥが、
１よりも高いアグリゲーションレベルについて、ＵＥのＳＰＤＣＣＨ  ＲＢセット内の分散型ＤＭＲＳベースのＳＰＤＣＣＨ候補ｍに対応するＳＣＣＥが以下のように規定されることを更に含み、
2020535721.tif 000028
ここで、
2020535721.tif 000029
は、より高位層のシグナリングによって設定されるＵＥのＳＣＣＥ開始オフセットであり、ｉ＝０，．．．，Ｌ−１であり、Ｌはアグリゲーションレベルであり、１よりも高く、ＮｓＣＣＥはＳＰＤＣＣＨ  ＲＢセット内のＳＣＣＥの総数であり、ｍ＝０，．．．，ＭＬ−１であり、ＭＬはアグリゲーションレベルＬあたりのＳＰＤＣＣＨ候補の数であるように更に設定される、実施形態１２から２０のいずれかに記載のＵＥ。
【０１７０】
２２．基地局から通信を受信することは、ショート物理ダウンリンク制御チャネル（ＳＰＤＣＣＨ）上で基地局から通信を受信することを含む、実施形態１２から２１のいずれかに記載のＵＥ。
【０１７１】
２３．基地局において実施される方法であって、
ユーザ機器（ＵＥ）への通信について、１つまたは複数のショート制御チャネルエレメント（ＳＣＣＥ）と対応するショートリソースエレメントグループ（ＳＲＥＧ）との間のマッピングを決定することと、
１つまたは複数のＳＣＣＥと対応するＳＲＥＧとの間のマッピングに基づいて、ＵＥへの通信を送信することと、
を含む、方法。
【０１７２】
２４．１つまたは複数のＳＣＣＥと対応するＳＲＥＧとの間のマッピングを決定することは、１つまたは複数のＳＣＣＥと対応するＳＲＥＧとの間のマッピングを、基地局からの通信のために用いられる復調方式に基づいて決定することを含む、実施形態２３に記載の方法。
【０１７３】
２５．１つまたは複数のＳＣＣＥと対応するＳＲＥＧとの間のマッピングを決定することは、
基地局からの通信のために用いられる復調方式が、ＣＲＳであると決定することと、
これに応じて、高い周波数ダイバーシティを達成するための、１つまたは複数のＳＣＣＥと対応するＳＲＥＧとの間のマッピングを決定することと、
を含む、実施形態２４に記載の方法。
【０１７４】
２６．高い周波数ダイバーシティを達成するための、１つまたは複数のＳＣＣＥと対応するＳＲＥＧとの間のマッピングを決定することは、ＳＰＤＣＣＨ  ＲＢセットに沿って、かつ、１つのＯＦＤＭシンボルのみから、分散される方式で選択されるように、ＳＣＣＥに対応するＳＲＥＧを決定することを含む、実施形態２５に記載の方法。
【０１７５】
２７．高い周波数ダイバーシティを達成するための、１つまたは複数のＳＣＣＥと対応するＳＲＥＧとの間のマッピングを決定することは、
１ｏｓ  ＣＲＳベースのＳＰＤＣＣＨにおける分散型のＳＣＣＥ対ＳＲＥＧマッピングについて、ＳＣＣＥインデックスｋに対応するＳＲＥＧが以下の規定によって与えられることを含み、
2020535721.tif 000030
ここで、ｋ＝０，．．．，ＮｓＣＣＥ−１であり、ＮｓＣＣＥはＳＰＤＣＣＨ  ＲＢセット内のＳＣＣＥの数であり、ｉ＝０，．．．，ＮｓＲＥＧ／ｓＣＣＥ−１であり、
2020535721.tif 000031
は、ＳＰＤＣＣＨ  ＲＢセット内のＳＲＥＧの総数であり、ＮｓＲＥＧ／ｓＣＣＥはＳＣＣＥあたりのＳＲＥＧの数である、実施形態２５に記載の方法。
【０１７６】
２８．高い周波数ダイバーシティを達成するための、１つまたは複数のＳＣＣＥと対応するＳＲＥＧとの間のマッピングを決定することは、
２ｏｓ  ＣＲＳベースのＳＰＤＣＣＨにおけるＳＲＥＧベースの分散型マッピングについて、ＳＣＣＥインデックスｋに対応するＳＲＥＧが以下の規定によって与えられることを含み、
2020535721.tif 000032
ここで、ｋ＝０，．．．，ＮｓＣＣＥ−１であり、ＮｓＣＣＥはＳＰＤＣＣＨ  ＲＢセット内のＳＣＣＥの数であり、ｉ＝０，．．．，ＮｓＲＥＧ／ｓＣＣＥ−１であり、ＮｓＣＣＥ／ＯＳはＳＰＤＣＣＨ  ＲＢセット内のＯＦＤＭシンボルあたりのＳＣＣＥの数であり、すなわち、
2020535721.tif 000033
であり、ＮｓＲＥＧ／ＯＳはＯＦＤＭシンボルあたりのＳＲＥＧの数であり、ＮｓＲＥＧ／ｓＣＣＥはＳＣＣＥあたりのＳＲＥＧの数であり、すなわち、ＣＲＳベースのＳＰＤＣＣＨの場合、４ＳＲＥＧ／ＳＣＣＥである、実施形態２５に記載の方法。
【０１７７】
２９．高い周波数ダイバーシティを達成するための、１つまたは複数のＳＣＣＥと対応するＳＲＥＧとの間のマッピングを決定することは、
１ｏｓおよび２ｏｓ  ＣＲＳベースのＳＰＤＣＣＨ内のＳＲＥＧベースの局在化マッピングについて、ＳＣＣＥインデックスｋに対応するＳＲＥＧが以下の規定によって与えられることを含み、
ｋ＊ＮｓＲＥＧ／ｓＣＣＥ＋ｉ
ここで、ｋ＝０，．．．，ＮｓＣＣＥ−１であり、ＮｓＣＣＥはＳＰＤＣＣＨ  ＲＢセット内のＳＣＣＥの数であり、ｉ＝０，．．．，ＮｓＲＥＧ／ｓＣＣＥ−１であり、ＮｓＲＥＧ／ｓＣＣＥはＳＣＣＥあたりのＳＲＥＧの数であり、すなわち、ＣＲＳベースのＳＰＤＣＣＨの場合、４ＳＲＥＧ／ＳＣＣＥである、実施形態２５に記載の方法。
【０１７８】
３０．１つまたは複数のＳＣＣＥと対応するＳＲＥＧとの間のマッピングを決定することは、
基地局からの通信のために用いられる復調方式が、ＤＭＲＳであると決定することと、
これに応じて、その事実に基づき、１つまたは複数のＳＣＣＥと対応するＳＲＥＧとの間のマッピングを決定することと、
を含む、実施形態２４に記載の方法。
【０１７９】
３１．１つまたは複数のＳＣＣＥと対応するＳＲＥＧとの間のマッピングを決定することは、
２ｏｓおよび３ｏｓ  ＤＭＲＳベースのＳＰＤＣＣＨにおけるＳＣＣＥ対ＳＲＥＧマッピングについて、ＳＣＣＥインデックスｋに対応するＳＲＥＧが以下の規定によって与えられることを含み、
ｋ＊ＮｓＲＥＧ／ｓＣＣＥ＋ｉ
ここで、ｋ＝０，．．．，ＮｓＣＣＥ−１であり、ＮｓＣＣＥはＳＰＤＣＣＨ  ＲＢセット内のＳＣＣＥの数であり、ｉ＝０，．．．，ＮｓＲＥＧ／ｓＣＣＥ−１であり、ＮｓＲＥＧ／ｓＣＣＥはＳＣＣＥあたりのＳＲＥＧの数であり、すなわち、２ｏｓ  ＤＭＲＳベースのＳＰＤＣＣＨの場合、４ＳＲＥＧ／ＳＣＣＥであり、３ｏｓ  ＤＭＲＳベースのＳＰＤＣＣＨの場合、６ＳＲＥＧ／ＳＣＣＥである、実施形態３０に記載の方法。
【０１８０】
３２．１よりも高いアグリゲーションレベルについて、ＵＥのＳＰＤＣＣＨ  ＲＢセット内の分散型ＤＭＲＳベースのＳＰＤＣＣＨ候補ｍに対応するＳＣＣＥが以下のように規定されることを更に含み、
2020535721.tif 000034
ここで、
2020535721.tif 000035
は、より高位層のシグナリングによって設定されるＵＥのＳＣＣＥ開始オフセットであり、ｉ＝０，．．．，Ｌ−１であり、Ｌはアグリゲーションレベルであり、１よりも高く、ＮｓＣＣＥはＳＰＤＣＣＨ  ＲＢセット内のＳＣＣＥの総数であり、ｍ＝０，．．．，ＭＬ−１であり、ＭＬはアグリゲーションレベルＬあたりのＳＰＤＣＣＨ候補の数である、実施形態２３から３１のいずれかに記載の方法。
【０１８１】
３３．基地局から通信を受信することは、ショート物理ダウンリンク制御チャネル（ＳＰＤＣＣＨ）上で基地局から通信を受信することを含む、実施形態２３から３２のいずれかに記載の方法。
【０１８２】
３４．ユーザ機器（ＵＥ）と通信するように設定された基地局であって、基地局は、無線インターフェースと、処理回路部であって、
ユーザ機器（ＵＥ）への通信について、１つまたは複数のショート制御チャネルエレメント（ＳＣＣＥ）と対応するショートリソースエレメントグループ（ＳＲＥＧ）との間のマッピングを決定し、
１つまたは複数のＳＣＣＥと対応するＳＲＥＧとの間のマッピングに基づいて、ＵＥへの通信を送信する、
ように設定された処理回路部とを備える、基地局。
【０１８３】
３５．１つまたは複数のＳＣＣＥと対応するＳＲＥＧとの間のマッピングを決定することは、１つまたは複数のＳＣＣＥと対応するＳＲＥＧとの間のマッピングを、基地局からの通信のために用いられる復調方式に基づいて決定することを含む、実施形態３４に記載の基地局。
【０１８４】
３６．１つまたは複数のＳＣＣＥと対応するＳＲＥＧとの間のマッピングを決定することは、基地局が、
基地局からの通信のために用いられる復調方式が、ＣＲＳであると決定し、
これに応じて、高い周波数ダイバーシティを達成するための、１つまたは複数のＳＣＣＥと対応するＳＲＥＧとの間のマッピングを決定する、
ように更に設定されることを含む、実施形態３５に記載の基地局。
【０１８５】
３７．高い周波数ダイバーシティを達成するための、１つまたは複数のＳＣＣＥと対応するＳＲＥＧとの間のマッピングを決定することは、ＳＰＤＣＣＨ  ＲＢセットに沿って、かつ、１つのＯＦＤＭシンボルのみから、分散される方式で選択されるように、ＳＣＣＥに対応するＳＲＥＧを決定することを含む、実施形態３６に記載の基地局。
【０１８６】
３８．高い周波数ダイバーシティを達成するための、１つまたは複数のＳＣＣＥと対応するＳＲＥＧとの間のマッピングを決定することは、基地局が、
１ｏｓ  ＣＲＳベースのＳＰＤＣＣＨにおける分散型のＳＣＣＥ対ＳＲＥＧマッピングについて、ＳＣＣＥインデックスｋに対応するＳＲＥＧが以下の規定によって与えられることを含み、
2020535721.tif 000036
ここで、ｋ＝０，．．．，ＮｓＣＣＥ−１であり、ＮｓＣＣＥはＳＰＤＣＣＨ  ＲＢセット内のＳＣＣＥの数であり、ｉ＝０，．．．，ＮｓＲＥＧ／ｓＣＣＥ−１であり、
2020535721.tif 000037
は、ＳＰＤＣＣＨ  ＲＢセット内のＳＲＥＧの総数であり、ＮｓＲＥＧ／ｓＣＣＥはＳＣＣＥあたりのＳＲＥＧの数であるように更に設定される、実施形態３６に記載の基地局。
【０１８７】
３９．高い周波数ダイバーシティを達成するための、１つまたは複数のＳＣＣＥと対応するＳＲＥＧとの間のマッピングを決定することは、基地局が、
２ｏｓ  ＣＲＳベースのＳＰＤＣＣＨにおけるＳＲＥＧベースの分散型マッピングについて、ＳＣＣＥインデックスｋに対応するＳＲＥＧが以下の規定によって与えられることを含み、
2020535721.tif 000038
ここで、ｋ＝０，．．．，ＮｓＣＣＥ−１であり、ＮｓＣＣＥはＳＰＤＣＣＨ  ＲＢセット内のＳＣＣＥの数であり、ｉ＝０，．．．，ＮｓＲＥＧ／ｓＣＣＥ−１であり、ＮｓＣＣＥ／ＯＳはＳＰＤＣＣＨ  ＲＢセット内のＯＦＤＭシンボルあたりのＳＣＣＥの数であり、すなわち、
2020535721.tif 000039
であり、ＮｓＲＥＧ／ＯＳはＯＦＤＭシンボルあたりのＳＲＥＧの数であり、ＮｓＲＥＧ／ｓＣＣＥはＳＣＣＥあたりのＳＲＥＧの数であり、すなわち、ＣＲＳベースのＳＰＤＣＣＨの場合、４ＳＲＥＧ／ＳＣＣＥであるように更に設定される、実施形態３６に記載の基地局。
【０１８８】
４０．高い周波数ダイバーシティを達成するための、１つまたは複数のＳＣＣＥと対応するＳＲＥＧとの間のマッピングを決定することは、基地局が、
１ｏｓおよび２ｏｓ  ＣＲＳベースのＳＰＤＣＣＨ内のＳＲＥＧベースの局在化マッピングについて、ＳＣＣＥインデックスｋに対応するＳＲＥＧが以下の規定によって与えられることを含み、
ｋ＊ＮｓＲＥＧ／ｓＣＣＥ＋ｉ
ここで、ｋ＝０，．．．，ＮｓＣＣＥ−１であり、ＮｓＣＣＥはＳＰＤＣＣＨ  ＲＢセット内のＳＣＣＥの数であり、ｉ＝０，．．．，ＮｓＲＥＧ／ｓＣＣＥ−１であり、ＮｓＲＥＧ／ｓＣＣＥはＳＣＣＥあたりのＳＲＥＧの数であり、すなわち、ＣＲＳベースのＳＰＤＣＣＨの場合、４ＳＲＥＧ／ＳＣＣＥであるように更に設定される、実施形態３６に記載の基地局。
【０１８９】
４１．１つまたは複数のＳＣＣＥと対応するＳＲＥＧとの間のマッピングを決定することは、基地局が、
基地局からの通信のために用いられる復調方式が、ＤＭＲＳであると決定し、
これに応じて、その事実に基づき、１つまたは複数のＳＣＣＥと対応するＳＲＥＧとの間のマッピングを決定する、
ように更に設定されることを含む、実施形態３５に記載の基地局。
【０１９０】
４２．１つまたは複数のＳＣＣＥと対応するＳＲＥＧとの間のマッピングを決定することは、基地局が、
２ｏｓおよび３ｏｓ  ＤＭＲＳベースのＳＰＤＣＣＨにおけるＳＣＣＥ対ＳＲＥＧマッピングについて、ＳＣＣＥインデックスｋに対応するＳＲＥＧが以下の規定によって与えられることを含み、
ｋ＊ＮｓＲＥＧ／ｓＣＣＥ＋ｉ
ここで、ｋ＝０，．．．，ＮｓＣＣＥ−１であり、ＮｓＣＣＥはＳＰＤＣＣＨ  ＲＢセット内のＳＣＣＥの数であり、ｉ＝０，．．．，ＮｓＲＥＧ／ｓＣＣＥ−１であり、ＮｓＲＥＧ／ｓＣＣＥはＳＣＣＥあたりのＳＲＥＧの数であり、すなわち、２ｏｓ  ＤＭＲＳベースのＳＰＤＣＣＨの場合、４ＳＲＥＧ／ＳＣＣＥであり、３ｏｓ  ＤＭＲＳベースのＳＰＤＣＣＨの場合、６ＳＲＥＧ／ＳＣＣＥであるように更に設定される、実施形態４１に記載の基地局。
【０１９１】
４３．基地局が、
１よりも高いアグリゲーションレベルについて、ＵＥのＳＰＤＣＣＨ  ＲＢセット内の分散型ＤＭＲＳベースのＳＰＤＣＣＨ候補ｍに対応するＳＣＣＥが以下のように規定されることを更に含み、
2020535721.tif 000040
ここで、
2020535721.tif 000041
は、より高位層のシグナリングによって設定されるＵＥのＳＣＣＥ開始オフセットであり、ｉ＝０，．．．，Ｌ−１であり、Ｌはアグリゲーションレベルであり、１よりも高く、ＮｓＣＣＥはＳＰＤＣＣＨ  ＲＢセット内のＳＣＣＥの総数であり、ｍ＝０，．．．，ＭＬ−１であり、ＭＬはアグリゲーションレベルＬあたりのＳＰＤＣＣＨ候補の数であるように更に設定される、実施形態３４から４２のいずれかに記載の基地局。
【０１９２】
４４．基地局から通信を受信することは、ショート物理ダウンリンク制御チャネル（ＳＰＤＣＣＨ）上で基地局から通信を受信することを含む、実施形態３４から４３のいずれかに記載の基地局。
【０１９３】
４５．ホストコンピュータを含む通信システムであって、
ユーザデータを提供するように設定された処理回路部と、
ユーザ機器（ＵＥ）への送信のためにユーザデータをセルラネットワークに転送するように設定された通信インターフェースと、
を備え、
セルラネットワークは、無線インターフェースと、処理回路部とを有する基地局を備え、基地局の処理回路部は、
ユーザ機器（ＵＥ）への通信について、１つまたは複数のショート制御チャネルエレメント（ＳＣＣＥ）と対応するショートリソースエレメントグループ（ＳＲＥＧ）との間のマッピングを決定し、
１つまたは複数のＳＣＣＥと対応するＳＲＥＧとの間のマッピングに基づいて、ＵＥへの通信を送信する、
ように設定される、通信システム。
【０１９４】
４６．基地局を更に備える、実施形態４５に記載の通信システム。
【０１９５】
４７．ＵＥを更に備え、ＵＥは基地局と通信するように設定される、実施形態４６に記載の通信システム。
【０１９６】
４８．ホストコンピュータの処理回路部は、ホストアプリケーションを実行し、それによってユーザデータを提供するように設定され、
ＵＥは、ホストアプリケーションに関連付けられたクライアントアプリケーションを実行するように設定された処理回路部を備える、実施形態４７に記載の通信システム。
【０１９７】
４９．ホストコンピュータ、基地局およびユーザ機器（ＵＥ）を備える通信システムにおいて実施される方法であって、方法は、
ホストコンピュータにおいてユーザデータを提供することと、
ホストコンピュータにおいて、基地局を含むセルラネットワークを介してＵＥへのユーザデータを搬送する送信を開始することと、
を含み、基地局は、
基地局から通信を受信し、
基地局からの通信について、１つまたは複数のショート制御チャネルエレメント（ＳＣＣＥ）と対応するショートリソースエレメントグループ（ＳＲＥＧ）との間のマッピングを決定し、
基地局からの通信についての、１つまたは複数のＳＣＣＥと対応するＳＲＥＧとの間のマッピングに基づいて、基地局からの通信を処理する、方法。
【０１９８】
５０．基地局において、ユーザデータを送信することを更に含む、実施形態４９に記載の方法。
【０１９９】
５１．ユーザデータは、ホストアプリケーションを実行することによってホストコンピュータにおいて提供され、方法は、
ＵＥにおいて、ホストアプリケーションに関連付けられたクライアントアプリケーションを実行することを更に含む、実施形態５０に記載の方法。
【０２００】
以下の略記のうちの少なくともいくつかが本開示において用いられる場合がある。略記間に不一致がある場合、上記で用いられたものが優先されるべきである。以下に複数回列挙されている場合、最初のリスト化が任意の後続のリスト化に優先されるべきである。
・３ＧＰＰ        第３世代パートナーシッププロジェクト
・ＡＬ            アグリゲーションレベル
・ＢＬＥＲ        ブロック誤り率
・ＣＣＥ          制御チャネルエレメント
・ＣＲＳ          セル固有参照信号
・ＤＣＩ          ダウンリンク制御情報
・ＤＬ            ダウンリンク
・ＤＭＲＳ        復調参照信号
・ＥＰＤＣＣＨ    拡張物理ダウンリンク制御チャネル
・Ｅ−ＵＴＲＡＮ  エボルブドユニバーサル地上無線アクセスネットワーク
・ｅＮＢ          拡張またはエボルブドＮｏｄｅＢ
・ｇＮＢ          新無線基地局
・ＬＴＥ          ロングタームエボリューション
・ｍｓ            ミリ秒
・ＮＢ            ＮｏｄｅＢ
・ＮＲ            新無線
・ＯＦＤＭ        直交周波数分割多重
・ＲＡＮ          無線アクセスノード
・ＲＢ            リソースブロック
・ＲＢＧ          リソースブロックグループ
・ＲＮＴＩ        無線ネットワーク一時識別子
・ＲＲＣ          無線リソース制御
・ＳＣＣＥ        ショート制御チャネルエレメント
・ＳＣ−ＦＤＭＡ  単一キャリア周波数分割多元接続
・ＳＦ            サブフレーム
・ＳＰＤＣＣＨ    ショート物理ダウンリンク制御チャネル
・ＳＰＤＳＣＨ    ショート物理ダウンリンク共有チャネル
・ＳＲＥＧ        ショートリソースエレメントグループ
・ＳＴＴＩ        ショート送信時間間隔
・ＴＴＩ          送信時間間隔
・ＵＥ            ユーザ機器
・ＵＬ            アップリンク
【０２０１】
当業者は、本開示の実施形態に対する改善および変更を認識するであろう。全てのそのような改善および変更は、本明細書に開示される概念の範囲内にあるとみなされる。
【図１】
2020535721.tif 000066
【図２】
2020535721.tif 000067
【図３】
2020535721.tif 000068
【図４】
2020535721.tif 000069
【図５】
2020535721.tif 000070
【図６】
2020535721.tif 000071
【図７】
2020535721.tif 000072
【図８】
2020535721.tif 000073
【図９】
2020535721.tif 000074
【図１０】
2020535721.tif 000075
【図１１】
2020535721.tif 000076
【図１２】
2020535721.tif 000077
【図１３】
2020535721.tif 000078
【図１４】
2020535721.tif 000079
【図１５】
2020535721.tif 000080
【図１６】
2020535721.tif 000081
【図１７】
2020535721.tif 000082
【図１８】
2020535721.tif 000083
【図１９】
2020535721.tif 000084
【図２０】
2020535721.tif 000085
【図２１】
2020535721.tif 000086
【図２２】
2020535721.tif 000087
【国際調査報告】
2020535721.tif 000088
2020535721.tif 000089
2020535721.tif 000090
2020535721.tif 000091
2020535721.tif 000092